(57)【特許請求の範囲】
【請求項１】
ユーザ端末機（user equipment：ＵＥ）の方法であって、
基地局に少なくとも一つのディスカバリリソースを要請するメッセージを送信するステップと、
前記基地局から、前記ＵＥに割り当てられた少なくとも一つのディスカバリリソースに対する情報を含むメッセージを受信するステップと、を含み、
前記少なくとも一つのディスカバリリソースを要請するメッセージは、前記ＵＥが前記少なくとも一つのディスカバリリソースを割り当てることを要請する少なくとも一つのディスカバリメッセージの個数を指示する情報を含み、
前記ＵＥに割り当てられた少なくとも一つのディスカバリリソースは、時間情報及び周波数情報で指示される
ことを特徴とするユーザ端末機の方法。
【請求項２】
前記少なくとも一つのディスカバリリソースを要請するメッセージの送信を決定するステップをさらに含む
ことを特徴とする請求項１に記載のユーザ端末機の方法。
【請求項３】
前記少なくとも一つのディスカバリリソースを要請するメッセージの送信を決定するステップは、
前記ＵＥが無線リソース制御（radio resource control：ＲＲＣ）接続ステート（connected state）に進入した後、前記少なくとも一つのディスカバリリソースを要請するメッセージを送信していないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージの送信を決定するステップを含む
ことを特徴とする請求項２に記載のユーザ端末機の方法。
【請求項４】
システム情報がディスカバリメッセージ送信のための共通リソースに対する情報を含まない場合、ＲＲＣ接続を確立するステップをさらに含む
ことを特徴とする請求項１に記載のユーザ端末機の方法。
【請求項５】
無線リソース制御（radio resource control：ＲＲＣ）接続を確立するステップをさらに含み、
前記ＲＲＣ接続は、サイドリンク（side link）ディスカバリのためのＲＲＣ接続である
ことを特徴とする請求項１に記載のユーザ端末機の方法。
【請求項６】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用される
ことを特徴とする請求項１に記載のユーザ端末機の方法。
【請求項７】
前記基地局に、前記ＵＥが、前記ＵＥに割り当てられた少なくとも一つのディスカバリリソースをこれ以上要請しないことを示すメッセージを送信するステップをさらに含む
ことを特徴とする請求項１に記載のユーザ端末機の方法。
【請求項８】
基地局の方法であって、
ユーザ端末機（user equipment：ＵＥ）から少なくとも一つのディスカバリリソースを要請するメッセージを受信するステップと、
前記ＵＥに、前記ＵＥに割り当てられた少なくとも一つのディスカバリリソースに対する情報を含むメッセージを送信するステップと、を含み、
前記少なくとも一つのディスカバリリソースを要請するメッセージは、前記ＵＥが前記少なくとも一つのディスカバリリソースを割り当てることを要請する少なくとも一つのディスカバリメッセージの個数を指示する情報を含み、
前記ＵＥに割り当てられた少なくとも一つのディスカバリリソースは、時間情報及び周波数情報で指示される
ことを特徴とする基地局の方法。
【請求項９】
無線リソース制御（radio resource control：ＲＲＣ）接続を確立するステップをさらに含み、
前記ＲＲＣ接続は、サイドリンク（side link）ディスカバリのためのＲＲＣ接続である
ことを特徴とする請求項８に記載の基地局の方法。
【請求項１０】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用される
ことを特徴とする請求項８に記載の基地局の方法。
【請求項１１】
前記ＵＥの無線リソース制御（radio resource control：ＲＲＣ）接続ステート（connected  state）への進入により前記ＵＥから受信された少なくとも一つのディスカバリリソースを要請するメッセージが存在しないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージが前記ＵＥから受信される
ことを特徴とする請求項８に記載の基地局の方法。
【請求項１２】
前記ＵＥがキャンプオン（camp on）しているセルのシステム情報がディスカバリメッセージ送信のための共通リソースに対する情報を含まない場合、ＲＲＣ接続を確立するステップをさらに含む
ことを特徴とする請求項８に記載の基地局の方法。
【請求項１３】
前記ＵＥから、前記ＵＥが、前記ＵＥに割り当てられた少なくとも一つのディスカバリリソースをこれ以上要請しないことを示すメッセージを受信するステップをさらに含む
ことを特徴とする請求項８に記載の基地局の方法。
【請求項１４】
移動管理エンティティ（mobility management entity：ＭＭＥ）から受信されたＵＥコンテキストに基づいて前記ＵＥがディスカバリ案内に対して許可されたか否かを確認するステップをさらに含む
ことを特徴とする請求項８に記載の基地局の方法。
【請求項１５】
ユーザ端末機（user equipment：ＵＥ）であって、
基地局に少なくとも一つのディスカバリリソースを要請するメッセージを送信する送信器と、
前記基地局から前記ＵＥに割り当てられた少なくとも一つのディスカバリリソースに対する情報を含むメッセージを受信する受信器と、を含み、
前記少なくとも一つのディスカバリリソースを要請するメッセージは、前記ＵＥが前記少なくとも一つのディスカバリリソースを割り当てることを要請する少なくとも一つのディスカバリメッセージの個数を指示する情報を含み、
前記ＵＥに割り当てられた少なくとも一つのディスカバリリソースは、時間情報及び周波数情報で指示される
ことを特徴とするユーザ端末機。
【請求項１６】
前記少なくとも一つのディスカバリリソースを要請するメッセージの送信を決定する制御器をさらに含む
ことを特徴とする請求項１５に記載のユーザ端末機。
【請求項１７】
前記制御器は、
前記ＵＥが無線リソース制御（radio resource control：ＲＲＣ）接続ステート（connected  state）に進入した後、前記少なくとも一つのディスカバリリソースを要請するメッセージを送信していないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージの送信を決定する
ことを特徴とする請求項１６に記載のユーザ端末機。
【請求項１８】
前記送信器及び受信器は、
システム情報がディスカバリメッセージ送信のための共通リソースに対する情報を含まない場合にＲＲＣ接続を確立する
ことを特徴とする請求項１５に記載のユーザ端末機。
【請求項１９】
前記送信器及び受信器は、
無線リソース制御（radio resource control：ＲＲＣ）接続を確立し、
前記ＲＲＣ接続は、サイドリンク（side link）ディスカバリのためのＲＲＣ接続である
ことを特徴とする請求項１５に記載のユーザ端末機。
【請求項２０】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用される
ことを特徴とする請求項１５に記載のユーザ端末機。
【請求項２１】
前記送信器は、
前記基地局に、前記ＵＥが、前記ＵＥに割り当てられた少なくとも一つのディスカバリリソースをこれ以上要請しないことを示すメッセージを送信する
ことを特徴とする請求項１５に記載のユーザ端末機。
【請求項２２】
基地局であって、
ユーザ端末機（user equipment：ＵＥ）から少なくとも一つのディスカバリリソースを要請するメッセージを受信する受信器と、
前記ＵＥに、前記ＵＥに割り当てられた少なくとも一つのディスカバリリソースに対する情報を含むメッセージを送信する送信器と、を含み、
前記少なくとも一つのディスカバリリソースを要請するメッセージは、前記ＵＥが前記少なくとも一つのディスカバリリソースを割り当てることを要請する少なくとも一つのディスカバリメッセージの個数を指示する情報を含み、
前記ＵＥに割り当てられた少なくとも一つのディスカバリリソースは、時間情報及び周波数情報で指示される
ことを特徴とする基地局。
【請求項２３】
前記送信器及び受信器は、
無線リソース制御（radio resource control：ＲＲＣ）接続を確立し、
前記ＲＲＣ接続はサイドリンク（side link）ディスカバリのためのＲＲＣ接続である
ことを特徴とする請求項２２に記載の基地局。
【請求項２４】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用される
ことを特徴とする請求項２２に記載の基地局。
【請求項２５】
前記ＵＥの無線リソース制御（radio resource control：ＲＲＣ）接続ステート（connected state）への進入により前記ＵＥから受信された少なくとも一つのディスカバリリソースを要請するメッセージが存在しないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージが前記ＵＥから受信される
ことを特徴とする請求項２２に記載の基地局。
【請求項２６】
前記送信器及び受信器は、
前記ＵＥがキャンプオン（camp on）しているセルのシステム情報がディスカバリメッセージ送信のための共通リソースに対する情報を含まない場合にＲＲＣ接続を確立する
ことを特徴とする請求項２２に記載の基地局。
【請求項２７】
前記受信器は、
前記ＵＥから、前記ＵＥが、前記ＵＥに割り当てられた少なくとも一つのディスカバリリソースをこれ以上要請しないことを示すメッセージを受信する
ことを特徴とする請求項２２に記載の基地局。
【請求項２８】
移動管理エンティティ（mobility management entity：ＭＭＥ）から受信されたＵＥコンテキストに基づいて、前記ＵＥがディスカバリ案内に対して許可されたか否かを確認する制御器をさらに含む
ことを特徴とする請求項２２に記載の基地局。
【発明の詳細な説明】
【技術分野】
【０００１】
本発明はデバイスツーデバイス(Ｄ２Ｄ)方式をサポートする通信システムにおいて、リソース割り当て及びリソース割り当て情報を送受信する装置及び方法に関するものであって、特にＤ２Ｄ方式をサポートする通信システムにおける送信Ｄ２Ｄユーザー端末(ＴＸ  Ｄ２Ｄ  ＵＥ)にリソースを割り当て、送信Ｄ２Ｄ  ＵＥに割り当てられた専用リソースに関する情報を送受信する装置及び方法に関する。
【背景技術】
【０００２】
Ｄ２Ｄディスカバリ(discovery)プロセスは、Ｄ２ＤイネーブルドＵＥ(User  Equipment)が他のＤ２ＤイネーブルドＵＥの近接に存在するか否かを判定するプロセスである。ディスカバリ中のＤ２ＤイネーブルドＵＥは、Ｄ２Ｄディスカバリプロセスに基づいて他のＤ２ＤイネーブルドＵＥがディスカバリ中のＤ２ＤイネーブルドＵＥに関心があるか否かを判定する。他のＤ２ＤイネーブルドＵＥは、他のＤ２ＤイネーブルドＵＥの近接がディスカバリ中のＤ２ＤイネーブルドＵＥで１つあるいはそれ以上の公認されたアプリケーションにより知らされる必要がある場合、ディスカバリ中のＤ２ＤイネーブルドＵＥに関心がある。例えば、ソーシャルネットワーキングアプリケーションは、Ｄ２Ｄディスカバリ特徴を使用するためにイネーブルできる。Ｄ２Ｄディスカバリプロセスは、ソーシャルネットワーキングアプリケーションの与えられたユーザーの友達のＤ２ＤイネーブルドＵＥがソーシャルネットワーキングアプリケーションの所定のユーザーの友達のＤ２ＤイネーブルドＵＥにより発見することができ、あるいはソーシャルネットワーキングアプリケーションの所定のユーザーの友達のＤ２ＤイネーブルドＵＥにより探索することを可能にする。他の実施形態において、Ｄ２Ｄディスカバリプロセスは、検索(search)アプリケーションの所定のユーザーのＤ２ＤイネーブルドＵＥにより検索アプリケーションの所定のユーザーのＤ２ＤイネーブルドＵＥの近くに関心がある検索アプリケーションの所定のユーザーのＤ２ＤイネーブルドＵＥの商店/レストランを発見することを可能にする。
【０００３】
Ｄ２Ｄディスカバリプロセスは、多様な形態で実現され、これについて具体的に説明すると、次の通りである。
【０００４】
Ｄ２ＤイネーブルドＵＥは、ダイレクトＵＥ対ＵＥシグナリングを用いてＤ２ＤイネーブルドＵＥの近くに他のＤ２ＤイネーブルドＵＥを発見できる。このダイレクトＵＥ対ＵＥシグナリングを使用するＤ２Ｄディスカバリプロセスは、‘Ｄ２Ｄダイレクトディスカバリプロセス’と称する。
【０００５】
あるいは、通信ネットワークは、２個のＤ２ＤイネーブルドＵＥの近所を決定し、２個のＤ２ＤイネーブルドＵＥに２個のＤ２ＤイネーブルドＵＥの近所を通知する。通信ネットワークがＤ２ＤイネーブルドＵＥの近所を決定し、このＤ２ＤイネーブルドＵＥにＤ２ＤイネーブルドＵＥの近所に関する情報を通知するＤ２Ｄディスカバリプロセスは、‘ネットワーク補助Ｄ２Ｄディスカバリプロセス’と称する。
【０００６】
Ｄ２Ｄダイレクトディスカバリプロセスにおいて、Ｄ２Ｄ  ＵＥは、ディスカバリリソースに関するディスカバリ情報を送信する。
【０００７】
リソースのプール(すなわち、ディスカバリリソースプール)は、Ｄ２Ｄダイレクトディスカバリプロセスのためのネットワークにより予約される。ＴＸ  Ｄ２Ｄ  ＵＥは、ディスカバリリソースプールからリソースをランダムに選択し、選択したディスカバリリソースを用いてディスカバリ情報を送信する。ＲＸ  Ｄ２Ｄ  ＵＥは、ディスカバリ情報を受信するために、上記ディスカバリリソースプールに含まれたすべてのディスカバリリソースをモニタリングする。この方式は、複数のＴＸ  Ｄ２Ｄ  ＵＥにより送信されるディスカバリ信号中に衝突を招く。それによって、ネットワーク(すなわち、基地局(又はｅＮＢ)又は集中リソースコーディネータ)がＴＸ  Ｄ２Ｄ  ＵＥに専用ディスカバリリソースを割り当てる場合、このディスカバリ信号の衝突は防止され得る。
【０００８】
専用ディスカバリリソース割り当ての問題のうちの一つは、ＴＸ  Ｄ２Ｄ  ＵＥがネットワークからリソースを獲得する方法である。従来の通信ネットワークにおいて、ＴＸ  Ｄ２Ｄ  ＵＥは、メディアアクセス制御(ＭＡＣ)制御要素を用いてバッファ状態レポート(ＢＳＲ)をネットワークエンティティ(例えば、基地局又はエンハンスドｎｏｄｅＢ)に送信する。ＢＳＲは、ＴＸ  Ｄ２Ｄ  ＵＥがネットワークに伝送しようとするバイトの数からなる。ＢＳＲに対応して、ネットワークエンティティは、割り当てられたリソースを示す制御情報を搬送する物理ダウンリンク制御チャンネル(ＰＤＣＣＨ)を送信する。ＰＤＣＣＨは、ＴＸ  Ｄ２Ｄ  ＵＥに割り当てられる無線ネットワーク端末識別子でマスキングされる。このアプローチは、ＴＸ  Ｄ２Ｄ  ＵＥがディスカバリのためにリソースを必要とするか、あるいはネットワークへの送信のためにリソースを必要とするかがわかるように、ディスカバリのために新たなＢＳＲフォーマットを要求するので、ネットワークエンティティが専用ディスカバリリソース割り当てに適合しないことに注意すべきである。さらに、ＴＸ  Ｄ２Ｄ  ＵＥは、ディスカバリ用リソースがネットワークとの通信のために使用されるリソースと異なるので、新たなダウンリンク制御情報(ＤＣＩ)フォーマットを要求する。また、ディスカバリ用ＰＤＣＣＨをネットワーク通信用ＰＤＣＣＨと区別するために、ＴＸ  Ｄ２Ｄ  ＵＥに割り当てられる新たな無線ネットワーク臨時識別子(ＲＮＴＩ)が必要である。したがって、専用ディスカバリリソースをＴＸ  Ｄ２Ｄ  ＵＥに割り当てるために新たな方式が要求される。
【０００９】
専用ディスカバリリソース割り当ての他の問題は、ＴＸ  Ｄ２Ｄ  ＵＥが基地局からディスカバリ信号を送信するための専用ディスカバリリソースを獲得でき、ＲＸ  Ｄ２Ｄ  ＵＥがディスカバリのために割り当てられるすべてのディスカバリリソースをモニタリングしなければならないことである。ＴＸ  Ｄ２Ｄ  ＵＥにより送信されるディスカバリ情報は、いくつかのＲＸ  Ｄ２Ｄ  ＵＥにより受信され得る。一般的に、ＴＸ  Ｄ２Ｄ  ＵＥは、どのＲＸ  Ｄ２Ｄ  ＵＥがＴＸ  Ｄ２Ｄ  ＵＥにより送信されるディスカバリ情報を受信するかはわからない。
【００１０】
それによって、ＴＸ  Ｄ２Ｄ  ＵＥは、基地局に専用リソースを要求する場合、どのＲＸ  Ｄ２Ｄ  ＵＥがＴＸ  Ｄ２Ｄ  ＵＥにより送信されるディスカバリ情報を受信するかを基地局に示すことができない。ＴＸ  Ｄ２Ｄ  ＵＥに対する専用探ディスカバリリソースを割り当てる間に、基地局は、ＲＸ  Ｄ２Ｄ  ＵＥを知らない。ＲＸ  Ｄ２Ｄ  ＵＥは、ＲＸ  Ｄ２Ｄ  ＵＥが関心のあるＴＸ  Ｄ２Ｄ  ＵＥのセル特定ＵＥ識別子(ＩＤ)も知らない。
それによって、ＴＸ  Ｄ２Ｄ  ＵＥにより使用される専用ディスカバリリソースに関する情報をＲＸ  Ｄ２Ｄ  ＵＥに通知する方式に対する必要性がある。
【００１１】
上記した情報は、本発明の開示の理解を助けるための背景情報として表示されるだけである。上記のいずれかが本発明に関する従来技術として適用されるか否かに関しては、何の決定も判定も下されていない。
【発明の概要】
【発明が解決しようとする課題】
【００１２】
したがって、本発明は上記した従来技術の問題点に鑑みてなされたものであって、その目的は、Ｄ２Ｄ方式をサポートする通信システムでリソース割り当て装置及び方法を提供することにある。
【００１３】
また、本発明の目的は、Ｄ２Ｄ方式をサポートする通信システムにおいて、ＴＸ  Ｄ２Ｄ  ＵＥの状態に基づいてリソースを割り当てる装置及び方法を提供することにある。
【００１４】
本発明の他の目的は、Ｄ２Ｄ方式をサポートする通信システムにおいてＴＸ  Ｄ２Ｄ  ＵＥのＤ２Ｄ識別子(ＩＤ)に基づいてリソース割り当て情報を管理する装置及び方法を提供することにある。
また、本発明の他の目的は、Ｄ２Ｄ方式をサポートする通信システムでリソース割り当て情報を送受信する装置及び方法を提供することにある。
【００１５】
さらに、本発明の他の目的は、Ｄ２Ｄ方式をサポートする通信システムにおいてＴＸ  Ｄ２Ｄ  ＵＥに割り当てられるディスカバリリソースに関するリソース割り当て情報を送受信する装置及び方法を提供することにある。
【００１６】
本発明の他の目的は、Ｄ２Ｄ方式をサポートする通信システムにおいて、ＲＸ  Ｄ２Ｄ  ＵＥがディスカバリリソースに対するモニタリングオーバーヘッドを減少させることによるリソース割り当て情報を送受信する装置及び方法を提供することにある。
【００１７】
また、本発明の他の目的は、Ｄ２Ｄ方式をサポートする通信システムにおいて、ＴＸ  Ｄ２Ｄ  ＵＥに割り当てられるディスカバリリソースを通じてディスカバリ情報を受信するＲＸ  Ｄ２Ｄ  ＵＥに関する情報を提供することによってリソース割り当て情報を送受信する装置及び方法を提供することにある。
【課題を解決するための手段】
【００１８】
上記のような目的を達成するために、本発明の一態様によれば、デバイスツーデバイス(Ｄ２Ｄ)方式をサポートする通信システムにおいてユーザー端末（ＵＥ）によりディスカバリリソースを割り当てる方法が提供される。その方法は、ディスカバリリソースリクエストメッセージがネットワークエンティティに送信されるか否かを判定するステップと、判定結果に基づいてネットワークエンティティにディスカバリリソースリクエストメッセージを送信するステップと、ネットワークエンティティからディスカバリリソースリクエストメッセージに対する応答メッセージとしてディスカバリリソース応答メッセージを受信するステップとを有する。
【００１９】
本発明の他の態様によれば、デバイスツーデバイス(Ｄ２Ｄ)方式をサポートする通信システムにおけるユーザー端末(ＵＥ)が提供される。上記ＵＥは、ディスカバリリソースリクエストメッセージがネットワークエンティティに送信されるか否かを判定するように構成される制御器と、この判定結果に基づいてネットワークエンティティにディスカバリリソースリクエストメッセージを送信する動作を実行する送信器と、ネットワークエンティティからディスカバリリソースリクエストメッセージに対する応答メッセージとしてディスカバリリソース応答メッセージを受信する受信器とを含む。
【発明の効果】
【００２０】
本発明は、Ｄ２Ｄ方式をサポートする通信システムにおけるリソース割り当てを可能にする効果がある。
また、本発明は、Ｄ２Ｄ方式をサポートする通信システムでＴＸ  Ｄ２Ｄ  ＵＥの状態に基づいてリソースを割り当てることができる。
【００２１】
本発明は、Ｄ２Ｄ方式をサポートする通信システムにおいて、ＴＸ  Ｄ２Ｄ  ＵＥのＤ２Ｄ  ＩＤに基づいてリソース割り当て情報を管理することができる効果を有する。
【００２２】
さらに、本発明は、Ｄ２Ｄ方式をサポートする通信システムにおけるリソース割り当て情報を送受信することを可能にする。
【００２３】
本発明は、Ｄ２Ｄ方式をサポートする通信システムにおいて、ＴＸ  Ｄ２Ｄ  ＵＥに割り当てられるディスカバリリソースに関するリソース割り当て情報を送受信する効果を有する。
【００２４】
なお、本発明は、Ｄ２Ｄ方式をサポートする通信システムにおいて、ＲＸ  Ｄ２Ｄ  ＵＥのディスカバリリソースに対するモニタリングオーバーヘッドを減少させるリソース割り当て情報の送受信が可能である効果を有する。
【００２５】
また、本発明は、Ｄ２Ｄ方式をサポートする通信システムにおいて、ＴＸ  Ｄ２Ｄ  ＵＥに割り当てられるディスカバリリソースを通じてディスカバリ情報を受信するＲＸ  Ｄ２Ｄ  ＵＥに関する情報を提供可能にするリソース割り当て情報を送受信する効果がある。
【００２６】
本発明による実施形態の上記及び他の態様、特徴、及び利点は、添付の図面と共に述べる以下の詳細な説明から、一層明らかになるはずである。
【図面の簡単な説明】
【００２７】
【図１】本発明の一実施形態によるＤ２Ｄ方式をサポートする通信システムにおけるＴＸ  Ｄ２Ｄ  ＵＥに専用ディスカバリリソースを割り当てるプロセスの一例を概略的に示す図である。
【図２】本発明の一実施形態により、ディスカバリ情報送信のために、ディスカバリリソース応答メッセージで受信したディスカバリリソース構成が適用可能であり、図１のＴＸ  Ｄ２Ｄ  ＵＥ１１１により使用される時間を概略的に示す図である。
【図３】本発明の他の実施形態により、ディスカバリ情報送信のために、ディスカバリリソース応答メッセージで受信したディスカバリリソース構成が適用可能であり、ＴＸ  Ｄ２Ｄ  ＵＥ１１１により使用される時間を概略的に示す図である。
【図４】本発明の他の実施形態により、ディスカバリ情報送信のために、ディスカバリリソース応答メッセージで受信したディスカバリリソース構成が適用可能であり、ＴＸ  Ｄ２Ｄ  ＵＥ１１１により使用される時間を概略的に示す図である。
【図５】本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す図である。
【図６】本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す図である。
【図７】本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す図である。
【図８】本発明の一実施形態によるＤ２Ｄ方式をサポートする通信システムにおいて、ＲＸ  Ｄ２Ｄ  ＵＥに専用ディスカバリリソースに関する情報を提供するプロセスの一例を概略的に示す図である。
【図９】本発明の一実施形態によるＤ２Ｄ方式をサポートする通信システムにおいて、ＴＸ  Ｄ２Ｄ  ＵＥに割り当てられる専用リソースに対するリソース割り当て情報をＲＸ  Ｄ２Ｄ  ＵＥに送信するプロセスの他の例を概略的に示す図である。
【図１０】本発明の一実施形態によるＤ２Ｄ方式をサポートする通信システムにおいて、ＲＸ  Ｄ２Ｄ  ＵＥに専用ディスカバリリソースに関する情報を提供するプロセスの他の例を概略的に示す図である。
【図１１】本発明の一実施形態によるＤ２Ｄ方式をサポートする通信システムにおいて、ＴＸ  Ｄ２Ｄ  ＵＥに専用ディスカバリリソースを割り当てるプロセスのもう一つの例を概略的に示す図である。
【図１２】本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す図である。
【図１３】本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す図である。
【図１４】本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す図である。
【図１５】本発明の一実施形態によるＤ２Ｄ方式をサポートする通信システムにおいて、ＲＸ  Ｄ２Ｄ  ＵＥに専用ディスカバリリソースに関する情報を提供するプロセスのもう一つの例を概略的に示す図である。
【図１６】本発明の一実施形態によるＤ２Ｄ方式をサポートする通信システムにおいて、ＲＸ  Ｄ２Ｄ  ＵＥに専用ディスカバリリソースに関する情報を提供するプロセスのもう一つの例を概略的に示す図である。
【図１７】本発明の一実施形態によるＤ２Ｄ方式をサポートする通信システムにおいて、ＲＸ  Ｄ２Ｄ  ＵＥに専用ディスカバリリソースに関する情報を提供するプロセスのもう一つの例を概略的に示す図である。
【図１８】本発明の一実施形態によるＤ２Ｄ方式をサポートする通信システムにおいて、ＴＸ  Ｄ２Ｄ  ＵＥに専用ディスカバリリソースを割り当てるプロセスのもう一つの例を概略的に示す図である。
【図１９】本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てをハンドリングするプロセスの一例を概略的に示す図である。
【図２０】本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てをハンドリングするプロセスの他の例を概略的に示す図である。
【図２１】本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てをハンドリングするプロセスの他の例を概略的に示す図である。
【図２２】本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てをハンドリングするプロセスの他の例を概略的に示す図である。
【図２３】本発明の一実施形態によるＤ２Ｄ方式をサポートする通信システムにおいて、ｅＮＢからＴＸ  Ｄ２Ｄ  ＵＥに割り当てられるタイプ２ディスカバリリソースを解除するプロセスの一例を概略的に示す図である。
【図２４】本発明の一実施形態によるＤ２Ｄ方式をサポートする通信システムにおいて、ｅＮＢからＴＸ  Ｄ２Ｄ  ＵＥに割り当てられるタイプ２ディスカバリリソースを解除するプロセスの他の例を概略的に示す図である。
【図２５】本発明の一実施形態によるＤ２Ｄ方式をサポートする通信システムにおいて、ｅＮＢからＴＸ  Ｄ２Ｄ  ＵＥに割り当てられるタイプ２ディスカバリリソースを解除するプロセスの他の例を概略的に示す図である。
【図２６】本発明の一実施形態によるＤ２Ｄ方式をサポートする通信システムにおいて、ｅＮＢからＴＸ  Ｄ２Ｄ  ＵＥに割り当てられるタイプ２ディスカバリリソースを解除するプロセスのもう一つの例を概略的に示す図である。
【図２７】本発明の一実施形態によるＤ２Ｄ方式をサポートする通信システムにおけるＴＸ  Ｄ２Ｄ  ＵＥの内部構成を概略的に示す図である。
【図２８】本発明の一実施形態によるＤ２Ｄ方式をサポートする通信システムにおけるＲＸ  Ｄ２Ｄ  ＵＥの内部構成を概略的に示す図である。
【図２９】本発明の一実施形態によるＤ２Ｄ方式をサポートする通信システムにおけるｅＮＢを概略的に示す図である。
【図３０】本発明の一実施形態によるＤ２Ｄ方式をサポートする通信システムにおけるリソースコーディネータの内部構成を概略的に示す図である。
【図３１】本発明の一実施形態によるＤ２Ｄ方式をサポートする通信システムにおけるサーバの内部構成を概略的に示す図である。
【発明を実施するための形態】
【００２８】
以下、本発明の望ましい実施形態を添付の図面を参照して詳細に説明する。
【００２９】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。なお、公知の機能又は構成に関する具体的な説明は、明瞭性と簡潔性のために省略する。
【００３０】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００３１】
本願明細書に記載の各要素は、文脈中に特に明示しない限り、複数形を含むことは、当業者には理解できるものである。したがって、例えば、“コンポーネント表面（a component surface）”との記載は、１つ又は複数の表面を含む。
【００３２】
‘第１’、‘第２’のように序数を含む用語は多様な構成要素を説明するために使用されるが、構成要素は、上記用語により限定されない。これらの用語は、一つの構成要素を他の構成要素から区別する目的のみで使われる。例えば、本発明の権利範囲を外れることなく、第１の構成要素は第２の構成要素と称され、同様に第２の構成要素も第１の構成要素と称され得る。‘及び／又は’という用語は、複数の関連した記載項目の組み合せ又は複数の関連した記載項目のうち何れかの項目を含む。
【００３３】
単数形が、コンテキスト中に特記して明示されない限り、複数形を含むことは、当業者には容易に分ることであろう。また、‘含む’又は‘有する’などの用語は、明細書上に記載された特徴、数字、段階、動作、構成要素、部品又はこれらの組み合せが存在することを指定しようとするものであって、一つ又はそれ以上の他の特徴、数字、段階、動作、構成要素、部品、若しくはこれらの組み合せが、存在する或いは付加される可能性を予め排除しないことが理解されなければならない。
【００３４】
別に定義されない限り、ここで使用される技術的及び科学的な用語を含むすべての用語は、本発明が属する技術分野で通常の知識を持った者には一般的に理解される意味と同一の意味を有する。一般的に使用される辞典で定義されるような用語は、関連技術の文脈上有する意味と一致する意味を有すると解析されなければならなく、ここで明白に定義されない限り、理想的又は過度に形式的な意味で解析されない。
【００３５】
本発明の多様な実施形態によると、電子デバイスは、スマートフォン、パーソナルコンピュータ(ＰＣ)、携帯電話、テレビ電話、電子書籍リーダ、デスクトップＰＣ、ラップトップＰＣ、ネットブックＰＣ、ＰＤＡ(Personal Digital Assistant)、ＰＭＰ(Portable Multimedia Player)、ｍｐ３プレーヤー、モバイル医療デバイス、カメラ、ウェアラブルデバイス(例えば、ＨＭＤ(Head-Mounted  Device)、電気衣類、電子ブレース(electronic brace)、電子ネックレス、電子アクセサリ、電子タトゥー、又はスマート時計)であってもよい。
【００３６】
本発明の実施形態によると、電子デバイスは、通信機能を有するスマート家電であってもよい。スマート家電は、例えばテレビジョン、ＤＶＤ(Digital Video Disk)プレーヤー、オーディオ、冷蔵庫、エアコン、電気掃除機、オーブン、電子レンジ、洗濯機、ドライヤー、空気清浄器、セットトップボックス、ＴＶボックス(例えば、Ｓａｍｓｕｎｇ  ＨｏｍｅＳｙｎｃ(登録商標)、Ａｐｐｌｅ  ＴＶ(登録商標)、又はＧｏｏｇｌｅ  ＴＶ(登録商標))、ゲーム機、電子辞書、電子キー、カムコーダ、電子ピクチャーフレームであってもよい。
【００３７】
本発明の実施形態によると、電子デバイスは、医療機器(例えば、ＭＲＡ(Magnetic Resonance Angiography)装置、ＭＲＩ(Magnetic Resonance Imaging)装置、ＣＴ(Computed Tomography)機器、映像機器、又は超音波装置)、ナビゲーション機器、ＧＰＳ(Global Positioning System)受信器、イベントデータレコーダ(Event Data Recorder：ＥＤＲ)、フライトデータレコーダ(Flight Data Recorder：ＦＤＲ)、自動車用インフォテインメント装置、海軍電子装置(例えば、海軍ナビゲーション装置、ジャイロスコープ、又はコンパス)、航空電子機器、セキュリティ機器、産業又は個人用ロボットであってもよい。
【００３８】
本発明の実施形態によると、電子デバイスは、通信機能を有する家具、ビル/構造の一部、電子ボード、電子署名受信器、プロジェクタ、多様な測定装置(例えば、水、電気、ガス、又は電磁波測定装置)であってもよい。
【００３９】
本発明の実施形態によると、電子デバイスは、上記した装置の組み合せであってもよい。また、本発明の実施形態による電子デバイスは、上記装置に制限されるものではないことは、当該技術分野における通常の知識を持つ者には明らかである。
【００４０】
本発明の実施形態によると、例えば、ユーザー端末（ＵＥ）は電子デバイスであってもよい。
【００４１】
本発明の一実施形態は、デバイスツーデバイス(Ｄ２Ｄ)方式をサポートする通信システムにおけるリソース割り当て装置及び方法を提案する。
【００４２】
本発明の一実施形態は、Ｄ２Ｄ方式をサポートする通信システムにおいて、送信(ＴＸ)  Ｄ２Ｄ  ＵＥの状態に基づいてリソースを割り当てる装置及び方法を提案する。
【００４３】
本発明の一実施形態は、Ｄ２Ｄ方式をサポートする通信システムにおいてＴＸ  Ｄ２Ｄ  ＵＥのＤ２Ｄ識別子(ＩＤ)に基づいてリソース割り当て情報を管理する装置及び方法を提案する。
【００４４】
本発明の一実施形態は、Ｄ２Ｄ方式をサポートする通信システムにおいてリソース割り当て情報を送受信する装置及び方法を提案する。
【００４５】
本発明の一実施形態は、Ｄ２Ｄ方式をサポートする通信システムにおいて、ＴＸＤ２Ｄ  ＵＥに割り当てられるディスカバリリソースに関するリソース割り当て情報を送受信する装置及び方法を提案する。
【００４６】
本発明の一実施形態は、Ｄ２Ｄ方式をサポートする通信システムにおいて、受信(ＲＸ)  Ｄ２Ｄ  ＵＥがディスカバリリソースに対するモニタリングオーバーヘッドを減少させるリソース割り当て情報の送受信装置及び方法を提案する。
【００４７】
本発明の一実施形態は、Ｄ２Ｄ方式をサポートする通信システムにおいて、ＴＸ  Ｄ２Ｄ  ＵＥに割り当てられるディスカバリリソースを通じてディスカバリ情報を受信するＲＸ  Ｄ２Ｄ  ＵＥに関する情報を提供するリソース割り当て情報を送受信する装置及び方法を提案する。
【００４８】
本発明の一実施形態で提案する方法及び装置は、ＩＥＥＥ(Institute of Electrical and Electronics Engineers)８０２.１１ａｃ通信システム、ＩＥＥＥ８０２.１６通信システム、デジタルマルチメディアブロードキャスティング(ＤＭＢ)サービス、携帯用デジタルビデオブロードキャスティング(Digital  Video  Broadcasting-Handheld：ＤＶＰ-Ｈ)サービス、モバイル/携帯用進化したテレビシステム協会(Advanced  Television  Systems  committee-mobile/handheld：ＡＴＳＣ-Ｍ/Ｈ)サービスのようなモバイルブロードキャスティングサービスとインターネットプロトコルテレビ(ＩＰＴＶ)サービスのようなデジタルビデオブロードキャスティングシステム、ＭＰＥＧ(Moving  Picture  Experts  Group)メディアトランスポート(ＭＭＴ)システム、進化したパケットシステム(ＥＰＳ)、ＬＴＥ(Long  Term  Evolution)移動通信システム、ＬＴＥ-Ａ(Advanced)移動通信システム、高速ダウンリンクパケットアクセス(ＨＳＤＰＡ)移動通信システム、高速アップリンクパケットアクセス(ＨＳＵＰＡ)移動通信システム、３ＧＰＰ２(3rd  Generation  Project  Partnership  2)で提案された高レートパケットデータ(ＨＲＰＤ)移動通信システム、３ＧＰＰ２で提案される広帯域符号分割多重アクセス(ＷＣＤＭＡ（登録商標）)移動通信システム、３ＧＰＰ２で提案される符号分割多重アクセス(ＣＤＭＡ)移動通信システム、ＩＥＥＥ移動通信システム、モバイルインターネットプロトコル(Mobile IP)システムのような多様な通信システムに適用され得る。
【００４９】
本発明の多様な実施形態によると、ネットワークエンティティは、基地局、ｎｏｄｅＢ、ｅＮＢ、アクセスポイントのうち少なくとも一つを含む。
【００５０】
本発明は、４つの実現方式、すなわち第１の実現方式、第２の実現方式、第３の実現方式、及び第４の実現方式を含む。上記第１の実現方式、第２の実現方式、第３の実現方式、及び第４の実現方式の各々では、特定状況が考慮され、これについては後述する。
【００５１】
第１に、第１の実現方式で考慮される状況について簡略に説明する。
【００５２】
第１の実現方式において、ディスカバリ情報を送信しようとするＴＸ  Ｄ２Ｄ  ＵＥは、移動しない固定Ｄ２Ｄ  ＵＥ、例えば商業施設、レストラン、商店などであると仮定する。ディスカバリ情報は、少なくとも一つのディスカバリ情報エレメントを含むことができる。ディスカバリ情報のモニタリングを希望するＲＸ  Ｄ２Ｄ  ＵＥは移動Ｄ２Ｄ  ＵＥであると仮定する。ＴＸ  Ｄ２Ｄ  ＵＥに割り当てられる専用ディスカバリリソースは変更されないと仮定する。
【００５３】
第２に、第２の実現方式及び第３実現方式の各々で考慮される状況について簡単に説明する。
【００５４】
第２の実現方式において、ディスカバリ情報の送信を希望するＴＸ  Ｄ２Ｄ  ＵＥは固定Ｄ２Ｄ  ＵＥであると仮定する。ディスカバリ情報をモニタリングしようとするＲＸ  Ｄ２Ｄ  ＵＥは、移動Ｄ２Ｄ  ＵＥである。ＴＸ  Ｄ２Ｄ  ＵＥに割り当てられる専用ディスカバリリソースは、所定時間で有効である。
【００５５】
第３に、第３の実現方式で考慮される状況について簡単に説明する。
【００５６】
第３の実現方式において、ディスカバリ情報を送信しようとするＴＸ  Ｄ２Ｄ  ＵＥは、移動Ｄ２Ｄ  ＵＥ又は固定Ｄ２Ｄ  ＵＥであり得る。ＴＸ  Ｄ２Ｄ  ＵＥの移動状態は、ネットワークにより専用ディスカバリリソース割り当ての方式で使用されない。ディスカバリ情報をモニタリングしようとするＲＸ  Ｄ２Ｄ  ＵＥは、移動Ｄ２Ｄ  ＵＥ又は固定Ｄ２Ｄ  ＵＥであり得る。
まず、図１乃至図１０を参照して本発明の第１の実現方式について説明する。
【００５７】
本発明の一実施形態によるＤ２Ｄ方式をサポートする通信システムにおいて、ＴＸ  Ｄ２Ｄ  ＵＥに専用ディスカバリリソースを割り当てるプロセスの一例を、図１を参照して説明する。
【００５８】
図１は、本発明の一実施形態によるＤ２Ｄ方式をサポートする通信システムにおけるＴＸ  Ｄ２Ｄ  ＵＥに専用ディスカバリリソースを割り当てるプロセスの一例を概略的に示す。
【００５９】
図１を参照すると、通信システムは、ＴＸ  Ｄ２Ｄ  ＵＥ１１１と向上した(evolved)ｎｏｄｅＢ(ｅＮＢ)１１３を含む。
【００６０】
ＴＸ  Ｄ２Ｄ  ＵＥ１１１は、ステップ１１５において、無線リソース制御(ＲＲＣ)接続状態に存在せず、ＴＸ  Ｄ２Ｄ  ＵＥ１１１がディスカバリ情報を送信しようとする場合、ｅＮＢ１１３とＲＲＣ接続を確立し、ＲＲＣ接続状態へ遷移する。本発明の一実施形態において、ＲＲＣ接続状態に存在せず、ディスカバリ情報送信に関心のあるＴＸ  Ｄ２Ｄ  ＵＥ１１１は、ディスカバリ情報送信が、ＴＸ  Ｄ２Ｄ  ＵＥ１１１がとどまっているセルによりサポートされ、ディスカバリ情報送信のための共通リソースがブロードキャスティングされない場合にＲＲＣ接続を開始する。ディスカバリ情報送信は、システム情報ブロックタイプ(ＳｙｓｔｅｍＩｎｆｏｒｍａｔｉｏｎＢｌｏｃｋＴｙｐｅ１９)がセルによりブロードキャスティングされる場合にサポートされる。あるいは、ディスカバリ情報送信は、このセルによりブロードキャスティングされるＳｙｓｔｅｍＩｎｆｏｒｍａｔｉｏｎＢｌｏｃｋＴｙｐｅ１９に含まれている指示により決定される。ＴＸ  Ｄ２Ｄ  ＵＥ１１１は、ステップ１１７で、ディスカバリリソースリクエストメッセージをｅＮＢ１１３に送信する。例えば、ディスカバリリソースリクエストメッセージは、ＰｒｏＳｅ(Proximity-based Service)  ＵＥ情報メッセージであり得る。ディスカバリリソースリクエストメッセージは、ＴＸ  Ｄ２Ｄ  ＵＥ１１１のＤ２Ｄ識別子(ＩＤ)を含む。Ｄ２Ｄ  ＩＤは、ＵＥＩＤ、アプリケーションユーザーＩＤ、表現(expression)コード、又はアプリケーションＩＤ＋ユーザーＩＤであり得る。図１の説明とは異なり、ステップ１１７において、ディスカバリリソースリクエストメッセージは、ＴＸ  Ｄ２Ｄ  ＵＥ１１１のＤ２Ｄ  ＩＤを含まない場合が存在する。例えば、ＴＸ  Ｄ２Ｄ  ＵＥ１１１に割り当てられている専用ディスカバリリソースに関する情報をＲＸ  Ｄ２Ｄ  ＵＥに指示する必要がない場合、ディスカバリリソースリクエストメッセージは、ＲＸ  Ｄ２Ｄ  ＵＥ１１１１のＤ２Ｄ  ＩＤを含まない。
【００６１】
ＴＸ  Ｄ２Ｄ  ＵＥ１１１は、ディスカバリリソースリクエストメッセージを通じてＴＸ  Ｄ２Ｄ  ＵＥ１１１がディスカバリ情報を送信するためのディスカバリリソースを要求することをｅＮＢ１１３に指示できる。すなわち、ディスカバリリソースリクエストメッセージは、ディスカバリ情報を送信するためのディスカバリリソースが要求されることを表す情報を含む。
【００６２】
ＴＸ  Ｄ２Ｄ  ＵＥ１１１は、ディスカバリリソースリクエストメッセージを通じてＴＸ  Ｄ２Ｄ  ＵＥ１１１がどれくらいのディスカバリリソースを必要とするか、あるいはＴＸ  Ｄ２Ｄ  ＵＥ１１１が送信するディスカバリ情報エレメント又はディスカバリメッセージの個数をｅＮＢ１１３に指示できる。すなわち、ディスカバリリソースリクエストメッセージは、ディスカバリリソースの個数を示す情報あるいはディスカバリ情報エレメント又はディスカバリメッセージの個数を示す情報を含むことができる。
【００６３】
ＴＸ  Ｄ２Ｄ  ＵＥ１１１は、ｅＮＢ１１３にディスカバリリソースリクエストメッセージを通じてＴＸ  Ｄ２Ｄ  ＵＥ１１１がディスカバリ情報を送信する周期を指示できる。すなわち、ディスカバリリソースリクエストメッセージは、ディスカバリ情報送信周期を示す情報を含むことができる。
【００６４】
ＴＸ  Ｄ２Ｄ  ＵＥ１１１は、ｅＮＢ１１３にディスカバリリソースリクエストメッセージを通じてＴＸ  Ｄ２Ｄ  ＵＥ１１１が各ディスカバリ情報に対して該当ディスカバリリソースをどれくらい長く必要とするかを指示できる。すなわち、ディスカバリリソースリクエストメッセージはディスカバリリソース維持時間を示す情報を含むことができる。
【００６５】
ディスカバリリソースリクエストメッセージは、ディスカバリリソースリクエストインデックスを含むことができる。ＴＸ  Ｄ２Ｄ  ＵＥ１１１がディスカバリリソースリクエストメッセージで複数のディスカバリ情報送信のためのリソースを要求する場合、各要求されたリソースに対してディスカバリリソースリクエストインデックスが割り当てられる。
【００６６】
ディスカバリリソースリクエストメッセージは、ディスカバリリソースリクエストで各要求されるリソースに対する優先順位レベルを含むことができる。
【００６７】
ディスカバリリソースリクエストメッセージは、送信されるディスカバリ情報に関連した範囲クラス(range  class)を含む。一実施形態において、ディスカバリサービスインジケータが定義される。ディスカバリサービスインジケータは、ディスカバリ期間、優先順位、範囲クラス、区間のようなパラメータの値に対する集合を指示する。ディスカバリリソースリクエストメッセージは、ディスカバリリソースが要求されるディスカバリ情報送信に対応するディスカバリサービスインジケータを含むことができる。このディスカバリサービスインジケータは、別のパラメータの代わりにディスカバリリソースリクエストメッセージに含まれ得る。
【００６８】
ＴＸ  Ｄ２Ｄ  ＵＥ１１１からディスカバリリソースリクエストメッセージを受信した後に、ｅＮＢ１１３は、ステップ１１９で、ディスカバリリソースリクエストメッセージを送信するＴＸ  Ｄ２Ｄ  ＵＥ１１１が固定Ｄ２Ｄ  ＵＥであるか否かを判定する。ｅＮＢ１１３は、ディスカバリリソースリクエストメッセージを送信するＴＸ  Ｄ２Ｄ  ＵＥ１１１がこのＴＸ  Ｄ２Ｄ  ＵＥ１１１とネットワークとの間で変換されるＵＥ能力(capability)に基づいて固定Ｄ２Ｄ  ＵＥであるか否かを判定する。ＵＥ能力は、ＴＸ  Ｄ２Ｄ  ＵＥ１１１がネットワークに登録する場合、又はネットワークにより要求される場合にＴＸ  Ｄ２Ｄ  ＵＥ１１１とネットワークを変更する。ｅＮＢ１１３は、ディスカバリリソースリクエストメッセージを送信するＴＸ  Ｄ２Ｄ  ＵＥ１１１がネットワークでＵＥ加入プロファイルに基づいて固定Ｄ２Ｄ  ＵＥであるか否かを判定する。
【００６９】
あるいは、ｅＮＢ１１３は、ＴＸ  Ｄ２Ｄ  ＵＥ１１１がディスカバリリソースリクエストメッセージに含まれているＴＸ  Ｄ２Ｄ  ＵＥ１１１からの指示に従って固定Ｄ２Ｄ  ＵＥであるか否かを判定できる。
【００７０】
又は、固定Ｄ２Ｄ  ＵＥのみが、ディスカバリリソースリクエストメッセージを送信するように構成される。この場合、ディスカバリリソースリクエストメッセージがＴＸ  Ｄ２Ｄ  ＵＥ１１１から送信されることは、ＴＸ  Ｄ２Ｄ  ＵＥ１１１が固定的であることを意味する。
【００７１】
あるいは、ｅＮＢ１１３は、Ｄ２Ｄ  ＩＤに基づいてＴＸ  Ｄ２Ｄ  ＵＥ１１１が固定であるか否かを判定する。Ｄ２Ｄ  ＩＤは、ＴＸ  Ｄ２Ｄ  ＵＥ１１１が固定であるか否かを示すビットを含むことができる。すなわち、固定Ｄ２Ｄ ＵＥに割り当てられるＤ２Ｄ  ＩＤは、移動Ｄ２Ｄ  ＵＥに割り当てられるＤ２Ｄ  ＩＤと異なる。ｅＮＢ１１３は、Ｄ２Ｄ  ＩＤのタイプを確認するか、あるいはＤ２Ｄサーバに問い合わせることによってＤ２Ｄ  ＩＤを用いてＴＸ  Ｄ２Ｄ  ＵＥ１１１が固定Ｄ２Ｄ  ＵＥであるか否かを判定する。図１では、ディスカバリリソースリクエストメッセージがＴＸ  Ｄ２Ｄ  ＵＥ１１１のＤ２Ｄ  ＩＤを含むと仮定する。
【００７２】
ｅＮＢ１１３は、ＴＸ  Ｄ２Ｄ  ＵＥ１１１が固定Ｄ２Ｄ  ＵＥであると判定される場合、ステップ１１９で、ＴＸ  Ｄ２Ｄ  ＵＥ１１１に一つ以上の専用ディスカバリリソースを割り当てる。専用ディスカバリリソースは、専用ディスカバリリソースプールであり得る。ＵＥは、ディスカバリ情報送信のためのリソースをランダムに選択する。専用ディスカバリリソースは、ディスカバリリソースプール内にＴＸ  Ｄ２Ｄ  ＵＥ１１１に割り当てられるリソースを示す一つ以上のリソースインデックスを有する専用ディスカバリリソースプールであり得る。ｅＮＢ１１３は、ステップ１２３で、ディスカバリリソーステーブルを管理し、割り当てられた専用ディスカバリリソースと、専用ディスカバリリソースが割り当てられるＴＸ  Ｄ２Ｄ  ＵＥ１１１のＤ２Ｄ  ＩＤとの間のマッピング関係を格納する。複数のディスカバリリソースＤ２Ｄ  ＩＤにマッピングされ、それによってディスカバリリソーステーブルに同一のＤ２Ｄ  ＩＤに対する複数のマッピング関係が存在可能であることに注意すべきである。
【００７３】
図１に示していないが、ｅＮＢ１１３は、ＴＸ  Ｄ２Ｄ  ＵＥ１１１がディスカバリリソースに要請することが許可されるＤ２Ｄ  ＵＥであるか否かを確認する動作を実行する。ｅＮＢ１１３は、移動管理エンティティ(ＭＭＥ)から受信されるＵＥコンテキストに基づいてＴＸ  Ｄ２Ｄ  ＵＥ１１１がディスカバリリソース(又はタイプ２ディスカバリリソース）を要求することが許可されるＤ２Ｄ  ＵＥであるか否かを確認する動作を実行する。ＴＸ  Ｄ２Ｄ  ＵＥ１１１がディスカバリリソースを要求することが許可される場合、ｅＮＢ１１３は、ＴＸ  Ｄ２Ｄ  ＵＥ１１１に一つ以上のディスカバリリソースを割り当てる。
【００７４】
例えば、ＵＥコンテキストは、１)Ｄ２Ｄ  ＵＥがディスカバリリソースを要求することが許可されるか否かを示す情報、２)ディスカバリリソースがどれくらいＤ２Ｄ  ＵＥに割り当てられるかを示す情報、３)Ｄ２Ｄ  ＵＥを使用するディスカバリリソースメカニズムを示す情報、及び４）Ｄ２ＤＵＥが固定Ｄ２Ｄ  ＵＥであるか否かを示す情報のうち少なくとも一つを含む。ディスカバリリソースメカニズムは、タイプ１ディスカバリリソースメカニズムと、タイプ２ディスカバリリソースメカニズムのうちいずれか一つを含む。タイプ１(又はＵＥ自律リソース選択)ディスカバリリソースメカニズムにおいて、ＵＥは、リソースプールからリソースをランダムに選択する。複数のＴＸ  ＵＥにより選択されたリソースは、同一であり、そのため、タイプ１ディスカバリリソースメカニズムで衝突することができる。タイプ２(又は、スケジュールされたリソース割り当て)ディスカバリリソースメカニズムにおいて、ディスカバリリソースは、ネットワークによりＵＥに割り当てられる。タイプ２ディスカバリリソースメカニズムで衝突はない。
【００７５】
ｅＮＢ１１３は、ＴＸ  Ｄ２Ｄ  ＵＥ１１１がＰｒｏＳｅダイレクトディスカバリ告知に対して許可しないと判定される場合、ｅＮＢ１１３は、ディスカバリリソースリクエストメッセージを拒否し、ディスカバリリソース応答に同一のＴＸ  Ｄ２Ｄ  ＵＥ１１１を示す。この拒否は、ディスカバリリソース応答で明示的に示され得る。あるいは、ディスカバリリソースを有しないディスカバリリソース応答は、ディスカバリリソースリクエストの拒否を示すことができる。
【００７６】
ｅＮＢ１１３は、ステップ１２１において、ＴＸ  Ｄ２Ｄ  ＵＥ１１１にディスカバリリソースリクエストメッセージに対する応答メッセージとしてディスカバリリソース応答メッセージを送信する。ディスカバリリソース応答メッセージは、ＴＸ  Ｄ２Ｄ  ＵＥ１１１に割り当てられる一つ以上の専用ディスカバリリソースに関する情報を含む。例えば、ディスカバリリソース応答メッセージは、ＲＲＣ接続再構成メッセージであり得る。
【００７７】
専用ディスカバリリソース情報は、専用ディスカバリリソースプールであり得る。ここで、ＵＥは、ディスカバリ情報送信のためのリソースをランダムに選択する。専用ディスカバリリ  ソース情報は、ＴＸ  Ｄ２Ｄ  ＵＥ１１１に割り当てられるディスカバリリソースプール内のリソースを示す一つ以上のリソースインデックスを有する専用ディスカバリリソースであり得る。リソースインデックスは、時間インデックスと周波数インデックスで構成される。時間インデックスは、割り当てられたディスカバリリソースを有する無線フレーム及び/又はサブフレームを示すことができる。周波数インデックスは、割り当てられたディスカバリリソースのディスカバリ物理チャンネルインデックス又は物理無線ブロックインデックスを示す。専用ディスカバリリソースに関する情報は、関連した専用ディスカバリリソース周期(cycle)を含む。あるいは、ディスカバリリソース周期は、ネットワークによりブロードキャスティングされ、微細にシグナリングされない。ディスカバリリソース周期は、関連したディスカバリリソースが使用可能な周期を示す。
【００７８】
ディスカバリリソース周期は、ｎ＊ディスカバリリソース周期に設定できる。ここで、ｎは、ディスカバリリソース応答メッセージを通じてシグナリングされ、あるいは予め定義され得る。ｅＮＢ１１３は、ディスカバリリソース応答メッセージに割り当てられた専用ディスカバリリソースに対するディスカバリリソース割り当てインデックスを含む。ディスカバリリソース割り当てインデックスは、関連した専用ディスカバリリソースを要求するためにＴＸ  Ｄ２Ｄ  ＵＥ１１１又はｅＮＢ１１３のために使用され得る。すなわち、ｅＮＢ１１３は、ディスカバリリソースリクエストメッセージがディスカバリリソースリクエストインデックスを含む場合、ディスカバリリソース割り当てインデックスをディスカバリリソースリクエストインデックスと同一に設定する。
【００７９】
あるいは、ディスカバリリソースリクエストメッセージがディスカバリリソースリクエストインデックスを含まない場合、ｅＮＢ１１３は、ＵＥ別にディスカバリリソース割り当てインデックスを管理し、ディスカバリリソース応答メッセージにディスカバリリソース割り当てインデックスを含む。
【００８０】
あるいは、ディスカバリリソースリクエストインデックスがディスカバリリソースリクエストメッセージに含まれるか否かに関係なく、ｅＮＢ１１３は、ＵＥ別にディスカバリリソース割り当てインデックスを管理し、ディスカバリリソース応答メッセージにディスカバリリソース割り当てインデックスを含む。
【００８１】
上記と異なり、ｅＮＢ１１３は、ＴＸ  Ｄ２Ｄ  ＵＥ１１１に専用ディスカバリリソースを割り当てることでなく、競争ベースのリソースプール(又はタイプ１ＴＸリソースプール）を提供でき、あるいはＴＸ  Ｄ２Ｄ  ＵＥ１１１に専用ディスカバリリソースを提供されないこともある。
【００８２】
一方、範囲クラスがディスカバリリソースリクエストメッセージで受信される場合、ｅＮＢ１１３は、範囲クラスに従って割り当てられたディスカバリリソース(競合ベースのプール又は専用ディスカバリリソース)に対する電力パラメータを設定する。ＴＸ  Ｄ２Ｄ  ＵＥ１１１が異なるディスカバリ情報送信に対して異なる範囲クラスを通知する場合、ｅＮＢ１１３は、割り当てられたディスカバリリソース(競合ベースのプール又は専用ディスカバリリソース)の各々に対して異なる電力パラメータを設定する。範囲クラスがディスカバリリソース応答でタイプ１ＴＸリソースプールを割り当てる場合及びｅＮＢがディスカバリリソース応答でタイプ１ＴＸリソースプールを割り当てる場合、ｅＮＢは、要求される範囲クラスに対応するＴＸリソースプールを割り当て、各範囲クラスに対して個別ＴＸリソースプールを保持する。
【００８３】
あるいは、ＴＸ  Ｄ２Ｄ  ＵＥ１１１と関連した範囲クラスは、ＭＭＥから受信されるＵＥコンテキストからｅＮＢ１１３により決定され、それによってｅＮＢ１１３は、範囲クラスによりＴＸ  Ｄ２Ｄ  ＵＥ１１１に割り当てられるディスカバリリソース(競合ベースのプール又は専用ディスカバリリソース)に対する電力パラメータを設定する。ｅＮＢがディスカバリリソース応答でタイプ１ＴＸリソースプールを割り当てる場合、ｅＮＢは、要求される範囲クラスに対応するＴＸリソースプールを割り当てる。ｅＮＢは、各範囲クラスに対する個別ＴＸリソースプールを保持する。
【００８４】
又は、範囲クラスがディスカバリリソースリクエストメッセージで受信されず、あるいは範囲クラスがＵＥのコンテキストから受信されない場合、及びｅＮＢがディスカバリリソース応答でタイプ１ＴＸリソースプールを割り当てる場合、ｅＮＢは、複数のＴＸリソースプールを割り当てることができる。ｅＮＢは、各範囲クラスに対して個別ＴＸリソースプールを維持する。ＴＸ  Ｄ２Ｄ  ＵＥ１１１は、範囲クラスに従ってＴＸリソースを選択する。あるいは、ｅＮＢは、ネットワークによりサポートされる各範囲クラスに対して、範囲クラスと電力パラメータとの間でディスカバリリソース応答マッピングをブロードキャスティング又は送信することができる。ＴＸ  Ｄ２Ｄ  ＵＥは、送信しようとするディスカバリ情報に関連した許可される範囲クラス又は範囲クラスに対応する電力パラメータを選択する。図２は、本発明の一実施形態によるディスカバリ情報送信のために、ディスカバリリソース応答メッセージの受信されたディスカバリリソース構成が図１のＴＸ  Ｄ２Ｄ  ＵＥ１１１により適用及び使用される時間を概略的に示す。
【００８５】
図２を参照すると、ｅＮＢがディスカバリリソース応答メッセージをディスカバリリソース周期ｘで送信し、あるいはディスカバリリソース周期ｘでＴＸ  Ｄ２Ｄ  ＵＥがディスカバリリソース応答メッセージを受信する場合、ＴＸ  Ｄ２Ｄ  ＵＥに割り当てられる専用ディスカバリリソースの最初のインスタンスは、ディスカバリリソース周期ｘ以後のｐ番目のディスカバリリソース周期、すなわちディスカバリリソース周期ｘ＋ｐに存在する。ｐは、通信システムで固定的であり、例えば、ｐは１に設定される(ｐ＝１)。これは、ディスカバリリソースがディスカバリリソース応答に含まれる場合、次のディスカバリリソース周期からのＴＸ  Ｄ２Ｄ  ＵＥ１１１は、ディスカバリ情報送信に対してディスカバリリソース応答で示したリソースを使用することを示す。あるいは、ｐは、ディスカバリリソース応答メッセージでシグナリングされ得る。
【００８６】
図３は、本発明の他の実施形態によるディスカバリ情報送信のためにＴＸ  Ｄ２Ｄ  ＵＥ１１１によりディスカバリリソース応答メッセージの受信されたディスカバリリソース構成が適用及び使用される時間を概略的に示す。
【００８７】
図３を参照すると、ディスカバリリソース応答メッセージが受信されるサブフレーム/フレームと、ディスカバリリソース応答メッセージが受信されるディスカバリリソース周期ｘ以後の、最初のディスカバリリソース周期、すなわちディスカバリリソース周期ｘ＋１で割り当てられた専用ディスカバリリソースに対応するサブフレーム/フレームとの間の差が予め設定されたオフセットより小さい場合、ＴＸ  Ｄ２Ｄ  ＵＥに割り当てられる専用ディスカバリリソースの最初のインスタンスは、ディスカバリリソース周期ｘ＋２で存在する。この場合、オフセットは、このディスカバリリソース応答メッセージに含まれる。
【００８８】
図４は、本発明の他の実施形態によるディスカバリ情報送信のためにＴＸ  Ｄ２Ｄ  ＵＥ１１１によりディスカバリリソース応答メッセージの受信されたディスカバリリソース構成が適用及び使用される時間を概略的に示す。
【００８９】
図４を参照すると、ディスカバリリソース応答メッセージが受信されるサブフレーム/フレームと、ディスカバリリソース応答メッセージが受信されるディスカバリリソース周期ｘ以後の最初のディスカバリリソース周期、すなわちディスカバリリソース周期ｘ＋１でＴＸ  Ｄ２Ｄ  ＵＥに割り当てられる専用ディスカバリリソースに対応するサブフレーム/フレームとの間の差が予め設定されたオフセット以上である場合、ＴＸ  Ｄ２Ｄ  ＵＥに割り当てられる専用ディスカバリリソースの最初のインスタンスは、上記ディスカバリリソース周期ｘ＋１で存在する。この場合、上記オフセットは、ディスカバリリソース応答メッセージに含まれる。
【００９０】
図１を参照すると、ｅＮＢ１１３は、ＴＸ  Ｄ２Ｄ  ＵＥ１１１に割り当てられる専用ディスカバリリソースがＲＲＣアイドル状態で使用可能である。例えば、ｅＮＢ１１３は、割り当てられた専用ディスカバリリソースがＲＲＣアイドル状態で使用可能であるか否かがを示す情報をディスカバリリソース応答メッセージに含むことができる。
【００９１】
専用ディスカバリリソースをＴＸ  Ｄ２Ｄ  ＵＥ１１１に割り当てた後に、ｅＮＢ１１３は、ステップ１２５において、割り当てられる専用ディスカバリリソースに関する情報に基づいてディスカバリリソース情報をアップデートする。ディスカバリリソース情報をアップデートする動作は、ＴＸ  Ｄ２Ｄ  ＵＥ１１１に割り当てられた専用ディスカバリリソースに関する情報に基づいて選択的に実行できる。ｅＮＢ１１３は、ステップ１２５で、アップデートされたディスカバリリソース情報を、システム情報を通じてブロードキャスティングする。
【００９２】
ｅＮＢ１１３からディスカバリリソース応答メッセージを受信した後に、ＴＸ  Ｄ２Ｄ  ＵＥ１１１は、ステップ１２７において、ｅＮＢ１１３とＲＲＣ接続を解除し、ＲＲＣ接続状態からＲＲＣアイドル状態へ遷移する。ＴＸ  Ｄ２Ｄ  ＵＥ１１１は、ステップ１２９において、ＲＲＣアイドル状態で専用ディスカバリリソースを用いてディスカバリ情報を送信する。ｅＮＢ１１３は、ＴＸ  Ｄ２Ｄ  ＵＥ１１１がＲＲＣ接続を解除しても、割り当てられた専用ディスカバリリソースに関する情報を管理することに留意すべきである。
【００９３】
ＴＸ  Ｄ２Ｄ  ＵＥ１１１に専用ディスカバリリソースが割り当てられた後、ｅＮＢ１１３は、ＴＸ  Ｄ２Ｄ  ＵＥ１１１がＲＲＣ接続状態又はＲＲＣアイドル状態に存在しなければならないか否かを判定できる。ｅＮＢ１１３は、ＴＸ  Ｄ２Ｄ  ＵＥ１１１の移動状態に基づいてＴＸ  Ｄ２Ｄ  ＵＥ１１１がＲＲＣ接続状態あるいはＲＲＣアイドル状態に存在しなければならないか否かを判定できる。ｅＮＢ１１３は、ＲＲＣ接続が解除される場合、ＴＸ  Ｄ２Ｄ  ＵＥ１１１に割り当てられる専用ディスカバリリソースがＲＲＣアイドル状態で使用可能であることを示すことができる。
ＴＸ  Ｄ２Ｄ  ＵＥ１１１に割り当てられる専用ディスカバリリソースは、次のような場合のうちいずれか一つで解除され得る。
【００９４】
ａ)ＴＸ  Ｄ２Ｄ  ＵＥ１１１がパワーダウンされる。
ｂ)ＴＸ  Ｄ２Ｄ  ＵＥ１１１がＴＸ  Ｄ２Ｄ  ＵＥ１１１がこれ以上割り当てられた専用ディスカバリリソースを必要としないことをｅＮＢ１１３に通知する。
【００９５】
例えば、ＴＸ  Ｄ２Ｄ  ＵＥ１１１は、ディスカバリ情報をこれ以上送信しないと判定される場合、ｅＮＢ１１３にＴＸ  Ｄ２Ｄ  ＵＥ１１１がこれ以上割り当てられた専用ディスカバリリソースを必要としないことを通知できる。ＴＸ  Ｄ２Ｄ  ＵＥ１１１は、ｅＮＢ１１３にディスカバリリソース解除メッセージを送信し、あるいはディスカバリリソースリクエストメッセージにリソースの個数を０で示すことができる。
【００９６】
ＴＸ  Ｄ２Ｄ  ＵＥ１１１に複数の専用ディスカバリリソースが割り当てられ、ＴＸ  Ｄ２Ｄ  ＵＥ１１１が複数の専用ディスカバリリソースの一部を解除しようとする場合、ＴＸ  Ｄ２Ｄ  ＵＥ１１１は、ｅＮＢ１１３で解除しようとするディスカバリリソースの個数を通知し、あるいは解除しようとするディスカバリリソースに対するディスカバリリソース割り当てインデックスを通知する。
【００９７】
ｅＮＢ１１３がＴＸ  Ｄ２Ｄ  ＵＥ１１１に割り当てられる専用ディスカバリリソースを解除すると判定する場合、すなわちｅＮＢ開始解除の場合、あるいはｅＮＢ１１３がＴＸ  Ｄ２Ｄ  ＵＥ１１１ｈからのディスカバリリソース解除メッセージを受信する場合、ｅＮＢ１１３は、ＴＸ  Ｄ２Ｄ  ＵＥ１１１にディスカバリリソース解除メッセージ又はＲＲＣ接続再構成メッセージを送信し、ＴＸ  Ｄ２Ｄ  ＵＥ１１１に割り当てられるディスカバリリソースを解除した後、ＴＸ  Ｄ２Ｄ  ＵＥ１１１に割り当てられる既存の専用ディスカバリリソースに関する情報を送信するか、あるいは解除した専用ディスカバリリソースに関する情報を送信する。ここで、ｅＮＢ１１３は、ＴＸ  Ｄ２Ｄ  ＵＥ１１１に割り当てられる専用ディスカバリリソースの一部のみが解除される場合、ＴＸ  Ｄ２Ｄ  ＵＥ１１１に割り当てられる既存の専用ディスカバリリソースに関する情報を送信する。
【００９８】
ｅＮＢ１１３は、ＴＸ  Ｄ２Ｄ  ＵＥ１１１からリソース解除メッセージ又はＲＲＣ再構成メッセージを受信すると、ＴＸ  Ｄ２Ｄ  ＵＥ１１１に割り当てられるすべての専用ディスカバリリソースを解除する。ＴＸ  Ｄ２Ｄ  ＵＥ１１１に割り当てられる専用ディスカバリリソースＲＲＣ接続状態にのみ有効である場合、すべての専用ディスカバリリソースが解除されなければならない場合、ｅＮＢ１１３は、ＲＲＣ接続解除メッセージを送信してＴＸ  Ｄ２Ｄ  ＵＥ１１１に割り当てられるすべての専用ディスカバリリソースを解除できる。
【００９９】
専用ディスカバリリソース解除は、ディスカバリリソースリクエストメッセージを用いてＴＸ  Ｄ２Ｄ  ＵＥ１１１により指示され得る。すなわち、ディスカバリリソースリクエストメッセージは、専用ディスカバリリソースの要求、あるいは割り当てられる専用ディスカバリリソースの解除に使用できる。
【０１００】
さらに、専用ディスカバリリソース解除は、ディスカバリリソース応答メッセージを用いてｅＮＢ１１３により指示され得る。ディスカバリリソース応答メッセージは、専用ディスカバリリソースの割り当て、又は割り当てられる専用ディスカバリリソースの解除に使用できる。
【０１０１】
割り当てられた専用ディスカバリリソースがＲＲＣ接続状のみに有効である場合、あるいはすべての専用ディスカバリリソースの解除に必要である場合、ＴＸ  Ｄ２Ｄ  ＵＥ１１１は、ＲＲＣ接続解除メッセージを送信してすべての専用ディスカバリリソースを解除できる。
【０１０２】
あるいは、ＴＸ  Ｄ２Ｄ  ＵＥ１１１に割り当てられる専用ディスカバリリソースを解除した後、ｅＮＢ１１３は、解除された専用ディスカバリリソースに関する情報をディスカバリリソース情報にアップデートし、解除された専用ディスカバリリソースに関する情報を除去する。ｅＮＢ１１３は、アップデートしたディスカバリリソース情報を、システム情報を通じてブロードキャスティングする。
【０１０３】
図１が本発明の一実施形態によるＤ２Ｄ方式をサポートする通信システムでＴＸ  Ｄ２Ｄ  ＵＥに専用ディスカバリリソースを割り当てるプロセスの一例を示すが、図１に対して多様な変形が可能である。例えば、一連のオペレーションを示すが、図１の多様なオペレーションは、オーバーラップされ、並列に発生し、異なる順序で発生し、あるいは複数回発生してもよい。
【０１０４】
図１では、本発明の一実施形態によるＤ２Ｄ方式をサポートする通信システムにおいて、ＴＸ  Ｄ２Ｄ  ＵＥに専用ディスカバリリソースを割り当てるプロセスの一例を示し、本発明の一実施形態によるＤ２Ｄ方式をサポートする通信システムでＴＸ  Ｄ２Ｄ  ＵＥに専用ディスカバリリソースを割り当てるプロセスの他の例を図５に示す。
【０１０５】
図５は、本発明の一実施形態によるＤ２Ｄ方式をサポートする通信システムにおけるＴＸ  Ｄ２Ｄ  ＵＥに専用ディスカバリリソースを割り当てるプロセスの他の例を概略的に示す。
【０１０６】
図５の説明に先立って、ｅＮＢは、ＴＸ  Ｄ２Ｄ  ＵＥに専用ディスカバリリソースを独立的に割り当てる代わりに、リソースコーディネータの制御下でＴＸ  Ｄ２Ｄ  ＵＥに専用ディスカバリリソースを割り当てることができる。専用ディスカバリリソースがリソースコーディネータの制御下で割り当てられる場合、一つのセルで特定ＴＸ  Ｄ２Ｄ  ＵＥに割り当てられる専用ディスカバリリソースが他のセルで他のＴＸ  Ｄ２Ｄ  ＵＥに割り当てられないことを保証する。ここで、一つのセルで特定ＴＸ  Ｄ２Ｄ  ＵＥによりディスカバリ情報送信と他のセルで他のＴＸ  Ｄ２Ｄ  ＵＥによりディスカバリ情報送信との間の衝突は、一つのセルで特定ＴＸ  Ｄ２Ｄ  ＵＥに割り当てられる専用ディスカバリリソースが他のセルで他のＴＸ  Ｄ２Ｄ  ＵＥに割り当てられないことを保証することにより防止することができる。このリソースコーディネータは、共通専用ディスカバリリソースプールを管理してｅＮＢの専用ディスカバリリソース割り当て状態を管理できる。
【０１０７】
図５を参照すると、通信システムは、ＴＸ  Ｄ２Ｄ  ＵＥ５１１、ｅＮＢ５１３、及びリソースコーディネータ５１５を含む。
【０１０８】
ディスカバリ情報の送信を所望するＴＸ  Ｄ２Ｄ  ＵＥ５１１は、ステップ５１７において、ｅＮＢ５１３とＲＲＣ接続を確立し、ＲＲＣ接続状態に送信する。ＴＸ  Ｄ２Ｄ  ＵＥ５１１は、ステップ５１９において、ディスカバリリソースリクエストメッセージをｅＮＢ５１３に送信する。ディスカバリリソースリクエストメッセージは、ＴＸ  Ｄ２Ｄ  ＵＥ５１１のＤ２Ｄ  ＩＤを含む。Ｄ２Ｄ  ＩＤは、ＵＥ  ＩＤ、アプリケーションユーザーＩＤ、表現コード、又はアプリケーションＩＤ＋ユーザーＩＤであり得る。ディスカバリリソースリクエストメッセージは、図１を参照して説明した方式で実現され、ここでは、その説明を省略する。
【０１０９】
ＴＸ  Ｄ２Ｄ  ＵＥ５１１からディスカバリリソースリクエストメッセージを受信した後に、ｅＮＢ５１３は、ステップ５２１で、ディスカバリリソースリクエストメッセージをリソースコーディネータ５１５に送信する。ｅＮＢ５１３は、ステップ５２３において、ＴＸ  Ｄ２Ｄ  ＵＥ５１１が固定Ｄ２Ｄ  ＵＥであるか否かを判定する。ここで、ＴＸ  Ｄ２Ｄ  ＵＥ５１１が固定Ｄ２Ｄ  ＵＥであるか否かを判定する動作は、図１を参照して説明したような方式で実現され、ここではその詳細な説明を省略する。
【０１１０】
ｅＮＢ５１３からディスカバリリソースリクエストメッセージを受信した後に、リソースコーディネータ５１５は、ステップ５２５において、共通専用ディスカバリリソースプールに基づいてＴＸ  Ｄ２Ｄ  ＵＥ５１１に割り当てられる専用ディスカバリリソースを判定し、判定した専用ディスカバリリソースに関する情報を含むディスカバリリソース応答メッセージを送信する。リソースコーディネータ５１５からディスカバリリソース応答メッセージを受信した後に、ｅＮＢ５１３は、ステップ５２７において、ディスカバリリソース応答メッセージに含まれる専用ディスカバリリソースに関する情報に基づいてＴＸ  Ｄ２Ｄ  ＵＥ５１１に専用ディスカバリリソースを割り当て、割り当てられた専用ディスカバリリソースに関する情報を含むディスカバリリソース応答メッセージをＴＸ  Ｄ２Ｄ  ＵＥ５１１に送信する。ディスカバリリソース応答メッセージは、図１を参照して説明した方式で実現され、ここではその詳細な説明を省略する。
【０１１１】
ｅＮＢ５１３は、ステップ５２９において、ディスカバリリソーステーブルを管理し、割り当てられた専用ディスカバリリソースと専用ディスカバリリソースが割り当てられるＴＸ  Ｄ２Ｄ  ＵＥ５１１のＤ２Ｄ  ＩＤとの間のマッピング関係をディスカバリリソーステーブルに格納する。複数のディスカバリリソースが同一のＤ２Ｄ  ＩＤにマッピングされ、それによってディスカバリリソーステーブルに同一のＤ２Ｄ  ＩＤに対する複数のマッピング関係が存在することに留意すべきである。
【０１１２】
専用ディスカバリリソースをＴＸ  Ｄ２Ｄ  ＵＥ５１１に割り当てる後に、ｅＮＢ５１３は、ステップ５３１において、割り当てられた専用ディスカバリリソースに関する情報に基づいてディスカバリリソース情報をアップデートする。専用ディスカバリリソースをアップデートする動作は、ＴＸ  Ｄ２Ｄ  ＵＥ５１１に割り当てられる専用ディスカバリリソースに関する情報に基づいて選択的に遂行できる。ｅＮＢ５１３は、ステップ５３１において、アップデートされたディスカバリリソース情報を、システム情報を通じてブロードキャスティングする。
【０１１３】
ｅＮＢ５１３からディスカバリリソース応答メッセージを受信した後、ＴＸ  Ｄ２Ｄ  ＵＥ５１１は、ステップ５３３において、ｅＮＢ５１３とＲＲＣ接続を解除し、ＲＲＣ接続状態からＲＲＣアイドル状態へ遷移する。ＴＸ  Ｄ２Ｄ  ＵＥ５１１は、ステップ５３５において、ＲＲＣアイドル状態で専用ディスカバリリソースを用いてディスカバリ情報を送信する。ｅＮＢ５１３は、ＴＸ  Ｄ２Ｄ  ＵＥ５１１がＲＲＣ接続を解除しても、割り当てられた専用ディスカバリリソースに関する情報を管理することに注意すべきである。
【０１１４】
ＴＸ  Ｄ２Ｄ  ＵＥ５１１に専用ディスカバリリソースが割り当てられた後に、ＴＸ  Ｄ２Ｄ  ＵＥ５１１がｅＮＢ５１３でＲＲＣ接続状態又はＲＲＣアイドル状態に存在するか否かを判定する動作は、図１を参照して説明した方式で実行され、ここではその詳細な説明を省略する。
【０１１５】
ＴＸ  Ｄ２Ｄ  ＵＥ５１１に割り当てられた専用ディスカバリリソースが解除されるケースが図１に示されており、ここではその詳細な説明を省略する。
【０１１６】
図５が本発明の一実施形態によるＤ２Ｄ方式をサポートする通信システムでＴＸ  Ｄ２Ｄ  ＵＥに専用ディスカバリリソースを割り当てるプロセスの他の例を示すが、多様な変形が図５に対してなされることはもちろんである。例えば、図５には一連のオペレーションを示したが、図５の多様なオペレーションはオーバーラップされ、並列に発生し、異なる順序で発生し、あるいは複数回発生してもよい。
【０１１７】
本発明の一実施形態によるＤ２Ｄ方式をサポートする通信システムにおいてＴＸ  Ｄ２Ｄ  ＵＥに専用ディスカバリリソースを割り当てるプロセスの他の一例について図５を参照して説明する。次に、本発明の一実施形態によるＤ２Ｄ方式をサポートする通信システムにおいてＴＸ  Ｄ２Ｄ  ＵＥに専用ディスカバリリソースを割り当てるプロセスの他の例について、図６を参照して説明する。
【０１１８】
図６は、本発明の一実施形態によるＤ２Ｄ方式をサポートする通信システムにおいてＴＸ  Ｄ２Ｄ  ＵＥに専用ディスカバリリソースを割り当てるプロセスの他の例を概略的に示す。
【０１１９】
図６を参照すると、通信システムは、ＴＸ  Ｄ２Ｄ  ＵＥ６１１、ｅＮＢ６１３、及びリソースコーディネータ６１５を含む。
【０１２０】
ディスカバリ情報の送信を所望するＴＸ  Ｄ２Ｄ  ＵＥ６１１は、ステップ６１７において、ｅＮＢ６１３とＲＲＣ接続を確立し、ＲＲＣ接続状態へ遷移する。ＴＸ  Ｄ２Ｄ  ＵＥ６１１は、ステップ６１９において、ディスカバリリソースリクエストメッセージをｅＮＢ６１３に送信する。ディスカバリリソースリクエストメッセージは、ＴＸ  Ｄ２Ｄ  ＵＥ６１１のＤ２Ｄ  ＩＤを含む。Ｄ２Ｄ  ＩＤは、ＵＥ  ＩＤ、アプリケーションユーザーＩＤ、表現コード、又はアプリケーションＩＤ＋ユーザーＩＤであり得る。ディスカバリリソースリクエストメッセージは、図１を参照して説明した方式で実現することができ、ここではその詳細な説明を省略する。
【０１２１】
ＴＸ  Ｄ２Ｄ  ＵＥ６１１からディスカバリリソースリクエストメッセージを受信した後に、ｅＮＢ６１３は、ステップ６２１において、ディスカバリリソースリクエストメッセージをリソースコーディネータ６１５に送信する。ｅＮＢ６１３は、ステップ６２３において、ＴＸ  Ｄ２Ｄ  ＵＥ６１１が固定Ｄ２Ｄ  ＵＥであるか否かを判定する。ここで、ＴＸ  Ｄ２Ｄ  ＵＥ６１１が固定Ｄ２Ｄ  ＵＥであるか否かを判定する動作は、図１を参照して説明した方式で実現され、ここではその詳細な説明を省略する。
【０１２２】
ｅＮＢ６１３からディスカバリリソースリクエストメッセージを受信した後に、リソースコーディネータ６１５は、ステップ６２５において、共通専用ディスカバリリソースプールに基づいてＴＸ  Ｄ２Ｄ  ＵＥ６１１に割り当てる専用ディスカバリリソースを判定し、判定した専用ディスカバリリソースに関する情報を含むディスカバリリソース応答メッセージをｅＮＢ６１３に送信する。リソースコーディネータ６１５からディスカバリリソース応答メッセージを受信した後に、ｅＮＢ６１３は、ステップ６２７において、ディスカバリリソース応答メッセージに含まれている専用ディスカバリリソースに関する情報に基づいてＴＸ  Ｄ２Ｄ  ＵＥ６１１に専用ディスカバリリソースを割り当て、割り当てた専用ディスカバリリソースに関する情報を含むディスカバリリソース応答メッセージをＴＸ  Ｄ２Ｄ  ＵＥ６１１に送信する。ディスカバリリソース応答メッセージは、図１を参照して説明した方式で実現され、ここではその詳細な説明を省略する。
【０１２３】
リソースコーディネータ６１５は、ステップ６２９において、ディスカバリリソーステーブルを管理し、割り当てられた専用ディスカバリリソースと専用ディスカバリリソースが割り当てられるＴＸ  Ｄ２Ｄ  ＵＥ６１１のＤ２Ｄ  ＩＤとの間のマッピング関係を格納する。複数のディスカバリリソースが同一のＤ２Ｄ  ＩＤにマッピングされ、それによってディスカバリリソーステーブルに同一のＤ２Ｄ  ＩＤに対する複数のマッピング関係が存在できることに留意すべきである。
【０１２４】
専用ディスカバリリソースをＴＸ  Ｄ２Ｄ  ＵＥ６１１に割り当てた後に、ｅＮＢ６１３は、ステップ６３１において、割り当てられた専用ディスカバリリソースに関する情報に基づいてディスカバリリソース情報をアップデートする。ディスカバリリソース情報をアップデートする動作は、ＴＸ  Ｄ２Ｄ  ＵＥ６１１に割り当てられる専用ディスカバリリソースに関する情報に基づいて選択的に実行できる。ｅＮＢ６１３は、ステップ６３１において、アップデートされたディスカバリリソース情報を、システム情報を通じてブロードキャスティングされる。
【０１２５】
ｅＮＢ６１３からディスカバリリソース応答メッセージを受信した後、ＴＸ  Ｄ２Ｄ  ＵＥ６１１は、ステップ６３３で、ｅＮＢ６１３とＲＲＣ接続を解除し、ＲＲＣ接続状態からＲＲＣアイドルへ遷移する。ＴＸ  Ｄ２Ｄ  ＵＥ６１１は、ステップ６３５で、ＲＲＣアイドル状態で専用ディスカバリリソースを用いてディスカバリ情報を送信する。リソースコーディネータ６１５は、ＴＸ  Ｄ２Ｄ  ＵＥ６１１がＲＲＣ接続を解除しても、判定した専用ディスカバリリソースに関する情報を管理することに留意すべきである。
【０１２６】
ＴＸ  Ｄ２Ｄ  ＵＥ６１１に専用ディスカバリリソースが割り当てられた後、ＴＸ  Ｄ２Ｄ  ＵＥ６１１がｅＮＢ６１３でＲＲＣ接続状態又はＲＲＣアイドル状態に存在しなければならないか否かを判定する動作について、図１に示したので、ここでは、その詳細な説明を省略する。
ＴＸ  Ｄ２Ｄ  ＵＥ６１１に割り当てられる専用ディスカバリリソースが解除されるケースは図１で説明したので、ここでは、その詳細な説明を省略する。
【０１２７】
図６が本発明の一実施形態によるＤ２Ｄ方式をサポートする通信システムにおいてＴＸ  Ｄ２Ｄ  ＵＥに専用ディスカバリリソースを割り当てるプロセスの他の一例を示しても、多様な変形が図６に対してなされ得る。例えば、一連のオペレーションを示すが、図６での多様なオペレーションは、オーバーラップされ、並列に発生し、異なる順序で発生し、あるいは複数回発生してもよい。
【０１２８】
図５及び図６において、ｅＮＢは、リソースコーディネータと連動してディスカバリ情報送信の中に衝突を防止するためにＴＸ  Ｄ２Ｄ  ＵＥに専用ディスカバリリソースを割り当てるが、ｅＮＢは、ディスカバリ情報送信の中に衝突を防止するために、隣接ｅＮＢと連動してＴＸ  Ｄ２Ｄ  ＵＥに専用ディスカバリリソースを割り当てることができることは、当該技術分野における通常の知識を持つ者には明らかである。すなわち、ｅＮＢと隣接ｅＮＢが共通専用ディスカバリリソースプールを管理しなくても、ｅＮＢは、隣接ｅＮＢと相互に直接に割り当てる専用ディスカバリリソースに関する情報を共有することにより、ディスカバリ情報送信の中の衝突を防止するために、ＴＸ  Ｄ２Ｄ  ＵＥに専用ディスカバリリソースを割り当てることができる。
【０１２９】
図１、図５、及び図６において、ＴＸ  Ｄ２Ｄ  ＵＥがｅＮＢにディスカバリリソースリクエストメッセージを送信し、ｅＮＢから専用ディスカバリリソースの割り当てを場合に対して説明したが、ＴＸ  Ｄ２Ｄ  ＵＥは、ｅＮＢの代わりにサーバにディスカバリリソースリクエストメッセージを送信し、サーバから専用ディスカバリリソースを割り当てられる。これは、図７を参照して説明する。
【０１３０】
図７は、本発明の一実施形態によるＤ２Ｄ方式をサポートする通信システムでＴＸ  Ｄ２Ｄ  ＵＥに専用ディスカバリリソースを割り当てるプロセスの他の一例を概略的に示す。
【０１３１】
図７を参照すると、通信システムは、ＴＸ  Ｄ２Ｄ  ＵＥ７１１とサーバ７１３を含む。
【０１３２】
ＴＸ  Ｄ２Ｄ  ＵＥ７１１は、ステップ７１５で、サーバ７１３とＲＲＣ接続を確立し、ＲＲＣ接続状態へ遷移する。ＴＸ  Ｄ２Ｄ  ＵＥ７１１は、ステップ７１７において、ディスカバリリソースリクエストメッセージをサーバ７１３に送信する。ディスカバリリソースリクエストメッセージは、ＴＸ  Ｄ２Ｄ  ＵＥ７１１のＤ２Ｄ  ＩＤを含む。Ｄ２Ｄ  ＩＤは、ＵＥ  ＩＤ、アプリケーションユーザーＩＤ、表現コード、又はアプリケーションＩＤ＋ユーザーＩＤであり得る。ディスカバリリソースリクエストメッセージは、図を産商して説明した方式で実現され、ここではその詳細な説明を省略する。
【０１３３】
ＴＸ  Ｄ２Ｄ  ＵＥ７１１からディスカバリリソースリクエストメッセージを受信した後に、サーバ７１３は、ステップ７１９において、ＴＸ  Ｄ２Ｄ  ＵＥ７１１が固定Ｄ２Ｄ  ＵＥであるか否かを判定する。ＴＸ  Ｄ２Ｄ  ＵＥ７１１が固定Ｄ２Ｄ  ＵＥであるか否かを判定する動作は、図１を参照して説明した方式で実現されるので、ここではその詳細な説明を省略する。ＴＸ  Ｄ２Ｄ  ＵＥ７１１が固定Ｄ２Ｄ  ＵＥであると判定される場合、サーバ７１３は、ステップ７２１において、ＴＸ  Ｄ２Ｄ  ＵＥ７１１に専用ディスカバリリソースを割り当て、割り当てられた専用ディスカバリリソースに関する情報を含むディスカバリリソース応答メッセージをＴＸ  Ｄ２Ｄ  ＵＥ７１１に送信する。ディスカバリリソース応答メッセージは、図１を参照して説明した方式で実現され、ここではその詳細な説明を省略する。
【０１３４】
サーバ７１３は、ステップ７２３において、ディスカバリリソーステーブルを管理し、割り当てられた専用ディスカバリリソースと専用ディスカバリリソースが割り当てられるＴＸ  Ｄ２Ｄ  ＵＥ７１１のＤ２Ｄ  ＩＤとの間のマッピング関係をディスカバリリソーステーブルに格納する。同一のＤ２Ｄ  ＩＤに対して複数のディスカバリリソースがマッピングされ、それによってディスカバリリソーステーブルに同一のＤ２Ｄ  ＩＤに対する複数のマッピング関係が存在できることに留意すべきである。
【０１３５】
専用ディスカバリリソースをＴＸ  Ｄ２Ｄ  ＵＥ７１１に割り当てた後、サーバ７１３は、ステップ７２５において、割り当てられた専用ディスカバリリソースに関する情報に基づいてディスカバリリソース情報をアップデートする。ディスカバリリソース情報をアップデートする動作は、ＴＸ  Ｄ２Ｄ  ＵＥ７１１に割り当てられる専用ディスカバリリソースに関する情報に基づいて選択的に実行できる。サーバ７１３は、ステップ７２５において、アップデートされたディスカバリリソース情報を、システム情報を通じてブロードキャスティングする。
【０１３６】
サーバ７１３からディスカバリリソース応答メッセージを受信した後、ＴＸ  Ｄ２Ｄ  ＵＥ７１１は、ステップ７２７において、サーバ７１３とＲＲＣ接続を解除し、ＲＲＣ接続状態からＲＲＣアイドル状態へ遷移する。ＴＸ  Ｄ２Ｄ  ＵＥ７１１は、ステップ７２９において、ＲＲＣアイドル状態で専用ディスカバリリソースを用いてディスカバリ情報を送信する。サーバ７１３は、ＴＸ  Ｄ２Ｄ  ＵＥ７１１がＲＲＣ接続を解除しても、割り当てられた専用ディスカバリリソースに関する情報を管理することに留意すべきである。
【０１３７】
ＴＸ  Ｄ２Ｄ  ＵＥ７１１に専用ディスカバリリソースが割り当てられた後、ＴＸ  Ｄ２Ｄ  ＵＥ７１１がサーバ７１３でＲＲＣ接続状態又はＲＲＣアイドル状態に存在しなければならないか否かを判定する動作は、図１を参照して説明した方式で遂行され、ここではその詳細な説明を省略する。
ＴＸ  Ｄ２Ｄ  ＵＥ７１１に割り当てられる専用ディスカバリリソースが解除されるケースについて図１で説明するので、ここではその詳細な説明を省略する。
【０１３８】
図７が本発明の一実施形態によるＤ２Ｄ方式をサポートする通信システムにおいてＴＸ  Ｄ２Ｄ  ＵＥに専用ディスカバリリソースを割り当てるプロセスの他の例を示すが、多様な変形が図７に対してなされ得る。例えば、一連のオペレーションとして示すが、図７の多様なオペレーションは、オーバーラップ、並列に発生し、異なる順序で発生し、又は複数回発生してもよい。
【０１３９】
図１乃至図７を参照して、本発明の一実施形態によるＤ２Ｄ方式をサポートする通信システムにおいてＴＸ  Ｄ２Ｄ  ＵＥに専用ディスカバリリソースを割り当てるプロセスについて説明する。図８乃至図１０を参照して、本発明の一実施形態によるＤ２Ｄ方式をサポートする通信システムにおいてＲＸ  Ｄ２Ｄ  ＵＥに専用ディスカバリリソースに関する情報を提供するプロセスについて説明する。
【０１４０】
まず、図８を参照して、本発明の一実施形態によるＤ２Ｄ方式をサポートする通信システムにおいてＲＸ  Ｄ２Ｄ  ＵＥに専用ディスカバリリソースに関する情報を提供するプロセスの一例について説明する。
【０１４１】
図８は、本発明の一実施形態によるＤ２Ｄ方式をサポートする通信システムにおいてＲＸ  Ｄ２Ｄ  ＵＥに専用ディスカバリリソースに関する情報を提供するプロセスの一例を概略的に示す。
【０１４２】
図８を参照すると、通信システムは、ＲＸ  Ｄ２Ｄ  ＵＥ８１１とｅＮＢ８１３を含む。
【０１４３】
ｅＮＢ８１３は、ステップ８１５において、ＴＸ  Ｄ２Ｄ  ＵＥ(図８に図示せず)に専用ディスカバリリソースを割り当て、割り当てられた専用ディスカバリリソースに関する情報をブロードキャスティングする。例えば、割り当てられた専用ディスカバリリソースに関する情報は、システム情報を通じてブロードキャスティングされる。ステップ８１５は、ｅＮＢ８１３により選択的に遂行され得る。
【０１４４】
ＴＸ  Ｄ２Ｄ  ＵＥ８１１により送信されるディスカバリ情報をモニタリングすることに関心のあるＲＸ  Ｄ２Ｄ  ＵＥ８１１は、ステップ８１９において、ｅＮＢ８１３とＲＲＣ接続を確立し、ＲＲＣ接続状態へ遷移する。ＲＸ  Ｄ２Ｄ  ＵＥ８１１は、ステップ８２１において、ｅＮＢ８１３にディスカバリリソースリクエストメッセージを送信する。ＲＸ  Ｄ２Ｄ  ＵＥ８１１は、ＲＸ  Ｄ２Ｄ  ＵＥ８１１がモニタリングを所望するＴＸ  Ｄ２Ｄ  ＵＥのＤ２Ｄ  ＩＤを上記ディスカバリリソースリクエストメッセージに含める。Ｄ２Ｄ  ＩＤは、ＵＥ  ＩＤ、アプリケーションユーザーＩＤ、表現コード、又はアプリケーションＩＤ＋ユーザーＩＤであり得る。ＲＸ  Ｄ２Ｄ  ＵＥ８１１は、ＲＸ  Ｄ２Ｄ  ＵＥ８１１がＴＸ  Ｄ２Ｄ  ＵＥが送信するディスカバリ情報を受信する専用ディスカバリリソースを要求することを通知できる。ＲＸ  Ｄ２Ｄ  ＵＥ８１１は、ディスカバリリソースリクエストメッセージにＤ２Ｄ  ＩＤの一部、例えばアプリケーションＩＤ、又はＤ２Ｄカテゴリを含むことができる。
【０１４５】
以上、ＲＸ  Ｄ２Ｄ  ＵＥ８１１は、ｅＮＢ８１３が専用ディスカバリリソースを任意のＴＸ  Ｄ２Ｄ  ＵＥに割り当てられることを検出せずにＲＲＣ接続を確立し、ｅＮＢ８１３にディスカバリリソースリクエストメッセージを送信するケースについて説明した。
【０１４６】
あるいは、ＲＸ  Ｄ２Ｄ  ＵＥ８１１は、ステップ８１７において、ｅＮＢ８１３が任意のＴＸ  Ｄ２Ｄ  ＵＥに専用ディスカバリリソースを割り当てられたことを検出する場合、ステップ８１９においてディスカバリリソースリクエストメッセージを送信する。ＲＸ  Ｄ２Ｄ  ＵＥ８１１は、ｅＮＢ８１３によりブロードキャスティングされるリソース割り当て情報からｅＮＢ８１３が任意のＴＸ  Ｄ２Ｄ  ＵＥに専用ディスカバリリソースを割り当てるか否かを検出できる。ブロードキャスティングされるリソース割り当て情報は、任意の専用ディスカバリリソースが任意のＴＸ  Ｄ２Ｄ  ＵＥに割り当てられるか否かを示す情報を含む。
【０１４７】
ＲＸ  Ｄ２Ｄ  ＵＥ８１１からディスカバリリソースリクエストメッセージを受信する場合、ｅＮＢ８１３は、ステップ８２３において、ディスカバリリソーステーブルを確認し、ディスカバリリソースリクエストメッセージに含まれるＤ２Ｄ  ＩＤ、すなわちＴＸ  Ｄ２Ｄ  ＵＥのＤ２Ｄ  ＩＤに対する専用ディスカバリリソースが割り当てられるか否かを判定する。専用ディスカバリリソースがディスカバリリソースリクエストメッセージに含まれるＤ２Ｄ  ＩＤに対応するＴＸ  Ｄ２Ｄ  ＵＥに割り当てられる場合、ｅＮＢ８１３は、ステップ８２５において、ＴＸ  Ｄ２Ｄ  ＵＥに割り当てられる専用ディスカバリリソースに関するリソース割り当て情報を含むディスカバリリソース応答メッセージをＲＸ  Ｄ２Ｄ  ＵＥ８１１に送信する。
【０１４８】
ｅＮＢ８１３からディスカバリリソース応答メッセージを受信した後、ＲＸ  Ｄ２Ｄ  ＵＥ８１１は、ステップ８２７において、ｅＮＢ８１３とＲＲＣ接続を解除し、ＲＲＣアイドルア様態へ遷移する。ＲＸ  Ｄ２Ｄ  ＵＥ８１１は、ステップ８２９において、ＲＲＣアイドル状態でディスカバリリソース応答メッセージに含まれるリソース割り当て情報に対応する専用ディスカバリリソースを通じてＴＸ  Ｄ２Ｄ  ＵＥが送信するディスカバリ情報を受信する。
【０１４９】
ＲＸ  Ｄ２Ｄ  ＵＥ８１１は、ＲＸ  Ｄ２Ｄ  ＵＥ８１１によりリソース割り当て情報を既に獲得したＴＸ  Ｄ２Ｄ  ＵＥに割り当てられる専用ディスカバリリソースに関するリソース割り当て情報を検出するために、同一のｅＮＢ、すなわちｅＮＢ８１３にディスカバリリソースリクエストメッセージを送信する必要がない。
【０１５０】
ＲＸ  Ｄ２Ｄ  ＵＥ８１１は、新たなｅＮＢに移動する場合、ｅＮＢ８１３と異なる新たなｅＮＢにディスカバリリソースリクエストメッセージを送信し、あるいはディスカバリリソース情報がアップデートされる場合にディスカバリリソースリクエストメッセージをｅＮＢ８１３に送信することができる。
【０１５１】
図８に示していないが、専用ディスカバリリソースがディスカバリリソースリクエストメッセージに含まれるＤ２Ｄ  ＩＤに対応するＴＸ  Ｄ２Ｄ  ＵＥに割り当てられない場合、ｅＮＢ８１３は、専用ディスカバリリソースがＴＸ  Ｄ２Ｄ  ＵＥに割り当てられないことを示す情報をＲＸ  Ｄ２Ｄ  ＵＥ８１１に送信できる。ＲＸ  Ｄ２Ｄ  ＵＥ８１１は、ｅＮＢ８１３とＲＲＣ接続を解除し、ＲＲＣアイドル状態に遷移する。
【０１５２】
図８が本発明の一実施形態によるＤ２Ｄ方式をサポートする通信システムにおいてＲＸ  Ｄ２Ｄ  ＵＥに専用ディスカバリソースに関する情報をＲＸ  Ｄ２Ｄ  ＵＥに送信するプロセスの一例を示すが、多様な変形が図８に対してなされ得る。例えば、一連のオペレーションとして示すが、図８の多様なオペレーションは、オーバーラップされ、並列に発生し、異なる順序で発生し、あるいは複数回発生してもよい。
【０１５３】
図８を参照して、本発明の一実施形態によるＤ２Ｄ方式をサポートする通信システムにおいてＴＸ  Ｄ２Ｄ  ＵＥに専用ディスカバリリソースに関する情報を提供するプロセスの一例について説明する。本発明の一実施形態によるＤ２Ｄ方式をサポートする通信システムにおいてＲＸ  Ｄ２Ｄ  ＵＥに専用ディスカバリリソースに関する情報を提供するプロセスの他の例について、図９を参照して説明する。
【０１５４】
図９は、本発明の一実施形態によるＤ２Ｄ方式をサポートする通信システムにおいてＲＸ  Ｄ２Ｄ  ＵＥに専用ディスカバリリソースに関する情報を提供するプロセスの他の例を概略的に示す。
図９を参照すると、通信システムは、ＲＸ  Ｄ２Ｄ  ＵＥ９１１、ｅＮＢ９１３、及びリソースコーディネータ９１５を含む。
【０１５５】
ｅＮＢ９１３は、ステップ９１７において、ＴＸ  Ｄ２Ｄ  ＵＥ(図９に図示せず)に専用ディスカバリリソースを割り当て、割り当てられた専用ディスカバリリソースに関する情報をブロードキャスティングする。例えば、割り当てられた専用ディスカバリリソースに関する情報は、システム情報を通してブロードキャスティングする。
【０１５６】
ＴＸ  Ｄ２Ｄ  ＵＥにより送信されるディスカバリ情報をモニタリングすることに関心のあるＲＸ  Ｄ２Ｄ  ＵＥ９１１は、ステップ９２１において、ｅＮＢ９１３とＲＲＣ接続を確立し、ＲＲＣ接続状態へ遷移する。ＲＸ  Ｄ２Ｄ  ＵＥ９１１は、ステップ９２３において、ｅＮＢ９１３にディスカバリリソースリクエストメッセージを送信する。ＲＸ  Ｄ２Ｄ  ＵＥ９１１は、ＲＸ  Ｄ２Ｄ  ＵＥ９１１がモニタリングを希望するＴＸ  Ｄ２Ｄ  ＵＥのＤ２Ｄ  ＩＤをディスカバリリソースリクエストメッセージに含める。Ｄ２Ｄ  ＩＤは、ＵＥ  ＩＤ、アプリケーションユーザーＩＤ、表現コード、又はアプリケーションＩＤ＋ユーザーＩＤであり得る。ＲＸ  Ｄ２Ｄ  ＵＥ９１１は、ＲＸ  Ｄ２Ｄ  ＵＥ９１１がＴＸ  Ｄ２Ｄ  ＵＥが送信するディスカバリ情報を受信するための専用ディスカバリリソースを要求することを通知できる。ＲＸ  Ｄ２Ｄ  ＵＥ９１１は、ディスカバリリソースリクエストメッセージにＤ２Ｄ  ＩＤの一部、例えばアプリケーションＩＤ、又はＤ２Ｄカテゴリを含むことができる。
【０１５７】
ＲＸ  Ｄ２Ｄ  ＵＥ９１１は専用ディスカバリリソースを割り当てられることを検出することなくＲＲＣ接続を確立し、ＴＸ  Ｄ２Ｄ  ＵＥは、ｅＮＢ９１３にディスカバリリソースリクエストメッセージを送信するケースについて以上に説明した。
【０１５８】
あるいは、ＲＸ  Ｄ２Ｄ  ＵＥ９１１は、ステップ９１９で、ｅＮＢ９１３が任意のＴＸ  Ｄ２Ｄ  ＵＥに専用ディスカバリリソースを割り当てることを検出する場合にのみ、ステップ９２１で、ディスカバリリソースリクエストメッセージを送信することができる。ＲＸ  Ｄ２Ｄ  ＵＥ９１１は、ｅＮＢ９１３によりブロードキャスティングされるリソース割り当て情報からｅＮＢ９１３が任意のＴＸ  Ｄ２Ｄ  ＵＥに専用ディスカバリリソースを割り当てるか否かを検出できる。この場合、ステップ９１７は、選択的でない。ブロードキャスティングされたリソース割り当て情報は、任意の専用ディスカバリリソースが任意のＴＸ  Ｄ２Ｄ  ＵＥに割り当てられるか否かを示す情報を含む。
【０１５９】
ＲＸ  Ｄ２Ｄ  ＵＥ９１１からディスカバリリソースリクエストメッセージを受信する場合、ｅＮＢ９１３は、ステップ９２５において、ディスカバリリソースリクエストメッセージをリソースコーディネータ９１５に送信する。ｅＮＢ９１３からディスカバリリソースリクエストメッセージを受信すると、リソースコーディネータ９１５は、ステップ９２７において、ディスカバリリソーステーブルを検査し、専用ディスカバリリソースがディスカバリリソースリクエストメッセージに含まれているＤ２Ｄ  ＩＤ、すなわちＴＸ  Ｄ２Ｄ  ＵＥのＤ２Ｄ  ＩＤに対して割り当てられるか否かを判定する。ディスカバリリソースリクエストメッセージに含まれているＤ２Ｄ  ＩＤに対応するＴＸ  Ｄ２Ｄ  ＵＥに対して専用ディスカバリリソースが割り当てられる場合、リソースコーディネータ９１５は、ステップ９２９において、ＴＸ  Ｄ２Ｄ  ＵＥに割り当てられる専用ディスカバリリソースに関するリソース割り当て情報を含むディスカバリリソース応答メッセージをｅＮＢ９１３に送信する。
【０１６０】
リソースコーディネータ９１５からディスカバリリソース応答メッセージを受信した後に、ｅＮＢ９１３は、ステップ９３１において、ＲＸ  Ｄ２Ｄ  ＵＥ９１１にディスカバリリソース応答メッセージを送信する。ｅＮＢ９１３からディスカバリリソース応答メッセージを受信した後、ＲＸ  Ｄ２Ｄ  ＵＥ９１１は、ステップ９３３において、ｅＮＢ９１３とＲＲＣ接続を解除し、ＲＲＣアイドル状態を遷移する。ＲＸ  Ｄ２Ｄ  ＵＥ９１１は、ステップ９３５において、ＲＲＣアイドル状態でディスカバリリソース応答メッセージに含まれるリソース割り当て情報に対応する専用ディスカバリリソースを通じてＴＸ  Ｄ２Ｄ  ＵＥが送信するディスカバリ情報を受信する。
【０１６１】
ＲＸ  Ｄ２Ｄ  ＵＥ９１１は、リソース割り当て情報がＲＸ  Ｄ２Ｄ  ＵＥ９１１により既に獲得されたＴＸ  Ｄ２Ｄ  ＵＥに割り当てられる専用ディスカバリリソースに関するリソース割り当て情報を検出するために、同一のｅＮＢ、すなわちｅＮＢ９１３にディスカバリリソースリクエストメッセージを送信する必要はない。
【０１６２】
ＲＸ  Ｄ２Ｄ  ＵＥ９１１は、新たなｅＮＢに移動する場合にｅＮＢ９１３と異なる新たなｅＮＢにディスカバリリソースリクエストメッセージを送信するか、あるいはディスカバリリソース情報がアップデートされる場合、ディスカバリリソースリクエストメッセージをｅＮＢ９１３に送信できる。
【０１６３】
図９に示していないが、専用ディスカバリリソースがディスカバリリソースリクエストメッセージに含まれているＤ２Ｄ  ＩＤに対応するＴＸ  Ｄ２Ｄ  ＵＥに割り当てられない場合、リソースコーディネータ９１５は、専用ディスカバリリソースがＴＸ  Ｄ２Ｄ  ＵＥに割り当てられないことを表す情報をＲＸ  Ｄ２Ｄ  ＵＥ９１１に送信できる。ＲＸ  Ｄ２Ｄ  ＵＥ９１１は、ｅＮＢ９１３とＲＲＣ接続を解除し、ＲＲＣアイドル状態に遷移する。
【０１６４】
図９が本発明の一実施形態によるＤ２Ｄ方式をサポートする通信システムにおいてＴＸ  Ｄ２Ｄ  ＵＥに専用ディスカバリリソースに関する情報を提供するプロセスの他の実施形態を示すが、多様な変形が図９でなされる。例えば、一連のオペレーションとして示すが、図９で多様なオペレーションがオーバーラップされ、並列に発生し、異なる順序で発生し、あるいは複数回発生できる。
【０１６５】
図９を参照して、本発明の一実施形態によるＤ２Ｄ方式をサポートする通信システムにおいて、専用ディスカバリリソースに関する情報をＲＸ  Ｄ２Ｄ  ＵＥに提供するプロセスの他の例について説明する。図１０を参照して、本発明の一実施形態によるＤ２Ｄ方式をサポートする通信システムにおいて、専用ディスカバリリソースに関する情報をＲＸ  Ｄ２Ｄ  ＵＥに提供するプロセスの他の例について説明する。
【０１６６】
図１０は、本発明の一実施形態によるＤ２Ｄ方式をサポートする通信システムにおいて専用ディスカバリリソースに関する情報をＲＸ  Ｄ２Ｄ  ＵＥに提供するプロセスの他の例を概略的に示す。
【０１６７】
図１０を参照すると、通信システムは、ＲＸ  Ｄ２Ｄ  ＵＥ１０１１とサーバ１０１３を含む。
【０１６８】
サーバ１０１３は、ステップ１０１５において、ＴＸ  Ｄ２Ｄ  ＵＥ(図１０に図示せず)に専用ディスカバリリソースを割り当て、割り当てられた専用ディスカバリリソースに関する情報をブロードキャスティングする。例えば、割り当てられた専用ディスカバリリソースに関する情報は、システム情報を通じてブロードキャスティングされる。この場合、ステップ１０１５は選択的である。
【０１６９】
ＴＸ  Ｄ２Ｄ  ＵＥにより送信されるディスカバリ情報をモニタリングすることに関心のあるＲＸ  Ｄ２Ｄ  ＵＥ１０１１は、ステップ１０１９において、サーバ１０１３とＲＲＣ接続を確立し、ＲＲＣ接続状態へ遷移する。ＲＸ  Ｄ２Ｄ  ＵＥ１０１１は、ステップ１０２１において、サーバ１０１３へディスカバリリソースリクエストメッセージを送信する。ＲＸ  Ｄ２Ｄ  ＵＥ１０１１は、モニタリングを希望するＴＸ  Ｄ２Ｄ  ＵＥのＤ２Ｄ  ＩＤをディスカバリリソースリクエストメッセージに含む。Ｄ２Ｄ  ＩＤは、ＵＥ  ＩＤ、アプリケーションユーザーＩＤ，表現コード、又はアプリケーションＩＤ＋ユーザーＩＤであり得る。ＲＸ  Ｄ２Ｄ  ＵＥ１０１１は、ＴＸ  Ｄ２Ｄ  ＵＥが送信するディスカバリ情報を受信するための専用ディスカバリリソースを要求することを通知することができる。ＲＸ  Ｄ２Ｄ  ＵＥ１０１１は、ディスカバリリソースリクエストメッセージにＤ２Ｄ  ＩＤの一部、例えばアプリケーションＩＤ、又はＤ２Ｄカテゴリを含むことができる。
【０１７０】
以上に、ＲＸ  Ｄ２Ｄ  ＵＥ１０１１は、サーバ１０１３が任意のＴＸ  Ｄ２Ｄ-ＵＥに専用ディスカバリリソースを割り当てることを検出することなく、ＲＲＣ接続を確立し、サーバ１０１３にディスカバリリソースリクエストメッセージを送信するケースについて説明する。
【０１７１】
あるいは、ＲＸ  Ｄ２Ｄ  ＵＥ１０１１は、サーバ１０１３がステップ１０１７で任意のＴＸ  Ｄ２Ｄ  ＵＥに専用ディスカバリリソースの割り当てを検出する場合のみに、ステップ１０１９において、ディスカバリリソースリクエストメッセージを送信する。ＲＸ  Ｄ２Ｄ  ＵＥ１０１１は、サーバ１０１３によりブロードキャスティングされるリソース割り当て情報から、サーバ１０１３が任意のＴＸ  Ｄ２Ｄ  ＵＥに専用ディスカバリリソースを割り当てるか否かを検出できる。この場合、ステップ１０１５は、選択的でない。ブロードキャスティングされるリソース割り当て情報は、任意の専用ディスカバリリソースが任意のＴＸ  Ｄ２Ｄ  ＵＥに割り当てられるか否かを示す情報を含む。
【０１７２】
ＲＸ  Ｄ２Ｄ  ＵＥ１０１１からディスカバリリソースリクエストメッセージを受信する場合、サーバ１０１３は、ステップ１０２３において、ディスカバリリソーステーブルを確認し、専用ディスカバリリソースがディスカバリリソースリクエストメッセージに含まれているＤ２Ｄ  ＩＤ、すなわちＴＸ  Ｄ２Ｄ  ＵＥのＤ２Ｄ  ＩＤに対して割り当てられるか否かを判定する。専用ディスカバリリソースがディスカバリリソースリクエストメッセージに含まれているＤ２Ｄ  ＩＤに対応するＴＸ  Ｄ２Ｄ  ＵＥに専用ディスカバリリソースが割り当てられる場合、サーバ１０１３は、ステップ１０２５において、ＴＸ  Ｄ２Ｄ  ＵＥに割り当てられる専用ディスカバリリソースに対するリソース割り当て情報を含むディスカバリリソース応答メッセージをＲＸ  Ｄ２Ｄ  ＵＥ１０１１に送信する。
【０１７３】
サーバ１０１３からディスカバリリソース応答メッセージを受信した後、ＲＸ  Ｄ２Ｄ  ＵＥ１０１１は、ステップ１０２７において、サーバ１０１３とＲＲＣ接続を解除し、ＲＲＣアイドル状態に遷移する。ＲＸ  Ｄ２Ｄ  ＵＥ１０１１は、ステップ１０２９において、ＲＲＣアイドル状態でディスカバリリソース応答メッセージに含まれるリソース割り当て情報に対応する専用ディスカバリリソースを通じてＴＸ  Ｄ２Ｄ  ＵＥが送信するディスカバリ情報を受信する。
【０１７４】
ＲＸ  Ｄ２Ｄ  ＵＥ１０１１は、ＲＸ  Ｄ２Ｄ  ＵＥ１０１１により既にリソース割り当て情報を獲得したＴＸ  Ｄ２Ｄ  ＵＥに割り当てられる専用ディスカバリリソースに関するリソース割り当て情報を検出するために、同一のサーバ、すなわちサーバ１０１３にディスカバリリソースリクエストメッセージを再送信する必要はない。
【０１７５】
ＲＸ  Ｄ２Ｄ  ＵＥ１０１１は、ＲＸ  Ｄ２Ｄ  ＵＥ２０１１が新たなサーバに移動する場合にサーバ１０１３と異なる新たなサーバにディスカバリリソースリクエストメッセージを送信するか、あるいはディスカバリリソース情報がアップデートされる場合にディスカバリリソースリクエストメッセージをサーバ１０１３に送信することができる。
【０１７６】
図１０に示していないが、専用ディスカバリリソースがディスカバリリソースリクエストメッセージに含まれるＤ２Ｄ  ＩＤに対応するＴＸ  Ｄ２Ｄ  ＵＥに対して割り当てられない場合、サーバ１０１３は、ＴＸ  Ｄ２Ｄ  ＵＥに専用ディスカバリリソースが割り当てられないことを示す情報をＲＸ  Ｄ２Ｄ  ＵＥ１０１１に送信できる。ＲＸ  Ｄ２Ｄ  ＵＥ１０１１は、サーバ１０１３とＲＲＣ接続を解除し、ＲＲＣアイドル状態に遷移する。
【０１７７】
図１０が本発明の一実施形態によるＤ２Ｄ方式をサポートする通信システムにおいて専用ディスカバリリソースに関する情報をＲＸ  Ｄ２Ｄ  ＵＥに提供するプロセスの他の例を示すが、多様なオペレーションが図１０に対してなされ得る。例えば、一連のオペレーションを示すが、図１０で多様なオペレーションがオーバーラップされ、並列に発生し、異なる順序で発生し、あるいは複数回発生してもよい。
【０１７８】
図１乃至図１０を参照して本発明の第１の実現方式について説明し、図１１乃至図１７を参照して本発明の第２の実現方式について説明する。
【０１７９】
図１１を参照して、本発明の一実施形態によるＤ２Ｄ方式をサポートする通信システムにおいてＴＸ  Ｄ２Ｄ  ＵＥに専用ディスカバリリソースを割り当てるプロセスの他の例について説明する。
【０１８０】
図１１は、本発明の一実施形態によるＤ２Ｄ方式をサポートする通信システムにおいてＴＸ  Ｄ２Ｄ  ＵＥに専用ディスカバリリソースを割り当てるプロセスの他の例を概略的に示す。
【０１８１】
図１１を参照すると、通信システムは、ＴＸ  Ｄ２Ｄ  ＵＥ１１１１、ｅＮＢ１１１３、及びＲＸ  Ｄ２Ｄ  ＵＥ１１１５を含む。
【０１８２】
ＴＸ  Ｄ２Ｄ  ＵＥ１１１１がＲＲＣ接続状態でなく、ディスカバリ情報の送信を所望する場合、ＴＸ  Ｄ２Ｄ  ＵＥ１１１１は、ステップ１１１７において、ｅＮＢ１１１３とＲＲＣ接続を成立し、ＲＲＣ接続状態へ遷移する。本発明の一実施形態において、ＴＸ  Ｄ２Ｄ  ＵＥ１１１１がＲＲＣ接続状態でなく、ディスカバリ情報送信に関心がある場合、ＴＸ  Ｄ２Ｄ  ＵＥ１１１１は、ディスカバリ情報送信がＴＸ  Ｄ２Ｄ  ＵＥ１１１１がとどまるセルによりサポートされ、ディスカバリ情報送信用共通リソースがブロードキャスティングされない場合にＲＲＣ接続確立を開始する。このディスカバリ情報送信は、ＳｙｓｔｅｍＩｎｆｏｒｍａｔｉｏｎＢｌｏｃｋＴｙｐｅ１９がセルによりブロードキャスティングされる場合にサポートされる。あるいは、ディスカバリ情報送信がセルでサポートされるか否かは、セルによりブロードキャスティングされるＳｙｓｔｅｍＩｎｆｏｒｍａｔｉｏｎＢｌｏｃｋＴｙｐｅ１９で指示により判定される。ＴＸ  Ｄ２Ｄ  ＵＥ１１１１は、ステップ１１１９において、ｅＮＢ１１１３にディスカバリリソースリクエストメッセージを送信する。例えば、ディスカバリリソースリクエストメッセージは、ＴＸ  Ｄ２Ｄ  ＵＥ１１１１のＤ２Ｄ  ＩＤを含む。Ｄ２Ｄ  ＩＤは、ＵＥ  ＩＤ、アプリケーションユーザーＩＤ、表現コード、又はアプリケーションＩＤ＋ユーザーＩＤであり得る。図１１の説明とは異なり、ディスカバリリソースリクエストメッセージがＴＸ  Ｄ２Ｄ  ＵＥ１１１１のＤ２Ｄ  ＩＤを含まないケースもある。例えば、ＴＸ  Ｄ２Ｄ  ＵＥ１１１１に割り当てられる専用ディスカバリリソースに関する情報をＲＸ  Ｄ２Ｄ  ＵＥに示す必要がない場合、ディスカバリリソースリクエストメッセージは、ＴＸ  Ｄ２Ｄ  ＵＥ１１１１用Ｄ２Ｄ  ＩＤを含まない。
【０１８３】
ＴＸ  Ｄ２Ｄ  ＵＥ１１１１は、ディスカバリリソースリクエストメッセージを通じてＴＸ  Ｄ２Ｄ  ＵＥ１１１１がディスカバリ情報を送信するためのディスカバリリソースを要求することをｅＮＢ１１１３に指示できる。すなわち、ディスカバリリソースリクエストメッセージは、ディスカバリ情報送信用ディスカバリリソースが要求されることを示す情報を含むことができる。
【０１８４】
ＴＸ  Ｄ２Ｄ  ＵＥ１１１１は、ｅＮＢ１１１３にディスカバリリソースリクエストメッセージを通じてＴＸ  Ｄ２Ｄ  ＵＥ１１１１がどれくらい多くディスカバリリソースを要求するか、あるいはＴＸ  Ｄ２Ｄ  ＵＥ１１１１が送信するディスカバリ情報エレメント又はディスカバリメッセージの個数を示すことができる。すなわち、ディスカバリリソースリクエストメッセージは、ディスカバリリソースの個数を表す情報、あるいはディスカバリ情報エレメントの個数を表す情報を含むことができる。
【０１８５】
ＴＸ  Ｄ２Ｄ  ＵＥ１１１１は、ｅＮＢ１１１３にディスカバリリソースリクエストメッセージを通じてＴＸ  Ｄ２Ｄ  ＵＥ１１１１がディスカバリ情報を送信する期間を指示する。すなわち、ディスカバリリソースリクエストメッセージは、ディスカバリリソース送信期間を表す情報を含むことができる。
【０１８６】
ＴＸ  Ｄ２Ｄ  ＵＥ１１１１は、ｅＮＢ１１１３にディスカバリリソースリクエストメッセージを通じてＴＸ  Ｄ２Ｄ  ＵＥ１１１１が各ディスカバリ情報に対して該当ディスカバリリソースをどれくらい長く必要とするかを指示できる。すなわち、ディスカバリリソースリクエストメッセージは、ディスカバリリソース保持時間を表す情報を含むことができる。
【０１８７】
ディスカバリリソースリクエストメッセージは、ディスカバリリソースリクエストインデックスを含むことができる。ＴＸ  Ｄ２Ｄ  ＵＥ１１１１がディスカバリリソースリクエストメッセージで複数のディスカバリ情報送信用リソースを要求する場合、ディスカバリリソースリクエストインデックスは、要求される各リソースに対して割り当てられる。
ディスカバリリソースリクエストメッセージは、ディスカバリリソースリクエストで要求される各リソースに対する優先順位レベルを含むことができる。
【０１８８】
ディスカバリリソースリクエストメッセージは、案内されるディスカバリ情報に関連した範囲クラスを含む。本発明の一実施形態において、ディスカバリサービスインジケータは定義できる。ディスカバリサービスインジケータは、ディスカバリ期間、優先順位、範囲クラス、区間のようなパラメータの値に対する集合を示す。ディスカバリリソースリクエストメッセージは、ディスカバリリソースが要求されるディスカバリ情報送信に対応するディスカバリサービスインジケータを含むことができる。ディスカバリサービスインジケータは、別途のパラメータの代わりにディスカバリリソースリクエストメッセージに含まれる。
【０１８９】
ＴＸ  Ｄ２Ｄ  ＵＥ１１１１からディスカバリリソースリクエストメッセージを受信した後に、ｅＮＢ１１１３は、ステップ１１２１において、ディスカバリリソースリクエストメッセージを送信するＴＸ  Ｄ２Ｄ  ＵＥ１１１１がＴＸ  Ｄ２Ｄ  ＵＥ１１１１とネットワークとの間で交換されるＵＥの能力に基づいて、固定Ｄ２Ｄ  ＵＥであるか否かを判定する。ＵＥ能力は、ＴＸ  Ｄ２Ｄ  ＵＥ１１１１がネットワークで登録する場合又はネットワークにより要求される場合にＴＸ  Ｄ２Ｄ  ＵＥ１１１１とネットワークとの間で交換される。ｅＮＢ１１１３は、ネットワークでＵＥ加入プロファイルに基づいてディスカバリリソースリクエストメッセージを送信するＴＸ  Ｄ２Ｄ  ＵＥ１１１１が固定Ｄ２Ｄ  ＵＥであるか否かを判定できる。
【０１９０】
あるいは、ｅＮＢ１１１３は、ディスカバリリソースリクエストメッセージに含まれるＴＸ  Ｄ２Ｄ  ＵＥ１１１１からの指示に基づいてＴＸ  Ｄ２Ｄ  ＵＥ１１１１が固定Ｄ２Ｄ  ＵＥであるか否かを判定する。
【０１９１】
又は、固定Ｄ２Ｄ  ＵＥのみがディスカバリリソースリクエストメッセージを送信するように構成される。この場合、ディスカバリリソースリクエストメッセージがＴＸ  Ｄ２Ｄ  ＵＥ１１１１から送信されることは、ＴＸ  Ｄ２Ｄ  ＵＥ１１１１が固定的であることを意味する。
【０１９２】
あるいは、ｅＮＢ１１１３は、Ｄ２Ｄ  ＩＤに基づいてＴＸ  Ｄ２Ｄ  ＵＥ１１１１が固定的であるか否かを判定する。このＤ２Ｄ  ＩＤは、ＴＸ  Ｄ２Ｄ  ＵＥ１１１１が固定的であるか否かを示すビットを含むことができる。固定Ｄ２Ｄ  ＵＥに割り当てられるＤ２Ｄ  ＩＤは、移動Ｄ２Ｄ  ＵＥに割り当てられるＤ２Ｄ  ＩＤと異なる。ｅＮＢ１１１３は、Ｄ２Ｄ  ＩＤのタイプを確認し、又はＤ２Ｄサーバに問い合わせることにより、Ｄ２Ｄ  ＩＤを用いてＴＸ  Ｄ２Ｄ  ＵＥ１１１１が固定Ｄ２Ｄ  ＵＥであるか否かを判定できる。
【０１９３】
図１１に示していないが、ｅＮＢ１１１３は、ＴＸ  Ｄ２Ｄ  ＵＥ１１１１がディスカバリリソースを要求することが許可されるＤ２Ｄ  ＵＥであるか否かを確認する動作を実行する。ｅＮＢ１１１３は、ＭＭＥから受信されるＵＥコンテキストに基づいて、ＴＸ  Ｄ２Ｄ  ＵＥ１１１１がディスカバリリソース(又はタイプ２ディスカバリリソース）を要求することが許可されるＤ２Ｄ  ＵＥであるか否かを確認する動作を実行する。ＴＸ  Ｄ２Ｄ  ＵＥ１１１１がディスカバリリソースを要求することを許可する場合、ｅＮＢ１１１３は、ＴＸ  Ｄ２Ｄ  ＵＥ１１１１にディスカバリリソースを割り当てる。
【０１９４】
例えば、ＵＥコンテキストは、（１）Ｄ２ＤＵＥがディスカバリリソースを要求するように許可されるか否かを示す情報、（２）どれくらいのディスカバリリソースがＤ２Ｄ  ＵＥに割り当てられるかを示す情報、（３）Ｄ２Ｄ  ＵＥが使用するディスカバリリソースメカニズムを示す情報、（４）Ｄ２Ｄ  ＵＥが固定Ｄ２Ｄ  ＵＥであるか否かを示す情報のうち少なくとも一つを含む。ディスカバリリソースメカニズムは、タイプ１ディスカバリリソースメカニズムと、タイプ２ディスカバリリソースメカニズムのうちいずれか一つを含む。タイプ１(又はＵＥ自律リソース選択)ディスカバリリソースメカニズムにおいて、Ｄ２Ｄ  ＵＥは、リソースプールからリソースをランダムに選択する。複数のＴＸ  ＵＥにより選択されるリソースは同一であり、そのため、タイプ１ディスカバリリソースメカニズムで衝突され得る。タイプ２(又はスケジュールされたリソース割り当て)ディスカバリリソースメカニズムにおいて、ディスカバリリソースは、ネットワークによりＤ２Ｄ  ＵＥに割り当てられる。タイプ２ディスカバリリソースメカニズムで衝突はない。
【０１９５】
ｅＮＢ１１１３は、ＴＸ  Ｄ２Ｄ  ＵＥ１１１１がＰｒｏＳｅ直接ディスカバリ案内(announcement)を許可しないと判定する場合、ディスカバリリソースリクエストメッセージを拒否し、これをディスカバリリソース応答メッセージでＴＸ  Ｄ２Ｄ  ＵＥ１１１１に指示する。この拒否は、ディスカバリリソース応答メッセージで明示的に示され得る。あるいは、ディスカバリリソースに関する情報を有しないディスカバリリソース応答メッセージは、ディスカバリリソースリクエストメッセージの拒否を示す。ｅＮＢ１１３は、ＴＸ  Ｄ２Ｄ  ＵＥ１１１１が固定Ｄ２Ｄ  ＵＥであると判定すると、ステップ１１２１において、ＴＸ  Ｄ２Ｄ  ＵＥ１１１１に一つ以上の専用ディスカバリリソースを割り当てる。専用ディスカバリリソースは、専用ディスカバリリソースプールであり、ＴＸ  Ｄ２Ｄ  ＵＥ１１１１は、ディスカバリ情報送信用リソースをランダムに選択する。専用ディスカバリリソースプールは、ディスカバリリソースプール内のリソースを示すリソースインデックスを有する専用ディスカバリリソースプールであり得る。ｅＮＢ１１１３は、ステップ１１２５において、ディスカバリリソーステーブルを管理し、割り当てられた専用ディスカバリリソースと、専用ディスカバリリソースが割り当てられるＴＸ  Ｄ２Ｄ  ＵＥ１１１１のＤ２Ｄ  ＩＤとの間のマッピング関係を格納する。複数のディスカバリリソースが同一のＤ２Ｄ  ＩＤに対マッピングされ、それによってディスカバリリソーステーブルに同一のＤ２Ｄ  ＩＤに対する複数のマッピング関係が存在することに注意すべきである。
【０１９６】
ｅＮＢ１１１３は、ステップ１１２３において、ＴＸ  Ｄ２Ｄ  ＵＥ１１１１にディスカバリリソースリクエストメッセージに対する応答メッセージとしてディスカバリリソース応答メッセージを送信する。ディスカバリリソース応答メッセージは、ＴＸ  Ｄ２Ｄ  ＵＥ１１１１に割り当てられる専用ディスカバリリソースに関する情報を含む。例えば、ディスカバリリソース応答メッセージは、ＲＲＣ接続再構成メッセージであり得る。
【０１９７】
専用ディスカバリリソース情報は、専用ディスカバリリソースプールであり、Ｄ２Ｄ  ＵＥは、ディスカバリ情報送信用リソースをランダムに選択する。専用ディスカバリリソース情報は、ＴＸ  Ｄ２Ｄ  ＵＥ１１１１に割り当てられるディスカバリリソースプール内のリソースを示す一つ以上のリソースインデックスを有する専用ディスカバリリソースプールであり得る。リソースインデックスは、時間インデックスと周波数インデックスを含む。時間インデックスは、割り当てられたディスカバリリソースを有する無線フレーム及び/又はサブフレームを示す。周波数インデックスは、ディスカバリ物理チャンネルインデックス又は割り当てられたディスカバリリソースの物理無線ブロックインデックスを示す。専用ディスカバリリソースに関する情報は、関連した専用ディスカバリリソース期間を含む。あるいは、ディスカバリリソース期間は、ネットワークによりブロードキャスティングされ、専用にシグナリングされない。ディスカバリリソース期間は、該当ディスカバリリソースを使用可能な期間であることを示す。 ディスカバリリソース期間は、ｎ＊ディスカバリリソース周期に設定できる。ここで、ｎは、ディスカバリリソース応答メッセージを通じてシグナリングされ、あるいは予め定義される。
【０１９８】
ｅＮＢ１１１３は、ディスカバリリソース応答メッセージに割り当てられた専用ディスカバリリソースに対するディスカバリリソース割り当てインデックスを含む。ディスカバリリソース割り当てインデックスは、ｅＮＢ１１１３又はＴＸ  Ｄ２Ｄ  ＵＥ１１１１を専用ディスカバリリソースの解除を要求するために使用され得る。すなわち、ｅＮＢ１１１３は、ディスカバリリソースリクエストメッセージがディスカバリリソースリクエストインデックスを含む場合、ディスカバリリソース割り当てインデックスをディスカバリリソースリクエストインデックスと同一に設定する。
【０１９９】
あるいは、ディスカバリリソースリクエストメッセージがディスカバリリソースリクエストインデックスを含まない場合、ｅＮＢ１１１３は、ディスカバリリソース割り当てインデックスをＤ２Ｄ  ＵＥ別に管理し、ディスカバリリソース応答メッセージにディスカバリリソース割り当てインデックスを含む。
【０２００】
あるいは、ディスカバリリソースリクエストインデックスがディスカバリリソースリクエストメッセージに含まれるか否かに関係なく、ｅＮＢ１１１３は、Ｄ２Ｄ  ＵＥ別にディスカバリリソース割り当てインデックスを管理し、ディスカバリリソース応答メッセージにディスカバリリソース割り当てインデックスを含む。
【０２０１】
上記とは異なり、ｅＮＢ１１１３は、ＴＸ  Ｄ２Ｄ  ＵＥ１１１１に専用ディスカバリリソースを割り当てることでなく、競争ベースのリソースプール(又はタイプ１ＴＸリソースプール）をＴＸ  Ｄ２Ｄ  ＵＥ１１１１に提供するか、あるいはＴＸ  Ｄ２Ｄ  ＵＥ１１１１に専用ディスカバリリソースを提供しないことができる。
【０２０２】
一方、範囲クラスがディスカバリリソースリクエストメッセージで受信される場合、ｅＮＢ１１１３は、範囲クラスに従って割り当てられたディスカバリリソース(競争ベースのプール又は専用ディスカバリリソース)に対する電力パラメータを設定する。ＴＸ  Ｄ２Ｄ  ＵＥ１１１１が異なるディスカバリ情報送信に対して異なる範囲クラスを通知する場合、ｅＮＢ１１１３は、割り当てられたディスカバリリソース(競争ベースのプール又は専用ディスカバリリソース)の各々に対して異なる電力パラメータを設定する。範囲クラスがディスカバリリソースリクエストメッセージで受信され、ｅＮＢ１１３がディスカバリリソース応答メッセージでタイプ１ＴＸリソースプールを割り当てる場合、ｅＮＢ１１１３は、要求される範囲クラスに対応してＴＸリソースプールを割り当て、ｅＮＢ１１３は、各範囲クラスに対して別のＴＸリソースプールを保持する。
【０２０３】
あるいは、ＴＸ  Ｄ２Ｄ  ＵＥ１１１１に関連した範囲クラスは、ｅＮＢ１１１３によりＭＭＥから受信されるＵＥコンテキストから決定され、それによってｅＮＢ１１１３は、範囲クラスによりＴＸ  Ｄ２Ｄ  ＵＥ１１１１に割り当てられるディスカバリリソース(競争ベースのプール又は専用ディスカバリリソース)に対する電力パラメータを設定する。ｅＮＢ１１１３がディスカバリリソース応答でタイプ１ＴＸリソースプールを割り当てる場合、ｅＮＢ１１１３は、要求される範囲クラスに対応してＴＸ応答プールを割り当て、各範囲クラスに対して別のＴＸリソースプールを保持する。
【０２０４】
あるいは、範囲クラスがディスカバリリソースリクエストメッセージで受信されず、あるいは範囲クラスがＵＥのコンテキストでＭＭＥから受信されず、ｅＮＢ１１1３がディスカバリリソース応答メッセージでタイプ１ＴＸリソースプールを割り当てる場合、ｅＮＢ１１１３は、複数のＴＸリソースプールを割り当て、各範囲クラスに基づいて別のＴＸリソースプールを保持する。ＴＸ  Ｄ２Ｄ  ＵＥ１１１１は、範囲クラスに基づいてＴＸリソースプールを選択する。あるいは、ｅＮＢ１１１３は、ネットワークによりサポートされる範囲クラスと各範囲クラスに対する電力パラメータ(例えば、最大電力)との間のディスカバリリソース応答マッピングでブロードキャスティングし、あるいは送信することができる。ＴＸ  Ｄ２Ｄ  ＵＥ１１１１は、ＴＸ  Ｄ２Ｄ  ＵＥ１１１１の範囲クラス又はＴＸ  Ｄ２Ｄ  ＵＥ１１１１が送信しようとするディスカバリ情報に関連した範囲クラスの許可に対応して電力パラメータを選択する。
【０２０５】
ディスカバリリソース応答メッセージは、ディスカバリリソースが割り当てられる時区間を含む。例えば、ディスカバリリソース応答メッセージは、ｘ送信の間にディスカバリリソースが使用可能であることを示し、ｘ送信の期間はｎ＊ディスカバリリソース周期である。
【０２０６】
専用ディスカバリリソースがＲＲＣ接続状態のみで使用される場合、割り当てられたディスカバリリソースがＤ２Ｄ  ＵＥ又はｅＮＢにより明示的なシグナリングにより解除され、あるいはＲＲＣ接続が解除されるまで、時区間は定義されず、割り当てられたリソースは有効である。
【０２０７】
ディスカバリリソース応答で受信したディスカバリリソース構成がディスカバリ情報送信にＴＸ  Ｄ２Ｄ  ＵＥ１１１１により使用される時間は、次のように決定される。
【０２０８】
第１の方式で、ｅＮＢがディスカバリリソース応答メッセージをディスカバリリソース周期ｘで送信し、あるいはＴＸ  Ｄ２Ｄ  ＵＥがディスカバリリソース応答メッセージをディスカバリリソース周期ｘで受信する場合、ＴＸ  Ｄ２Ｄ  ＵＥに割り当てられる専用ディスカバリリソースの第１のインスタンスは、ディスカバリリソース周期ｘ以後のｐ番目のディスカバリリソース周期、すなわちディスカバリリソース周期ｘ＋ｐで存在する。ｐは、Ｄ２Ｄ方式をサポートする通信システムで固定的であり、例えば、ｐは、１に設定され(ｐ＝１)、これは、ディスカバリリソースがディスカバリリソース応答メッセージに含まれる場合、ＴＸ  Ｄ２Ｄ  ＵＥ１１１が、次のディスカバリリソース周期からディスカバリ情報送信に対するディスカバリリソース応答で示すリソースを使用することを意味する。あるいは、ｐは、ディスカバリリソース応答メッセージでシグナリングされ得る。 
第１の方式は、図２で説明したので、ここでは、その詳細な説明を省略する。
【０２０９】
第２の方式で、ディスカバリリソース応答メッセージが受信されるサブフレーム/フレームとディスカバリリソース応答メッセージが受信されるディスカバリリソース周期ｘ以後の第１のディスカバリリソース周期、すなわちディスカバリリソース周期ｘ＋１で割り当てられる専用ディスカバリリソースに対応するサブフレーム/フレームとの間の差が予め設定されているオフセットより小さい場合、ＴＸ  Ｄ２Ｄ  ＵＥに割り当てられる専用ディスカバリリソースの第１のインスタンスは、ディスカバリリソース周期ｘ＋２で存在する。この場合、オフセットは、ディスカバリリソース応答メッセージに含まれる。
第２の方式は、図３で説明したので、ここではその詳細な説明を省略する。
【０２１０】
第３の方式で、ディスカバリリソース応答メッセージが受信されるサブフレーム/フレームとディスカバリリソース応答メッセージが受信されるディスカバリリソース周期ｘ以後の第１のディスカバリリソース周期、すなわちディスカバリリソース周期ｘ＋１でＴＸ  Ｄ２Ｄ  ＵＥに割り当てられる専用ディスカバリリソースに対応するサブフレーム/フレームとの間の差が、予め設定されたオフセット以上である場合、割り当てられた専用ディスカバリリソースの第１のインスタンスは、ディスカバリリソース周期ｘ＋１で存在する。この場合、オフセットは、ディスカバリリソース応答メッセージに含まれる。
第３の方式は、図４で説明したので、ここではその詳細な説明を省略する。
【０２１１】
一方、ｅＮＢ１１１３は、ＴＸ  Ｄ２Ｄ  ＵＥ１１１１に割り当てられる専用ディスカバリリソースがＲＲＣアイドル状態で使用可能であるか否かを示す。例えば、ｅＮＢ１１１３は、割り当てられた専用ディスカバリリソースＲＲＣアイドル状態でディスカバリリソース応答メッセージに使用可能であるか否かを示す情報を含むことができる。
【０２１２】
専用ディスカバリリソースに関する情報がＲＸ  Ｄ２Ｄ  ＵＥに指示される場合、ｅＮＢ１１１３は、ステップ１１２７において、ＴＸ  Ｄ２Ｄ  ＵＥ１１１１に専用ディスカバリリソースを割り当て、ＴＸ  Ｄ２Ｄ  ＵＥ１１１１の専用ディスカバリリソースに関心のあるＲＸ  Ｄ２Ｄ  ＵＥが存在するか否かを判定する。ｅＮＢ１１１３は、ステップ１１２７で、ＲＸ  Ｄ２Ｄ  ＵＥ接続ＩＤ、例えばセル無線ネットワーク臨時識別子(Ｃ-ＲＮＴＩ)とＲＸ  Ｄ２Ｄ  ＵＥが、関心があるＴＸ  Ｄ２Ｄ  ＵＥのＤ２Ｄ  ＩＤとの間のマッピング関係を含むディスカバリリソーステーブルを維持する。ディスカバリリソーステーブルは、ＲＸ  Ｄ２Ｄ  ＵＥからｅＮＢ１１１３へのディスカバリリソースリクエストに基づいて保持される。ＴＸ  Ｄ２Ｄ  ＵＥ１１１１の専用ディスカバリリソースに関心のあるＲＸ  Ｄ２Ｄ  ＵＥが存在する場合、ｅＮＢ１１１３は、ステップ１１３３において、専用ディスカバリリソースに関する情報を含むディスカバリリソース情報メッセージをＲＸ  Ｄ２Ｄ  ＵＥ、すなわちＲＸ  Ｄ２Ｄ  ＵＥ１１１５に送信する。ｅＮＢ１１１３は、ディスカバリリソース情報メッセージに含まれている専用ディスカバリリソースに対応するＴＸ  Ｄ２Ｄ  ＵＥ１１１１のＤ２Ｄ  ＩＤをディスカバリリソース情報メッセージに含むことができる。
【０２１３】
新たな専用ディスカバリリソースをＴＸ  Ｄ２Ｄ  ＵＥ１１１１に割り当てた後に、ｅＮＢ１１１３は、ステップ１１３５において、ディスカバリリソース情報に専用ディスカバリリソースに関する情報をアップデートする。ｅＮＢ１１１３は、ステップ１１３５において、アップデートしたディスカバリリソース情報を、システム情報を通じてブロードキャスティングする。
【０２１４】
ｅＮＢ１１１３からディスカバリリソース応答メッセージを受信した後、ＴＸ  Ｄ２Ｄ  ＵＥ１１１１は、ステップ１２９において、ｅＮＢ１１１３とＲＲＣ接続を解除し、ＲＲＣアイドル状態に遷移できる。ＴＸ  Ｄ２Ｄ  ＵＥは、ステップ１１３１において、ＲＲＣアイドル状態で専用ディスカバリリソースを用いてディスカバリ情報を送信する。専用ディスカバリリソースが特定期間で使用可能である場合、ＴＸ  Ｄ２Ｄ  ＵＥ１１１１は、ｅＮＢ１１１３とＲＲＣ接続を確立し、専用ディスカバリリソースをｅＮＢ１１１３に更に要求する。ｅＮＢ１１１３は、ＴＸ  Ｄ２Ｄ  ＵＥ１１１１がＲＲＣ接続を解除しても、割り当てられた専用ディスカバリリソースに関する情報を維持することに注意すべきである。ｅＮＢ１１１３は、有効期間以後に割り当てられた専用ディスカバリリソースを解除する。
【０２１５】
ＴＸ  Ｄ２Ｄ  ＵＥ１１１１に専用ディスカバリリソースが割り当てられた後、ｅＮＢ１１１３は、ＴＸ  Ｄ２Ｄ  ＵＥ１１１１がＲＲＣ接続状態又はＲＲＣアイドル状態に存在しなければならないか否かを判定できる。ｅＮＢ１１１３は、ＴＸ  Ｄ２Ｄ  ＵＥ１１１１の移動状態に基づいてＴＸ  Ｄ２Ｄ  ＵＥ１１１１がＲＲＣ接続状態又はＲＲＣアイドル状態に存在しなければならないか否かを判定することができる。ｅＮＢ１１１３は、ＲＲＣ接続が解除される場合、ＴＸ  Ｄ２Ｄ  ＵＥ１１１１に割り当てられる専用ディスカバリリソースがＲＲＣアイドル状態で使用可能であることを示すことができる。
ＴＸ  Ｄ２Ｄ  ＵＥ１１１１に割り当てられた専用ディスカバリリソースは、次のようなケースのうちいずれか一つで解除できる。
【０２１６】
ａ)ＴＸ  Ｄ２Ｄ  ＵＥ１１１１がパワーダウンされる。
ｂ)ＴＸ  Ｄ２Ｄ  ＵＥ１１１１がＴＸ  Ｄ２Ｄ  ＵＥ１１１１がこれ以上割り当てられた専用ディスカバリリソースを必要としないことをｅＮＢ１１１３に通知する。
ｃ)割り当てられた専用ディスカバリリソースが使用可能な期間が終了する。
【０２１７】
例えば、ＴＸ  Ｄ２Ｄ  ＵＥ１１１１は、ＴＸ  Ｄ２Ｄ  ＵＥ１１１１がディスカバリ情報をこれ以上送信しないように判定する場合、ｅＮＢ１１１３にＴＸ  Ｄ２Ｄ  ＵＥ１１１１がこれ以上割り当てられた専用ディスカバリリソースを必要としないことを通知できる。ＴＸ  Ｄ２Ｄ  ＵＥ１１１１は、ｅＮＢ１１１３にディスカバリリソース解除メッセージを送信し、ディスカバリリソースリクエストメッセージで０にリソースの個数を示す。
【０２１８】
ＴＸ  Ｄ２Ｄ  ＵＥ１１１１に複数の専用ディスカバリリソースが割り当てられ、ＴＸ  Ｄ２Ｄ  ＵＥ１１１１が複数の専用ディスカバリリソースのうち一部を解除しようとする場合、ＴＸ  Ｄ２Ｄ  ＵＥ１１１１は、ｅＮＢ１１１３にＴＸ  Ｄ２Ｄ  ＵＥ１１１１が解除しようとするディスカバリリソースの個数を通知するか、あるいはＴＸ  Ｄ２Ｄ  ＵＥ１１１１が解除しようとするディスカバリリソースに対するディスカバリリソース割り当てインデックスを通知する。
【０２１９】
ｅＮＢ１１１３がＴＸ  Ｄ２Ｄ  ＵＥ１１１１に割り当てられる専用ディスカバリリソースを解除することに判定するケースで、すなわちｅＮＢ開始解除のケース、あるいはＴＸ  Ｄ２Ｄ  ＵＥ１１１１からのディスカバリリソース解除メッセージを受信するケースで、ｅＮＢ１１１３は、ＴＸ  Ｄ２Ｄ  ＵＥ１１１１にディスカバリリソース解除メッセージあるいはＲＲＣ接続再構成メッセージを送信し、ＴＸ  Ｄ２Ｄ  ＵＥ１１１１に割り当てられるディスカバリリソースを解除した後、ＴＸ  Ｄ２Ｄ  ＵＥ１１１１に割り当てられる既存の専用ディスカバリリソースに関する情報を送信し、あるいは解除された専用ディスカバリリソースに関する情報を送信する。ここで、ｅＮＢ１１３は、ＴＸ  Ｄ２Ｄ  ＵＥ１１１１に割り当てられる専用ディスカバリリソースの一部のみが解除される場合、ＴＸ  Ｄ２Ｄ  ＵＥ１１１１に割り当てられる既存の専用ディスカバリリソースに関する情報を送信することができる。
【０２２０】
ＴＸ  Ｄ２Ｄ  ＵＥ１１１１からリソース解除メッセージ又はＲＲＣ再構成メッセージを受信する場合、ｅＮＢ１１１３は、ＴＸ  Ｄ２Ｄ  ＵＥ１１１１に割り当てられるすべての専用ディスカバリリソースを解除する。ＴＸ  Ｄ２Ｄ  ＵＥ１１１１に割り当てられる専用ディスカバリリソースがＲＲＣ接続状態でのみ使用可能であり、あるいはすべての専用ディスカバリリソースが解除される場合、ｅＮＢ１１１３は、ＲＲＣ接続解除メッセージを送信してＴＸ  Ｄ２Ｄ  ＵＥ１１１１に割り当てられるすべての専用ディスカバリリソースを解除できる。
【０２２１】
専用ディスカバリリソース解除は、ディスカバリリソースリクエストメッセージを用いてＴＸ  Ｄ２Ｄ  ＵＥ１１１１により指示できる。すなわち、ディスカバリリソースリクエストメッセージは、専用ディスカバリリソースを要求し、あるいは割り当てられる専用ディスカバリリソースを解除するために使用できる。
【０２２２】
さらに、専用ディスカバリリソース解除は、ディスカバリリソース応答メッセージを用いてｅＮＢ１１１３により指示できる。ディスカバリリソース応答メッセージは、専用ディスカバリリソースを割り当て、あるいは割り当てられた専用ディスカバリリソースを解除するために使用できる。
【０２２３】
割り当てられた専用ディスカバリリソースがＲＲＣ接続状態のみで使用可能であり、あるいはすべての専用ディスカバリリソースが解除するために必要である場合、ＴＸ  Ｄ２Ｄ  ＵＥ１１１１は、ＲＲＣ接続解除メッセージを送信してすべての専用ディスカバリリソースを解除できる。
【０２２４】
あるいは、ＴＸ  Ｄ２Ｄ  ＵＥ１１１１に割り当てられる専用ディスカバリリソースを解除した後、ｅＮＢ１１１３は、解除された専用ディスカバリリソースに関する情報をディスカバリリソース情報にアップデートして、解除された専用ディスカバリリソースに関する情報を除去する。ｅＮＢ１１１３は、アップデートしたディスカバリリソース情報を、システム情報を通じてブロードキャスティングする。
【０２２５】
図１１が本発明の一実施形態によるＤ２Ｄ方式をサポートする通信システムにおいてＴＸ  Ｄ２Ｄ  ＵＥに専用ディスカバリリソースを割り当てるプロセスの他の例を示し、多様な変形が図１１に対してなされ得る。例えば、一連のオペレーションとして示すが、図１１の多様なオペレーションは、オーバーラップされ、並列に発生し、異なる順序で発生し、あるいは複数回を発生してもよい。
【０２２６】
図１１を参照して、本発明の一実施形態によるＤ２Ｄ方式をサポートする通信システムにおいて、ＴＸ  Ｄ２Ｄ  ＵＥに専用ディスカバリリソースを割り当てるプロセスのもう一つの例について説明し、図１２を参照して、本発明の一実施形態によるＤ２Ｄ方式をサポートする通信システムにおいてＴＸ  Ｄ２Ｄ  ＵＥに専用ディスカバリリソースを割り当てるプロセスの他の例について説明する。
【０２２７】
図１２は、本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す。
【０２２８】
図１２を説明するに先立ち、ｅＮＢは、ＴＸ  Ｄ２Ｄ  ＵＥに専用ディスカバリリソースを独立的に割り当てる代わりに、リソースコーディネータの制御下で専用ディスカバリリソースを割り当てることができる。リソースコーディネータの制御下で専用ディスカバリリソースが割り当てられる場合、一つのセルで特定ＴＸ  Ｄ２Ｄ  ＵＥに割り当てられる専用ディスカバリリソースが、他のセルで他のＴＸ  Ｄ２Ｄ  ＵＥに割り当てられないことを保証する。ここで、一つのセルで特定ＴＸ  Ｄ２Ｄ  ＵＥによる専用ディスカバリリソースと他のセルで他のＴＸ  Ｄ２Ｄ  ＵＥによるディスカバリ情報送信との間の衝突は、一つのセルで特定ＴＸ  Ｄ２Ｄ  ＵＥに割り当てられる専用ディスカバリリソースが、他のセルで他のＴＸ  Ｄ２Ｄ  ＵＥに割り当てられないことを保証することで避けることができる。リソースコーディネータは、共通専用ディスカバリリソースプールを管理し、ｅＮＢの専用ディスカバリリソース割り当て状態を管理できる。
【０２２９】
図１２を参照すると、通信システムは、ＴＸ  Ｄ２Ｄ  ＵＥ１２１１、ｅＮＢ１２１３、リソースコーディネータ１２１５、及びＲＸ  Ｄ２Ｄ  ＵＥ１２１７を含む。
【０２３０】
ディスカバリ情報を送信することを所望するＴＸ  Ｄ２Ｄ  ＵＥ１２１１は、ステップ１２１９において、ｅＮＢ１２１３と接続を確立し、ＲＲＣ接続状態へ遷移する。ＴＸ  Ｄ２Ｄ  ＵＥ１２１１は、ステップ１２２１において、ｅＮＢ１２１３でディスカバリリソースリクエストメッセージを送信する。ディスカバリリソースリクエストメッセージは、ＴＸ  Ｄ２Ｄ  ＵＥ１２１１のＤ２Ｄ  ＩＤを含む。Ｄ２Ｄ  ＩＤは、ＵＥ  ＩＤ、アプリケーションユーザーＩＤ、表現コード、又はアプリケーションＩＤ＋ユーザーＩＤであり得る。ディスカバリリソースリクエストメッセージは、図１１を参照して説明したので、ここではその詳細な説明を省略する。
【０２３１】
ＴＸ  Ｄ２Ｄ  ＵＥ１２１１からディスカバリリソースリクエストメッセージを受信した後に、ｅＮＢ１２１３は、ステップ１２２３において、リソースコーディネータ１２１５にディスカバリリソースリクエストメッセージを送信する。リソースコーディネータ１２１５にディスカバリリソースリクエストメッセージを送信した後に、ｅＮＢ１２１３は、ステップ１２２５において、ディスカバリリソースリクエストメッセージを送信するＴＸ  Ｄ２Ｄ  ＵＥ１２１１が固定Ｄ２Ｄ  ＵＥであるか否かを判定する。ディスカバリリソースリクエストメッセージを送信したＴＸ  Ｄ２Ｄ  ＵＥ１２１１が固定Ｄ２Ｄ  ＵＥであるか否かを決定する動作は、図１１を参照して説明する方法で実現され、ここではその詳細な説明を省略する。
【０２３２】
ｅＮＢ１２１３からディスカバリリソースリクエストメッセージを受信した後に、リソースコーディネータ１２１５は、ステップ１２２７において、共通専用ディスカバリリソースプールに基づいてＴＸ  Ｄ２Ｄ  ＵＥ１２１１に割り当てられる専用ディスカバリリソースを決定し、決定した専用ディスカバリリソースに関する情報を含むディスカバリリソース応答メッセージをｅＮＢ１２１３に送信する。ＴＸ  Ｄ２Ｄ  ＵＥ１２１１に専用ディスカバリリソースを割り当てる動作は、本発明の第１の実現方式、すなわち図５のリソースコーディネータ５１５の動作、図６のリソースコーディネータ６１５の動作、及び図９のリソースコーディネータ９２５の動作で説明したので、ここではその詳細な説明を省略する。
【０２３３】
リソースコーディネータ１２１５からディスカバリリソース応答メッセージを受信した後に、ｅＮＢ１２１３は、ステップ１２２９において、ディスカバリリソース応答メッセージに含まれる専用ディスカバリリソースに関する情報に基づいてＴＸ  Ｄ２Ｄ  ＵＥ１２１１に専用ディスカバリリソースを割り当て、割り当てた専用ディスカバリリソースに関する情報を含むディスカバリリソース応答メッセージをＴＸ  Ｄ２Ｄ  ＵＥ１２１１に送信する。ディスカバリリソース応答メッセージは、図１１を参照して上記方式で実現されるので、ここではその詳細な説明を省略する。
【０２３４】
ｅＮＢ１２１３は、ステップ１２３１において、ディスカバリリソーステーブルを管理し、割り当てられた専用ディスカバリリソースと専用ディスカバリリソースが割り当てられたＴＸ  Ｄ２Ｄ  ＵＥ１２１１のＤ２Ｄ  ＩＤとの間のマッピング関係をディスカバリリソーステーブルに格納する。同一のＤ２Ｄ  ＩＤに複数のディスカバリリソースがマッピングされ、それによってディスカバリリソーステーブルに同一のＤ２Ｄ  ＩＤに対する複数のマッピング関係が存在できることに留意すべきである。
【０２３５】
ｅＮＢ１２１３は、割り当てられた専用ディスカバリリソースがＲＲＣアイドル状態で使用可能であるか否かを指示できる。例えば、ｅＮＢ１２１３は、割り当てられる専用ディスカバリリソースがＲＲＣアイドル状態で使用可能であるか否かを示す情報をディスカバリリソース応答メッセージに含める。
【０２３６】
専用ディスカバリリソースに関する情報がＲＸ  Ｄ２Ｄ  ＵＥに指示される場合、ｅＮＢ１２１３は、ステップ１２３３において、ＴＸ  Ｄ２Ｄ  ＵＥ１２１１に専用ディスカバリリソースを割り当てた後、ＴＸ  Ｄ２Ｄ  ＵＥ１２１１の専用ディスカバリリソースに関心のあるＲＸ  Ｄ２Ｄ  ＵＥが存在するか否かを判定する。ｅＮＢ１２１３は、ステップ１２３３において、ＲＸ  Ｄ２Ｄ  ＵＥ接続識別子、例えばＣ-ＲＮＴＩとＲＸ  Ｄ２Ｄ  ＵＥが関心のあるＴＸ  Ｄ２Ｄ  ＵＥのＤ２Ｄ  ＩＤとの間のマッピング関係を含むディスカバリリソーステーブルを維持する。ディスカバリリソーステーブルは、ＲＸ  Ｄ２Ｄ  ＵＥからｅＮＢ１２１３へのディスカバリリソースリクエストに基づいて保持される。ＴＸ  Ｄ２Ｄ  ＵＥ１２１１の専用ディスカバリリソースに関心のあるＲＸ  Ｄ２Ｄ  ＵＥが存在する場合、ｅＮＢ１２１３は、ステップ１２３９において、専用ディスカバリリソースに関する情報を含むディスカバリリソース情報メッセージをＲＸ  Ｄ２Ｄ  ＵＥ、すなわちＲＸ  Ｄ２Ｄ  ＵＥ１２１７に送信する。ｅＮＢ１２１３は、ディスカバリリソース情報メッセージに含まれる専用ディスカバリリソースに対応するＴＸ  Ｄ２Ｄ  ＵＥ１２１１のＤ２Ｄ  ＩＤを含むことができる。
【０２３７】
新たな専用ディスカバリリソースをＴＸ  Ｄ２Ｄ  ＵＥ１２１１に割り当てた後に、ｅＮＢ１２１３は、ステップ１２４１において、ディスカバリリソース情報に専用ディスカバリリソース情報をアップデートする。ｅＮＢ１２１３は、ステップ１２４１において、アップデートしたディスカバリリソース情報を、システム情報を通じてブロードキャスティングする。
【０２３８】
ｅＮＢ１２１３からディスカバリリソース応答メッセージを受信した後に、ＴＸ  Ｄ２Ｄ  ＵＥ１２１１は、ステップ１２３５において、ｅＮＢ１２１３とＲＲＣ接続を解除し、ＲＲＣアイドル状態へ遷移する。ＴＸ  Ｄ２Ｄ  ＵＥ１２１１は、ステップ１２３７において、ＲＲＣアイドル状態で割り当てられた専用ディスカバリリソースを用いてディスカバリ情報を送信する。専用ディスカバリリソースが特定期間で使用可能である場合、ＴＸ  Ｄ２Ｄ  ＵＥ１２１１は、ｅＮＢ１２１３とＲＲＣ接続を確立し、ｅＮＢ１２１３に再び専用ディスカバリリソースを要求する。ｅＮＢ１２１３は、ＴＸ  Ｄ２Ｄ  ＵＥ１２１１がＲＲＣ接続を解除しても割り当てられた専用ディスカバリリソースに関する情報を維持することに留意すべきである。ｅＮＢ１２１３は、有効期間後に割り当てられた専用ディスカバリリソースを解除する。
【０２３９】
ＴＸ  Ｄ２Ｄ  ＵＥ１２１１に専用ディスカバリリソースが割り当てられた後、ｅＮＢ１２１３は、ＴＸ  Ｄ２Ｄ  ＵＥ１２１１がＲＲＣ接続状態に、あるいはＲＲＣアイドル状態に存在しなければならないかを判定する。専用ディスカバリソースがＴＸ  Ｄ２Ｄ  ＵＥ１２１１に割り当てられた後に、ＴＸ  Ｄ２Ｄ  ＵＥ１２１１がｅＮＢ１２１３でＲＲＣ接続状態又はＲＲＣアイドル状態に存在しなければならないかを判定する動作は、図１１を参照して説明した方式で実現され、ここでは詳細な説明を省略する。
【０２４０】
ＴＸ  Ｄ２Ｄ  ＵＥ１２１１に割り当てられる専用ディスカバリリソースが解除されるケースは、図１１で説明したので、ここではその詳細な説明を省略する。
【０２４１】
図１２は本発明の一実施形態によるＤ２Ｄ方式をサポートする通信システムにおいてＴＸ  Ｄ２Ｄ  ＵＥに専用ディスカバリリソースを割り当てるプロセスの他の例を示すが、多様な変形が図１２に対してなされ得る。例えば、図１２には一連のオペレーションが示すが、図１２での多様なオペレーションは、オーバーラップされ、並列に発生し、異なる順序で発生し、あるいは複数回発生してもよい。
【０２４２】
図１２を参照して、本発明の一実施形態によるＤ２Ｄ方式をサポートする通信システムにおいて、ＴＸ  Ｄ２Ｄ  ＵＥに専用ディスカバリリソースを割り当てるプロセスの一例について説明する。図１３を参照して、本発明の一実施形態によるＤ２Ｄ方式をサポートする通信システムにおいて、ＴＸ  Ｄ２Ｄ  ＵＥに専用ディスカバリリソースを割り当てるプロセスの他の例について説明する。
【０２４３】
図１３は、本発明の一実施形態によるＤ２Ｄ方式をサポートする通信システムにおいて、ＴＸ  Ｄ２Ｄ  ＵＥに専用ディスカバリリソースを割り当てるプロセスの他の例を概略的に示す。
【０２４４】
図１３を参照すると、通信システムは、ＴＸ  Ｄ２Ｄ  ＵＥ１３１１、ｅＮＢ１３１３、リソースコーディネータ１３１５、及びＲＸ  Ｄ２Ｄ  ＵＥ１３１７を含む。
【０２４５】
ＴＸ  Ｄ２Ｄ  ＵＥ１３１１は、ステップ１３１９において、ｅＮＢ１３１３とＲＲＣ接続を確立し、ＲＲＣ接続状態へ遷移する。ＴＸ  Ｄ２Ｄ  ＵＥ１３１１は、ステップ１３２１において、ｅＮＢ１３１３にディスカバリリソースリクエストメッセージを送信する。ディスカバリリソースリクエストメッセージは、ＴＸ  Ｄ２Ｄ  ＵＥ１３１１のＤ２Ｄ  ＩＤを含む。ここで、Ｄ２Ｄ  ＩＤは、ＵＥ  ＩＤ、アプリケーションユーザーＩＤ、表現コード、又はアプリケーションＩＤ＋ユーザーＩＤであり得る。ディスカバリリソースリクエストメッセージは、図１１を参照して説明した方式で実現されるので、ここではその詳細な説明を省略する。
【０２４６】
ＴＸ  Ｄ２Ｄ  ＵＥ１３１１からディスカバリリソースリクエストメッセージを受信した後に、ｅＮＢ１３１３は、ステップ１３２３において、リソースコーディネータ１３１５にディスカバリリソースリクエストメッセージを送信する。リソースコーディネータ１３１５にディスカバリリソースリクエストメッセージを送信した後に、ｅＮＢ１３１３は、ステップ１３２５において、ディスカバリリソースリクエストメッセージを送信するＴＸ  Ｄ２Ｄ  ＵＥ１３１１が固定Ｄ２Ｄ  ＵＥであるか否かを判定する。ここで、ディスカバリリソースリクエストメッセージを送信するＴＸ  Ｄ２Ｄ  ＵＥ１３１１が固定Ｄ２Ｄ  ＵＥであるか否かを判定する動作は、図１１を参照して説明した方式で実現され、ここではその詳細な説明を省略する。
【０２４７】
ｅＮＢ１３１３からディスカバリリソースリクエストメッセージを受信した後に、リソースコーディネータ１３１５は、ステップ１３２７において、共通専用ディスカバリリソースプールに基づいてＴＸ  Ｄ２Ｄ  ＵＥ１３１１に割り当てる専用ディスカバリリソースを判定し、判定した専用ディスカバリリソースに関する情報を含むディスカバリリソース応答メッセージをｅＮＢ１３１３に送信する。ＴＸ  Ｄ２Ｄ  ＵＥ１３１１に専用ディスカバリリソースを割り当てる動作は、本発明の第１の実現方式、すなわち図５のリソースコーディネータ５１５の動作、図６のリソースコーディネータ６１５の動作、及び図９のリソースコーディネータ９２５の動作で説明したので、ここではその詳細な説明を省略する。
【０２４８】
リソースコーディネータ１３１５からディスカバリリソース応答メッセージを受信した後に、ｅＮＢ１３１３は、ステップ１３２９において、ディスカバリリソース応答メッセージに含まれる専用ディスカバリリソースに関する情報に基づいてＴＸ  Ｄ２Ｄ  ＵＥ１３１１に専用ディスカバリリソースを割り当て、割り当てた専用ディスカバリリソースに関する情報を含むディスカバリリソース応答メッセージをＴＸ  Ｄ２Ｄ  ＵＥ１３１１に送信する。ディスカバリリソース応答メッセージは、図１１を参照して説明した方式で実現され、ここではその詳細な説明を省略する。
【０２４９】
リソースコーディネータ１３１５は、ステップ１３３１において、ディスカバリリソーステーブルを管理し、割り当てられた専用ディスカバリリソースと専用ディスカバリリソースが割り当てられるＴＸ  Ｄ２Ｄ  ＵＥ１３１１のＤ２Ｄ  ＩＤとの間のマッピング関係をディスカバリリソーステーブルに格納する。同一のＤ２Ｄ  ＩＤに対して複数のディスカバリリソースがマッピングされ、それによってディスカバリリソーステーブルには同一のＤ２Ｄ  ＩＤに対する複数のマッピング関係が存在することに留意すべきである。
【０２５０】
ｅＮＢ１３１３は、割り当てられた専用ディスカバリリソースがＲＲＣアイドル状態で使用可能であるか否かを示す。例えば、ｅＮＢ１３１３は、割り当てられた専用ディスカバリリソースがＲＲＣアイドル状態で使用可能であるか否かを示す情報をディスカバリリソース応答メッセージに含める。
【０２５１】
専用ディスカバリリソースに関する情報がＲＸ  Ｄ２Ｄ  ＵＥに指示される場合、ｅＮＢ１３１３は、ステップ１３３３において、ＴＸ  Ｄ２Ｄ  ＵＥ１３１１に専用ディスカバリリソースを割り当て、ＴＸ  Ｄ２Ｄ  ＵＥ１３１１の専用ディスカバリリソースに関心のあるＲＸ  Ｄ２Ｄ  ＵＥが存在するか否かを判定する。ｅＮＢ１３１３は、ステップ１３３３において、ＲＸ  Ｄ２Ｄ  ＵＥ接続ＩＤ、例えば、Ｃ-ＲＮＴＩとＲＸ  Ｄ２Ｄ  ＵＥが関心のあるＴＸ  Ｄ２Ｄ  ＵＥのＤ２Ｄ  ＩＤとの間のマッピングを含むディスカバリリソーステーブルを保持する。ディスカバリリソーステーブルは、ＲＸ  Ｄ２Ｄ  ＵＥからｅＮＢ１３１３へのディスカバリリソースリクエストに基づいて維持される。ＴＸ  Ｄ２Ｄ  ＵＥ１３１１の専用ディスカバリリソースに関心のあるＲＸ  Ｄ２Ｄ  ＵＥが存在する場合、ｅＮＢ１３１３は、ステップ１３３９において、専用ディスカバリリソースに関する情報を含むディスカバリリソース情報メッセージをＲＸ  Ｄ２Ｄ  ＵＥ、すなわちＲＸ  Ｄ２Ｄ  ＵＥ１３１７に送信する。ｅＮＢ１３１３は、ディスカバリリソース情報メッセージに含まれる専用ディスカバリリソースに対応するＴＸ  Ｄ２Ｄ  ＵＥ１３１１のＤ２Ｄ  ＩＤをディスカバリリソース情報メッセージに含むことができる。
【０２５２】
新たな専用ディスカバリリソースをＴＸ  Ｄ２Ｄ  ＵＥ１３１１に割り当てた後、ｅＮＢ１３１３は、ステップ１３４１において、ディスカバリリソース情報に専用ディスカバリリソースに関する情報をアップデートする。ｅＮＢ１３１３は、ステップ１３４１において、アップデートしたディスカバリリソース情報はシステム情報を通じてブロードキャスティングする。
【０２５３】
ｅＮＢ１３１３からディスカバリリソース応答メッセージを受信した後、ＴＸ  Ｄ２Ｄ  ＵＥ１３１１は、ステップ１３３５において、ｅＮＢ１３１３とＲＲＣ接続を解除し、ＲＲＣアイドル状態に遷移する。ＴＸ  Ｄ２Ｄ  ＵＥ１３１１は、ステップ１３３７において、ＲＲＣアイドル状態で割り当てられた専用ディスカバリリソースを用いてディスカバリ情報を送信する。専用ディスカバリリソースが特定期間で使用可能である場合、ＴＸ  Ｄ２Ｄ  ＵＥ１３１１は、ｅＮＢ１３１３とＲＲＣ接続を確立し、専用ディスカバリリソースをｅＮＢ１２１３に再び要求する。ｅＮＢ１３１３は、ＴＸ  Ｄ２Ｄ  ＵＥ１３１１がＲＲＣ接続を解除しても、割り当てられた専用ディスカバリリソースに関する情報を保持することに留意すべきである。ｅＮＢ１３１３は、有効期間後に割り当てられた専用ディスカバリリソースを解除する。
【０２５４】
ＴＸ  Ｄ２Ｄ  ＵＥ１３１１に専用ディスカバリリソースを割り当てた後に、ｅＮＢ１３１３は、ＴＸ  Ｄ２Ｄ  ＵＥ１３１１がＲＲＣ接続状態に、あるいはＲＲＣアイドル状態に存在しなければならないかを判定できる。専用ディスカバリリソースがＴＸ  Ｄ２Ｄ  ＵＥ１３１１に割り当てられが以後に、ＴＸ  Ｄ２Ｄ  ＵＥ１３１１がｅＮＢ１３１３でＲＲＣ接続状態に、あるいはＲＲＣアイドル状態に存在しなければならないかを判定する動作は、図１１を参照して説明した方式で実現され、ここでは詳細な説明を省略する。
ＴＸ  Ｄ２Ｄ  ＵＥ１３１１に割り当てられる専用ディスカバリリソースが解除されるケースについて図１１で示すので、ここではその詳細な説明を省略する。
【０２５５】
図１３は、本発明の一実施形態によるＤ２Ｄ方式をサポートする通信システムにおいて、ＴＸ  Ｄ２Ｄ  ＵＥに専用ディスカバリリソースを割り当てるプロセスの他の例を示すが、多様な変形が図１３に対してなされ得る。例えば、一連のオペレーションとして示すが、図１３の多様なオペレーションは、オーバーラップされ、並列に発生し、異なる順序で発生し、又は複数回発生してもよい。
【０２５６】
図１３を参照して、本発明の一実施形態によるＤ２Ｄ方式をサポートする通信システムにおいて、ＴＸ  Ｄ２Ｄ  ＵＥに専用ディスカバリリソースを割り当てるプロセスの他の例について説明し、図１４を参照して、本発明の一実施形態によるＤ２Ｄ方式をサポートする通信システムにおいて、ＴＸ  Ｄ２Ｄ  ＵＥに専用ディスカバリリソースを割り当てるプロセスの他の例について説明する。
【０２５７】
図１４は、本発明の実施形態によるＤ２Ｄ方式をサポートする通信システムにおいて、ＴＸ  Ｄ２Ｄ  ＵＥに専用ディスカバリリソースを割り当てるプロセスの他の例を概略的に示す。
【０２５８】
図１４を参照すると、通信システムは、ＴＸ  Ｄ２Ｄ  ＵＥ１４１１、サーバ１４１３、及びＲＸ  Ｄ２Ｄ  ＵＥ１４１５を含む。
【０２５９】
ＴＸ  Ｄ２Ｄ  ＵＥ１４１１は、ステップ１４１７において、サーバ１４１３とＲＲＣ接続を確立し、ＲＲＣ接続状態へ遷移する。ＴＸ  Ｄ２Ｄ  ＵＥ１４１１は、ステップ１４１９において、サーバ１４１３にディスカバリリソースリクエストメッセージを送信する。ディスカバリリソースリクエストメッセージは、ＴＸ  Ｄ２Ｄ  ＵＥ１４１１のＤ２Ｄ  ＩＤを含む。Ｄ２Ｄ  ＩＤは、ＵＥ  ＩＤ、アプリケーションユーザーＩＤ、表現コード、又はアプリケーションＩＤ＋ユーザーＩＤであり得る。ディスカバリリソースリクエストメッセージは、図１１を参照して説明した方式で実現されるので、ここではその詳細な説明を省略する。
【０２６０】
ＴＸ  Ｄ２Ｄ  ＵＥ１４１１からディスカバリリソースリクエストメッセージを受信した後に、サーバ１４１３は、ステップ１４２１において、ディスカバリリソースリクエストメッセージを送信するＴＸ  Ｄ２Ｄ  ＵＥ１４１１が固定Ｄ２Ｄ  ＵＥであるか否かを判定する。ディスカバリリソースリクエストメッセージを送信するＴＸ  Ｄ２Ｄ  ＵＥ１４１１が固定Ｄ２Ｄ  ＵＥであるか否かを判定する動作は、図１１を参照して説明した方式で実現され、ここで詳細な説明を省略する。
【０２６１】
ＴＸ  Ｄ２Ｄ  ＵＥ１４１１が固定Ｄ２Ｄ  ＵＥであると判定すると、サーバ１４１３は、ステップ１４２１において、専用ディスカバリリソースをＴＸ  Ｄ２Ｄ  ＵＥ  １４１１に割り当てる。サーバ１４１３は、ステップ１４２５において、ディスカバリリソーステーブルを管理し、割り当てられた専用ディスカバリリソースと専用ディスカバリリソースが割り当てられるＴＸ  Ｄ２Ｄ  ＵＥ１４１１のＤ２Ｄ  ＩＤとの間のマッピング関係を格納する。同一のＤ２Ｄ  ＩＤに複数のディスカバリリソースがマッピングされ、それによってディスカバリリソーステーブルには同一のＤ２Ｄ  ＩＤに対する複数のマッピング関係が存在することに留意すべきである。
【０２６２】
サーバ１４１３は、ステップ１４２３において、ＴＸ  Ｄ２Ｄ  ＵＥ１４１１にディスカバリリソースリクエストメッセージに対する応答メッセージであるディスカバリリソース応答メッセージを送信する。ディスカバリリソース応答メッセージは、図１１を参照して説明した方式で実現されるので、ここではその詳細な説明を省略する。
【０２６３】
専用ディスカバリリソースに関する情報がＲＸ  Ｄ２Ｄ  ＵＥに指示される場合、サーバ１４１３は、ステップ１４２７において、ＴＸ  Ｄ２‘Ｄ  ＵＥ１４１１に専用ディスカバリリソースを割り当て、ＴＸ  Ｄ２Ｄ  ＵＥ１４１１の専用ディスカバリリソースに関心のあるＲＸ  Ｄ２Ｄ  ＵＥが存在するか否かを判定する。サーバ１４１３は、ステップ１４２７において、ＲＸ  Ｄ２Ｄ  ＵＥ接続ＩＤ、例えば、Ｃ-ＲＮＴＩとＲＸ  Ｄ２Ｄ  ＵＥが関心のあるＴＸ  Ｄ２Ｄ  ＵＥのＤ２Ｄ  ＩＤとの間のマッピング関係を含むディスカバリリソーステーブルを保持する。ディスカバリリソーステーブルは、ＲＸ  Ｄ２Ｄ  ＵＥからサーバ１４１３へディスカバリリソースリクエストに基づいて維持される。ＴＸ  Ｄ２Ｄ  ＵＥ１４１１の専用ディスカバリリソースに関心のあるＲＸ  Ｄ２Ｄ  ＵＥが存在する場合、サーバ１４１３は、ステップ１４３３において、専用ディスカバリリソースに関する情報を含むディスカバリリソース情報メッセージをＲＸ  Ｄ２Ｄ  ＵＥ、すなわちＲＸ  Ｄ２Ｄ  ＵＥ１４１５に送信する。サーバ１４１３は、ディスカバリリソース情報メッセージに含まれる専用ディスカバリリソースに対応するＴＸ  Ｄ２Ｄ  ＵＥ１４１１のＤ２Ｄ  ＩＤをディスカバリリソース情報メッセージに含むことができる。
【０２６４】
新たな専用ディスカバリリソースをＴＸ  Ｄ２Ｄ  ＵＥ１４１１に割り当てた後、サーバ１４１３は、ステップ１４３５において、ディスカバリリソース情報に専用ディスカバリリソースに関する情報をアップデートする。サーバ１４１３は、ステップ１４３５において、アップデートしたディスカバリリソース情報はシステム情報を通じてブロードキャスティングする。
【０２６５】
サーバ１４１３から専用ディスカバリリソースを割り当てた後に、ＴＸ  Ｄ２Ｄ  ＵＥ１４１１は、ステップ１４２９において、サーバ１４１３とＲＲＣ接続を解除し、ＲＲＣアイドル状態へ遷移する。ＴＸ  Ｄ２Ｄ  ＵＥ１４１１は、ステップ４１３１において、ＲＲＣアイドル状態で専用ディスカバリリソースを用いてディスカバリ情報を送信する。専用ディスカバリリソースが特定期間で使用可能である場合、ＴＸ  Ｄ２Ｄ  ＵＥ１４１１は、サーバ１４１３とＲＲＣ接続を確立し、専用ディスカバリリソースをステップ１４１３に再び要求する。サーバ１４１３は、ＴＸ  Ｄ２Ｄ  ＵＥ１４１１がＲＲＣ接続を解除しても、割り当てられた専用ディスカバリリソースに関する情報を維持することに留意すべきである。サーバ１４１３は、有効期間以後に割り当てられた専用ディスカバリリソースを解除する。
【０２６６】
ＴＸ  Ｄ２Ｄ  ＵＥ１４１１に専用ディスカバリリソースが割り当てられた後、サーバ１４１３は、ＴＸ  Ｄ２Ｄ  ＵＥ１４１１がＲＲＣ接続状態に、あるいはＲＲＣアイドル状態に存在しなければならないかを判定できる。サーバ１４１３は、ＴＸ  Ｄ２Ｄ  ＵＥ１４１１の移動状態に基づいて、ＴＸ  Ｄ２Ｄ  ＵＥ１４１１がＲＲＣ接続状態に、あるいはＲＲＣアイドル状態に存在しなければならないかを判定する。ＴＸ  Ｄ２Ｄ  ＵＥ１４１１が移動状態に従ってＲＲＣ接続状態に、あるいはＲＲＣアイドル状態に存在しなければならないかを判定する動作は、図１１を参照して説明した方式で実現され、ここでは詳細な説明を省略する。
【０２６７】
ＴＸ  Ｄ２Ｄ  ＵＥ１４１１に割り当てられる専用ディスカバリリソースが解除されるケースは、図１１に示したので、ここではその詳細な説明を省略する。
【０２６８】
図１４は、本発明の一実施形態によるＤ２Ｄ方式をサポートする通信システムにおいて、ＴＸ  Ｄ２Ｄ  ＵＥに専用ディスカバリリソースを割り当てるプロセスの他の例を示すが、多様な変形が図１４に対してなされ得る。例えば、一連のオペレーションとして示すが、図１４の多様なオペレーションは、オーバーラップされ、並列に発生し、異なる順序で発生し、あるいは複数回発生してもよい。
【０２６９】
図１４を参照して、本発明の一実施形態によるＤ２Ｄ方式をサポートする通信システムにおいてＴＸ  Ｄ２Ｄ  ＵＥに専用ディスカバリリソースを割り当てるプロセスの他の例について説明し、図１５を参照して本発明の一実施形態によるＤ２Ｄ方式をサポートする通信システムにおいてＲＸ  Ｄ２Ｄ  ＵＥに専用ディスカバリリソースに関する情報を提供するプロセスの他の例について説明する。
【０２７０】
図１５は、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例を概略的に示す。
【０２７１】
図１５を参照すると、通信システムは、ＲＸ  Ｄ２Ｄ  ＵＥ１５１１とｅＮＢ１５１３を含む。
【０２７２】
ｅＮＢ１５１３は、ステップ１５１５において、ＴＸ  Ｄ２Ｄ  ＵＥ(図１５に図示せず)に専用ディスカバリリソースを割り当て、割り当てられた専用ディスカバリリソースに関する情報をブロードキャスティングする。例えば、割り当てられた専用ディスカバリリソースに関する情報は、システム情報を通じてブロードキャスティングされる。ステップ１５１５は、ｅＮＢ１５１３により選択的に遂行され得る。
【０２７３】
ＴＸ  Ｄ２Ｄ  ＵＥにより送信されるディスカバリ情報をモニタリングすることに関心のあるＲＸ  Ｄ２Ｄ  ＵＥ１５１１は、ステップ１５１９において、ｅＮＢ１５１３とＲＲＣ接続を確立し、ＲＲＣ接続状態へ遷移する。ＲＸ  Ｄ２Ｄ  ＵＥ１５１１は、ステップ１５２１において、ｅＮＢ１５１３にディスカバリリソースリクエストメッセージを送信する。ＲＸ  Ｄ２Ｄ  ＵＥ１５１１は、ＲＸ  Ｄ２Ｄ  ＵＥ１５１１がモニタリングしようとするＴＸ  Ｄ２Ｄ  ＵＥのＤ２Ｄ  ＩＤをディスカバリリソースリクエストメッセージに含める。Ｄ２Ｄ  ＩＤは、ＵＥ  ＩＤ、アプリケーションユーザーＩＤ、表現コード、又はアプリケーションＩＤ＋ユーザーＩＤであり得る。ＲＸ  Ｄ２Ｄ  ＵＥ１５１１は、ＲＸ  Ｄ２Ｄ  ＵＥ１５１１がＴＸ  Ｄ２Ｄ  ＵＥが送信するディスカバリ情報を受信する専用ディスカバリリソースを要求することを通知できる。ＲＸ  Ｄ２Ｄ  ＵＥ１５１１は、ディスカバリリソースリクエストメッセージにＤ２Ｄ  ＩＤの一部、例えばアプリケーションＩＤ、又はＤ２Ｄカテゴリを含むことができる。
【０２７４】
ＲＸ  Ｄ２Ｄ  ＵＥ１５１１がｅＮＢ１５１３と接続を確立し、ｅＮＢ１５１３にディスカバリリソース割り当てリクエストメッセージを送信するケースについて、以上に説明した。
【０２７５】
あるいは、ｅＮＢ１５１３がステップ１５１７において任意のＴＸ  Ｄ２Ｄ  ＵＥに専用ディスカバリリソースを割り当てることを検出した場合にのみ、ＲＸ  Ｄ２Ｄ  ＵＥ１５１１は、ステップ１５１９において、ディスカバリリソースリクエストメッセージを送信することができる。ＲＸ  Ｄ２Ｄ  ＵＥ１５１１は、ｅＮＢ１５１３によりブロードキャスティングされるリソース割り当て情報からｅＮＢ１５１３が任意のＴＸ  Ｄ２Ｄ  ＵＥに専用ディスカバリリソースを割り当てるか否かを検出できる。この場合、ステップ１５１５は、選択的でない。ブロードキャスティングされるリソース割り当て情報は、任意の専用ディスカバリリソースが任意のＴＸ  Ｄ２Ｄ  ＵＥに割り当てられるか否かを示す情報を含む。
【０２７６】
ＲＸ  Ｄ２Ｄ  ＵＥ１５１１からディスカバリリソースリクエストメッセージを受信する場合、ｅＮＢ１５１３は、ステップ１５２３において、ディスカバリリソーステーブルを確認し、ディスカバリリソースリクエストメッセージに含まれているＤ２Ｄ  ＩＤ、すなわちＴＸ  Ｄ２Ｄ  ＵＥのＤ２Ｄ  ＩＤに対して専用ディスカバリリソースが割り当てられるか否かを判定する。ディスカバリリソースリクメッセージに含まれているＤ２Ｄ  ＩＤに対応するＴＸ  Ｄ２Ｄ  ＵＥに専用ディスカバリリソースが割り当てられる場合、ｅＮＢ１５１３は、ステップ１５２５において、ＴＸ  Ｄ２Ｄ  ＵＥに割り当てられる専用ディスカバリリソースに対するリソース割り当て情報を含むディスカバリリソース応答メッセージをＲＸ  Ｄ２Ｄ  ＵＥ１５１１に送信する。
【０２７７】
ｅＮＢ１５１３からディスカバリリソース応答メッセージを受信した後、ＲＸ  Ｄ２Ｄ  ＵＥ１５１１は、ｅＮＢ１５１３とＲＲＣ接続を解除せず、ＲＲＣ接続状態に存在する。ＲＸ  Ｄ２Ｄ  ＵＥ１５１１は、ステップ１５２９において、ＲＲＣ接続状態でディスカバリリソース応答メッセージに含まれるリソース割り当て情報に対応する専用ディスカバリリソースを通じてＴＸ  Ｄ２Ｄ  ＵＥが送信するディスカバリ情報を受信する。
【０２７８】
ＲＸ  Ｄ２Ｄ  ＵＥ１５１１は、ＲＸ  Ｄ２Ｄ  ＵＥ１５１１により既にリソース割り当て情報を獲得したＴＸ  Ｄ２Ｄ  ＵＥに割り当てられる専用ディスカバリリソースに対するリソース割り当て情報を検出するために、同一のｅＮＢ、すなわちｅＮＢ１５１３にディスカバリリソースリクエストメッセージを再び送信する必要はない。
【０２７９】
ＲＸ  Ｄ２Ｄ  ＵＥ１５１１は、ＲＸ  Ｄ２Ｄ  ＵＥ１５１１がｅＮＢ１５１３と異なる新たなｅＮＢへ移動する場合、新たなｅＮＢにディスカバリリソースリクエストメッセージを送信するか、あるいはディスカバリリソース情報がアップデートされる場合に、ディスカバリリソースリクエストメッセージをｅＮＢ１５１３に送信することができる。
【０２８０】
図１５に示していないが、専用ディスカバリリソースがディスカバリリソースリクエストメッセージに含まれるＤ２Ｄ  ＩＤに対応するＴＸ  Ｄ２Ｄ  ＵＥに割り当てられない場合、ｅＮＢ１５１３は、専用ディスカバリリソースがＴＸ  Ｄ２Ｄ  ＵＥ１５１１に割り当てられないことを表す情報をＲＸ  Ｄ２Ｄ  ＵＥ１５１１に送信できる。ＲＸ  Ｄ２Ｄ  ＵＥ１５１１は、ｅＮＢ１５１３とＲＲＣ接続を解除し、ＲＲＣアイドル状態へ遷移する。
【０２８１】
ｅＮＢ１５１３は、ステップ１５２７において、ディスカバリリソースリクエストテーブルを管理し、ディスカバリリソースリクエストテーブルは、ＲＸ  Ｄ２Ｄ  ＵＥのＤ２Ｄ  ＩＤとＲＸ  Ｄ２Ｄ  ＵＥにより要求される専用ディスカバリリソース情報に対するＴＸ  Ｄ２Ｄ  ＵＥのＤ２Ｄ  ＩＤとの間のマッピング関係を保存する。ｅＮＢ１５１３は、ＲＸ  Ｄ２Ｄ  ＵＥ１５１１からディスカバリリソースリクエストメッセージを受信する場合にディスカバリリソースリクエストテーブルにエントリを追加する。ここで、ディスカバリリソースリクエストテーブルに含まれるエントリは、該当ＲＸ  Ｄ２Ｄ  ＵＥとｅＮＢ１５１３との間のＲＲＣ接続が解除され、あるいは該当ＲＸ  Ｄ２Ｄ  ＵＥがｅＮＢ１５１３と異なる他のｅＮＢにハンドオーバーされ、あるいは該当ＲＸ  Ｄ２Ｄ  ＵＥがパワーダウンされる場合に除去される。
【０２８２】
図１５は、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例を示すが、多様な変形が図１５に対してなされ得る。例えば、一連のオペレーションとして示すが、図１５で多様なオペレーションがオーバーラップされ、並列に発生し、異なる順序で発生し、あるいは複数回発生してもよい。
【０２８３】
図１５を参照して、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例について説明し、図１６を参照して、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例について説明する。
【０２８４】
図１６は、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例を概略的に示す。
【０２８５】
図１６を参照すると、通信システムは、ＲＸ  Ｄ２Ｄ  ＵＥ１６１１、ｅＮＢ１６１３、及びリソースコーディネータ１６１５を含む。
【０２８６】
ｅＮＢ１６１３は、ステップ１６１５において、ＴＸ  Ｄ２Ｄ  ＵＥ(図１６に図示せず)に専用ディスカバリリソースを割り当て、割り当てた専用ディスカバリリソースに関する情報をブロードキャスティングする。例えば、割り当てた専用ディスカバリリソースに関する情報は、システム情報を通じてブロードキャスティングされる。ステップ１６１５は、ｅＮＢ１５１３により選択的に実行され得る。
【０２８７】
ＴＸ  Ｄ２Ｄ  ＵＥにより送信されるディスカバリ情報をモニタリングすることに関心のあるＲＸ  Ｄ２Ｄ  ＵＥ１６１１は、ステップ１６２１において、ｅＮＢ１６１３とＲＲＣ接続を確立し、ＲＲＣ接続状態へ遷移する。ＲＸ  Ｄ２Ｄ  ＵＥ１６１１は、ステップ１６２３において、ｅＮＢ１６１３にディスカバリリソースリクエストメッセージを送信する。ＲＸ  Ｄ２Ｄ  ＵＥ１６１１は、ＲＸ  Ｄ２Ｄ  ＵＥ１６１１がモニタリングしようとするＴＸ  Ｄ２Ｄ  ＵＥのＤ２Ｄ  ＩＤをディスカバリリソースリクエストメッセージに含める。Ｄ２Ｄ  ＩＤは、ＵＥ  ＩＤ、アプリケーションユーザーＩＤ、表現コード、又はアプリケーションＩＤ＋ユーザーＩＤであり得る。ＲＸ  Ｄ２Ｄ  ＵＥ１６１１は、ＲＸ  Ｄ２Ｄ  ＵＥ１６１１がＤ２Ｄ  ＵＥが送信するディスカバリ情報を受信するための専用ディスカバリリソースを要求することを通知できる。ＲＸ  Ｄ２Ｄ  ＵＥ１６１１は、ディスカバリリソースリクエストメッセージにＤ２Ｄ  ＩＤの一部、例えばアプリケーションＩＤ、又はＤ２Ｄカテゴリを含めることができる。
【０２８８】
以上に、ＲＸ  Ｄ２Ｄ  ＵＥ１６１１がｅＮＢ１６１３とＲＲＣ接続を確立し、ｅＮＢ１６１３にディスカバリリソースリクエストメッセージを送信するケースについて説明した。
【０２８９】
あるいは、ｅＮＢ１６１３が、ステップ１６１９において任意のＴＸ  Ｄ２Ｄ  ＵＥに専用ディスカバリリソースを割り当てることを検出した場合のみに、ＲＸ  Ｄ２Ｄ  ＵＥ１６１１は、ステップ１６２１において、ディスカバリリソースリクエストメッセージを送信することができる。ＲＸ  Ｄ２Ｄ  ＵＥ１６１１は、ｅＮＢ１６１３によりブロードキャスティングされるリソース割り当て情報から任意のＴＸ  Ｄ２Ｄ  ＵＥに専用ディスカバリリソースを割り当てるか否かを検出できる。この場合、ステップ１６１５は選択的でない。ブロードキャスティングされるリソース割り当て情報は、任意の専用ディスカバリリソースが任意のＴＸ  Ｄ２Ｄ  ＵＥに割り当てられるか否かを示す情報を含む。
【０２９０】
ＲＸ  Ｄ２Ｄ  ＵＥ１６１１からディスカバリリソースリクエストメッセージを受信する場合、ｅＮＢ１６１３は、ステップ１６２５において、リソースコーディネータ１６１５にディスカバリリソースリクエストメッセージを送信する。ｅＮＢ１６１３からディスカバリリソースリクエストメッセージを受信した後に、リソースコーディネータ１６１５は、ステップ１６２７において、ディスカバリリソーステーブルを確認し、専用ディスカバリリソースがディスカバリリソースリクエストメッセージに含まれているＤ２Ｄ  ＩＤ、すなわちＴＸ  Ｄ２Ｄ  ＵＥのＤ２Ｄ  ＩＤに対して割り当てられるとか否かを判定する。専用ディスカバリリソースがディスカバリリソースリクエストメッセージに含まれるＤ２Ｄ  ＩＤに対応するＴＸ  Ｄ２Ｄ  ＵＥに対して専用ディスカバリリソースが割り当てられる場合、リソースコーディネータ１６１５は、ステップ１６２９において、ＴＸ  Ｄ２Ｄ  ＵＥに割り当てられる専用ディスカバリリソースに対するリソース割り当て情報を含むディスカバリリソース応答メッセージをｅＮＢ１６１３に送信する。
【０２９１】
リソースコーディネータ１６１５からディスカバリリソース応答メッセージを受信した後に、ｅＮＢ１６１３は、ステップ１６３１において、ＲＸ  Ｄ２Ｄ  ＵＥ１６１１にディスカバリリソース応答メッセージを送信する。ｅＮＢ１６１３からディスカバリリソース応答メッセージを受信した後、ＲＸ  Ｄ２Ｄ  ＵＥ１６１１は、ｅＮＢ１６１３とＲＲＣ接続を解除せずにＲＲＣ接続状態にそのまま残っている。ＲＸ  Ｄ２Ｄ  ＵＥ１６１１は、ステップ１６３５において、ＲＲＣ接続状態でディスカバリリソース応答メッセージに含まれるリソース割り当て情報に対応するように該当する専用ディスカバリリソースを通じてＴＸ  Ｄ２Ｄ  ＵＥが送信するディスカバリ情報を受信する。
【０２９２】
ＲＸ  Ｄ２Ｄ  ＵＥ１６１１は、ＲＸ  Ｄ２Ｄ  ＵＥ１６１１が既にリソース割り当て情報を獲得したＴＸ  Ｄ２Ｄ  ＵＥに割り当てられた専用ディスカバリリソースに対するリソース割り当て情報を検出するために、同一のｅＮＢ、すなわちｅＮＢ１６１３にディスカバリリソースリクエストメッセージを再び送信する必要はない。
【０２９３】
ＲＸ  Ｄ２Ｄ  ＵＥ１６１１は、ＲＸ  Ｄ２Ｄ  ＵＥ１６１１がｅＮＢ１６１３と異なる新たなｅＮＢに移動する場合、新たなｅＮＢにディスカバリリソースリクエストメッセージを送信するか、あるいはディスカバリリソース情報がアップデートされる場合、ディスカバリリソースリクエストメッセージをｅＮＢ１６１３に送信できる。
【０２９４】
図１６に別に図示されていないが、ディスカバリリソースリクエストメッセージに含まれているＤ２Ｄ  ＩＤに対応するＴＸ  Ｄ２Ｄ  ＵＥに対して専用ディスカバリリソースが割り当てられない場合、リソースコーディネータ１６１５は、ＴＸ  Ｄ２Ｄ  ＵＥに専用ディスカバリリソースが割り当てられないことを示す情報を、ｅＮＢ１６１３を通じてＲＸ  Ｄ２Ｄ  ＵＥ１６１１に送信できる。ＲＸ  Ｄ２Ｄ  ＵＥ１６１１は、ｅＮＢ１６１３とＲＲＣ接続を解除し、ＲＲＣアイドル状態へ遷移する。
【０２９５】
リソースコーディネータ１６１５は、ディスカバリリソースリクエストテーブルを管理し、ディスカバリリソースリクエストテーブルは、ＲＸ  Ｄ２Ｄ  ＵＥのＤ２Ｄ  ＩＤとＲＸ  Ｄ２Ｄ  ＵＥにより要求される専用ディスカバリリソース情報に対するＴＸ  Ｄ２Ｄ  ＵＥのＤ２Ｄ  ＩＤとの間のマッピング関係を格納する。ここで、リソースコーディネータ１６１５は、リソースコーディネータ１６１５がｅＮＢ１６１３からディスカバリリソースリクエストメッセージを受信する場合、ディスカバリリソースリクエストテーブルにエントリを追加する。ここで、ディスカバリリソースリクエストテーブルに含まれるエントリは、該当ＲＸ  Ｄ２Ｄ  ＵＥとｅＮＢ１６１３との間のＲＲＣ接続が解除され、あるいは該当ＲＸ  Ｄ２Ｄ  ＵＥがｅＮＢ１６１３でない他のｅＮＢにハンドオーバーし、あるいは該当ＲＸ  Ｄ２Ｄ  ＵＥがパワーダウンされる場合に除去される。
【０２９６】
図１６は、本発明の一実施形態によるＤ２Ｄ方式をサポートする通信システムにおいてＲＸ  Ｄ２Ｄ  ＵＥに専用ディスカバリリソースに関する情報を提供するプロセスの他の例を示すが、多様な変形が図１６に対してなされ得る。例えば、一連のオペレーションを示すが、図１６で多様なオペレーションがオーバーラップされ、並列に発生し、異なる順序で発生し、あるいは複数回発生してもよい。
【０２９７】
図１６を参照して、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例について説明し、図１７を参照して、本発明の一実施形態によるＤ２Ｄ方式をサポートする通信システムにおいて、ＲＸ  Ｄ２Ｄ  ＵＥに専用ディスカバリリソースに関する情報を提供するプロセスの他の例について説明する。
【０２９８】
図１７は、本発明の一実施形態によるＤ２Ｄ方式をサポートする通信システムにおいてＲＸ  Ｄ２Ｄ  ＵＥに専用ディスカバリリソースに関する情報を提供するプロセスの他の例を概略的に示す。
【０２９９】
図１７を参照すると、通信システムは、ＲＸ  Ｄ２Ｄ  ＵＥ１７１１とサーバ１７１３を含む。
【０３００】
サーバ１７１３は、ステップ１７１５において、ＴＸ  Ｄ２Ｄ  ＵＥ(図１７に図示せず)に専用ディスカバリリソースを割り当て、割り当てた専用ディスカバリリソースに関する情報をブロードキャスティングする。例えば、割り当てた専用ディスカバリリソースに関する情報は、システム情報を通じてブロードキャスティングする。ステップ１７１５は、サーバ１７１３により選択的に実行され得る。
【０３０１】
ＴＸ  Ｄ２Ｄ  ＵＥにより送信されるディスカバリ情報をモニタリングすることに関心のあるＲＸ  Ｄ２Ｄ  ＵＥ１７１１は、ステップ１７１９において、リソース割り当て情報を受信する場合、サーバ１７１３とＲＲＣ接続を確立し、ＲＲＣ接続状態へ遷移する。ＲＸ  Ｄ２Ｄ  ＵＥ１７１１は、ステップ１７２１において、サーバ１７１３にディスカバリリソースリクエストメッセージを送信する。ＲＸ  Ｄ２Ｄ  ＵＥ１７１１は、ＲＸ  Ｄ２Ｄ  ＵＥ１７１１がモニタリングしようとするＴＸ  Ｄ２Ｄ  ＵＥのＤ２Ｄ  ＩＤをディスカバリリソースリクエストメッセージに含める。ここで、Ｄ２Ｄ  ＩＤは、ＵＥ  ＩＤ、アプリケーションユーザーＩＤ、表現コード、又はアプリケーションＩＤ＋ユーザーＩＤであり得る。ＲＸ  Ｄ２Ｄ  ＵＥ１７１１は、ＲＸ  Ｄ２Ｄ  ＵＥ１７１１がＴＸ  Ｄ２Ｄ  ＵＥが送信するディスカバリ情報を受信するための専用ディスカバリリソースを要求することを通知できる。ＲＸ  Ｄ２Ｄ  ＵＥ１７１１は、ディスカバリリソースリクエストメッセージがＤ２Ｄ  ＩＤの一部、例えばアプリケーションＩＤ、又はＤ２Ｄカテゴリを含むことができる。
【０３０２】
以上に、ＲＸ  Ｄ２Ｄ  ＵＥ１７１１がサーバ１７１３とＲＲＣ接続を確立し、サーバ１７１３にディスカバリリソースリクエストメッセージを送信するケースについて説明した。
【０３０３】
あるいは、サーバ１７１３がステップ１７１７において任意のＴＸ  Ｄ２Ｄ  ＵＥに専用ディスカバリリソースを割り当てることを検出した場合にのみ、ＲＸ  Ｄ２Ｄ  ＵＥ１７１１は、ステップ１７１９において、ディスカバリリソースリクエストメッセージを送信することができる。ＲＸ  Ｄ２Ｄ  ＵＥ１７１１は、サーバ１７１３によりブロードキャスティングされるリソース割り当て情報からサーバ１７１３が任意のＴＸ  Ｄ２Ｄ  ＵＥに専用ディスカバリリソースを割り当てるか否かを検出できる。この場合、ステップ１７１５は、選択的でない。ブロードキャスティングされるリソース割り当て情報は、任意の専用ディスカバリリソースが任意のＴＸ  Ｄ２Ｄ  ＵＥに割り当てられるか否かを示す情報を含む。
【０３０４】
ＲＸ  Ｄ２Ｄ  ＵＥ１７１１からディスカバリリソースリクエストメッセージを受信する場合、サーバ１７１３は、ステップ１７２３において、ディスカバリリソーステーブルを確認し、ディスカバリリソースリクエストメッセージに含まれているＤ２Ｄ  ＩＤ、すなわちＴＸ  Ｄ２Ｄ  ＵＥのＤ２Ｄ  ＩＤに対して専用ディスカバリリソースが割り当てられるか否かを判定する。ディスカバリリソースリクメッセージに含まれているＤ２Ｄ  ＩＤに対応するＴＸ  Ｄ２Ｄ  ＵＥに専用ディスカバリリソースが割り当てられる場合、サーバ１７１３は、ステップ１７２５において、ＴＸ  Ｄ２Ｄ  ＵＥに割り当てられる専用ディスカバリリソースに対するリソース割り当て情報を含むディスカバリリソース応答メッセージをＲＸ  Ｄ２Ｄ  ＵＥ１７１１に送信する。
【０３０５】
サーバ１７１３からディスカバリリソース応答メッセージを受信した後、ＲＸ  Ｄ２Ｄ  ＵＥ１７１１は、サーバ１７１３とＲＲＣ接続を解除せず、ＲＲＣ接続状態に存在する。ＲＸ  Ｄ２Ｄ  ＵＥ１７１１は、ステップ１７２９において、ＲＲＣ接続状態でディスカバリリソース応答メッセージに含まれるリソース割り当て情報に対応する専用ディスカバリリソースを通じてＴＸ  Ｄ２Ｄ  ＵＥが送信するディスカバリ情報を受信する。
【０３０６】
ＲＸ  Ｄ２Ｄ  ＵＥ１７１１は、ＲＸ  Ｄ２Ｄ  ＵＥ１７１１により既にリソース割り当て情報を獲得したＴＸ  Ｄ２Ｄ  ＵＥに割り当てられる専用ディスカバリリソースに対するリソース割り当て情報を検出するために、同一のｅＮＢ、すなわちサーバ１７１３にディスカバリリソースリクエストメッセージを再び送信する必要はない。
【０３０７】
ＲＸ  Ｄ２Ｄ  ＵＥ１７１１は、ＲＸ  Ｄ２Ｄ  ＵＥ１７１１がサーバ１７１３と異なる新たなｅＮＢへ移動する場合、新たなｅＮＢにディスカバリリソースリクエストメッセージを送信するか、あるいはディスカバリリソース情報がアップデートされる場合に、ディスカバリリソースリクエストメッセージをサーバ１７１３に送信することができる。
【０３０８】
図１７に示していないが、専用ディスカバリリソースがディスカバリリソースリクエストメッセージに含まれるＤ２Ｄ  ＩＤに対応するＴＸ  Ｄ２Ｄ  ＵＥに割り当てられない場合、サーバ１７１３は、専用ディスカバリリソースがＴＸ  Ｄ２Ｄ  ＵＥ１７１１に割り当てられないことを表す情報をＲＸ  Ｄ２Ｄ  ＵＥ１７１１に送信できる。ＲＸ  Ｄ２Ｄ  ＵＥ１７１１は、サーバ１７１３とＲＲＣ接続を解除し、ＲＲＣアイドル状態へ遷移する。
【０３０９】
サーバ１７１３は、ステップ１７２７において、ディスカバリリソースリクエストテーブルを管理し、ディスカバリリソースリクエストテーブルは、ＲＸ  Ｄ２Ｄ  ＵＥのＤ２Ｄ  ＩＤとＲＸ  Ｄ２Ｄ  ＵＥにより要求される専用ディスカバリリソース情報に対するＴＸ  Ｄ２Ｄ  ＵＥのＤ２Ｄ  ＩＤとの間のマッピング関係を保存する。サーバ１７１３は、ＲＸ  Ｄ２Ｄ  ＵＥ１７１１からディスカバリリソースリクエストメッセージを受信する場合にディスカバリリソースリクエストテーブルにエントリを追加する。ここで、ディスカバリリソースリクエストテーブルに含まれるエントリは、該当ＲＸ  Ｄ２Ｄ  ＵＥとサーバ１７１３との間のＲＲＣ接続が解除され、あるいは該当ＲＸ  Ｄ２Ｄ  ＵＥがサーバ１７１３と異なる他のｅＮＢにハンドオーバーされ、あるいは該当ＲＸ  Ｄ２Ｄ  ＵＥがパワーダウンされる場合に除去さされる。
【０３１０】
図１１乃至図１７を参照して本発明の第２の実現方式について説明し、図１８乃至図２６を参照して本発明の第３の実現方式について説明する。
【０３１１】
図１８を参照して、本発明の一実施形態によるＤ２Ｄ方式をサポートする通信システムにおいてＴＸ  Ｄ２Ｄ  ＵＥに専用ディスカバリリソースを割り当てるプロセスの他の例について説明する。
【０３１２】
図１８は、本発明の一実施形態によるＤ２Ｄ方式をサポートする通信システムにおいてＴＸ  Ｄ２Ｄ  ＵＥに専用ディスカバリリソースを割り当てるプロセスの他の例を概略的に示す。
【０３１３】
図１８を参照すると、通信システムは、ＴＸ  Ｄ２Ｄ  ＵＥ１８１１、ｅＮＢ１８１３、及びＲＸ  Ｄ２Ｄ  ＵＥ１８１５を含む。図１８に示していないが、図１８の動作を実行する前に、ＴＸ  Ｄ２Ｄ  ＵＥ１８１１は、ＴＸ  Ｄ２Ｄ  ＵＥ１８１１がとどまっているセルがディスカバリサービスをサポートするか否かを判定する。例えば、これは、とどまるセルでｅＮＢ１８１３によりディスカバリ情報を搬送するＳＩＢがブロードキャスティングされるか否かを判定することで決定できる。
【０３１４】
ディスカバリ情報送信に関心のあるＴＸ  Ｄ２Ｄ  ＵＥ１８１１は、ステップ１８１５で、ＴＸ  Ｄ２Ｄ  ＵＥ１８１１がｅＮＢ１８１３でディスカバリリソースリクエストメッセージを送信しなければならないか否かを決定する。ＴＸ  Ｄ２Ｄ  ＵＥ１８１１によるディスカバリリソースリクエストメッセージを送信することに対する判定は、次のような方式のうち一つ以上を用いて実行される。
【０３１５】
第１の方式で、ｅＮＢ１８１１は、ＵＥ自律リソース選択(すなわち、タイプ１)及び/又はスケジューリングされたディスカバリリソース割り当て(すなわち、タイプ２）をサポートできる。ｅＮＢ１８１１は、システム情報、例えばＤ２Ｄシステム情報ブロック(ＳＩＢ)を用いてネットワークによりタイプ１及び/又はタイプ２ディスカバリリソース割り当てがサポートされるか否かを示す。ここで、タイプ１リソースは共通ディスカバリリソースを意味し、タイプ２リソースは専用ディスカバリリソースを意味する。ネットワークがタイプ２ディスカバリリソース割り当てメカニズムをサポートする場合、ディスカバリ情報の送信を所望するＴＸ  Ｄ２Ｄ  ＵＥ１８１１は、ｅＮＢ１８１１にディスカバリリソースを要求する。
【０３１６】
第２の方式で、ネットワークは、タイプ１ディスカバリリソース割り当てメカニズムとタイプ２ディスカバリリソース割り当てメカニズムを両方ともにサポートでき、ネットワークは、Ｄ２Ｄ  ＵＥの加入情報、例えば該当Ｄ２Ｄ  ＵＥが高品質を要求する高品質Ｄ２Ｄ  ＵＥであり、あるいは該当Ｄ２Ｄ  ＵＥが固定Ｄ２Ｄ  ＵＥであること示す情報に基づいて特定Ｄ２Ｄ  ＵＥがタイプ２ディスカバリリソースを使用するように事前構成できる。この方式で、ディスカバリ情報の送信を所望し、タイプ２ディスカバリリソースを使用するように事前構成された送信Ｄ２ＤＵＥ１８１１は、ｅＮＢ１８１３にディスカバリリソースを要求する。
【０３１７】
第３の方式で、Ｄ２Ｄ  ＵＥがタイプ１ディスカバリリソース及びタイプ２ディスカバリリソースのうちいずれか一つでも使用するように事前構成される場合及びネットワークがタイプ１ディスカバリリソース割り当てメカニズム及びタイプ２ディスカバリリソース割り当てメカニズムをサポートする場合、タイプ１ディスカバリリソース又はタイプ２ディスカバリリソースを使用するか否かは、Ｄ２Ｄ  ＵＥ実現で決定され得る。
【０３１８】
例えば、ＴＸ  Ｄ２Ｄ  ＵＥ１８１１は、常にタイプ２ディスカバリリソースを使用できる。他の例で、ＴＸ  Ｄ２Ｄ  ＵＥ１８１１は、ＴＸ  Ｄ２Ｄ  ＵＥ１８１１の上位階層が特定ディスカバリ情報の送信のためにタイプ２ディスカバリリソースを使用することを示す場合にタイプ２ディスカバリリソースを要求できる。もう一つの例で、ＴＸ  Ｄ２Ｄ  ＵＥ１８１１は、ＴＸ  Ｄ２Ｄ  ＵＥ１８１１が、タイプ１ディスカバリリソースが他のＤ２Ｄ  ＵＥにより使用されることを検出する場合、タイプ２ディスカバリリソースを要求できる。
【０３１９】
第４の方式で、ｅＮＢ１８１３は、ユニキャスト又はブロードキャスト方式でＤＬ受信信号電力しきい値をシグナリングする。ＴＸ  Ｄ２Ｄ  ＵＥ１８１１により測定されるＤＬ受信信号電力がＤＬ受信信号電力しきい値より大きい場合、ＴＸＤ２Ｄ  ＵＥは、タイプ２ディスカバリリソースを使用する。
【０３２０】
第５の方式で、ＴＸ  Ｄ２Ｄ  ＵＥ１８１１がＲＲＣ接続状態に存在し、ＴＸ  Ｄ２Ｄ  ＵＥ１８１１がＲＲＣ接続状態へ遷移するのでディスカバリリソースリクエストを送信しなかった場合、あるいはＴＸ  Ｄ２Ｄ  ＵＥ１８１１がＲＲＣアイドル状態に存在し、共通ディスカバリＴＸリソースがｅＮＢ１８１３によりブロードキャスティングされない場合、あるいはＴＸ  Ｄ２Ｄ  ＵＥ１８１１により要求されるディスカバリリソースの個数がＴＸ  Ｄ２Ｄ  ＵＥ１８１１がディスカバリリソースリクエストを送信した最後時間以後に変更される場合、あるいはＴＸ  Ｄ２Ｄ  ＵＥ１８１１がディスカバリリソースリクエストメッセージを送信した最後時間以後に、ディスカバリサービスをサポートしないセルに接続しない場合、ＴＸＤ２Ｄ  ＵＥ１８１１は、ｅＮＢ１８１３にディスカバリリソースに対する要求を送信する。
【０３２１】
ステップ１８１５において、ＴＸ  Ｄ２Ｄ  ＵＥ１８１１がディスカバリリソースのためにｅＮＢ１９１１にディスカバリリソースリクエストメッセージを送信しなければならないと判定し、ＴＸ  Ｄ２Ｄ  ＵＥ１８１１がＲＲＣ接続状態に存在しない場合、ＴＸ  Ｄ２Ｄ  ＵＥ１８１１は、ステップ１８１７において、ｅＮＢ１８１３とＲＲＣ接続を確立し、ＲＲＣ接続状態へ遷移する。本発明の一実施形態において、ＲＲＣ接続状態に存在せず、ディスカバリ情報送信に関心のあるＴＸ  Ｄ２Ｄ  ＵＥ１８１１は、ディスカバリ情報送信がＴＸ  Ｄ２Ｄ  ＵＥ１８１１がとどまるセルによりサポートされ、ディスカバリ情報送信のための共通リソースがブロードキャスティングされない場合、ＲＲＣ接続確立を開始する。ディスカバリ情報送信は、ディスカバリ情報を搬送するＳＩＢ(例えば、ＳｙｓｔｅｍＩｎｆｏｒｍａｔｉｏｎＢｌｏｃｋＴｙｐｅ１９)がセルによりブロードキャスティングされる場合にサポートされる。あるいは、ディスカバリ情報送信がセルでサポートされるか否かは、セルによりブロードキャスティングされるディスカバリ情報を搬送するＳＩＢ(例えば、ＳｙｓｔｅｍＩｎｆｏｒｍａｔｉｏｎＢｌｏｃｋＴｙｐｅ１９)に含まれている指示により決定される。ＴＸ  Ｄ２Ｄ  ＵＥ１８１１は、ステップ１８１９において、ディスカバリリソースリクエストメッセージをｅＮＢ１８１３に送信する。例えば、ディスカバリリソースリクエストメッセージは、ＰｒｏＳｅ  ＵＥ情報メッセージであり得る。
【０３２２】
ＴＸ  Ｄ２Ｄ  ＵＥ１８１１は、ｅＮＢ１８１３にディスカバリリソースリクエストメッセージを通じてＴＸ  Ｄ２Ｄ  ＵＥ１８１１がどれくらいの個数のディスカバリリソースを必要とするか、あるいはＴＸ  Ｄ２Ｄ  ＵＥ１８１１が送信するディスカバリ情報エレメント又はディスカバリメッセージの個数を示す。すなわち、ディスカバリリソースリクエストメッセージは、ディスカバリリソースの個数を示す情報又はディスカバリ情報エレメント又はディスカバリメッセージの個数を示す情報を含むことができる。ＴＸ  Ｄ２Ｄ  ＵＥ１８１１は、ディスカバリリソースリクエストメッセージを通じてＴＸ  Ｄ２Ｄ  ＵＥ１８１１がディスカバリ情報を送信する期間をｅＮＢ１８１３に指示できる。すなわち、ディスカバリリソースリクエストメッセージは、ディスカバリリソース送信期間を示す情報を含むことができる。
【０３２３】
ＴＸ  Ｄ２Ｄ  ＵＥ１８１１は、ｅＮＢ１８１３にディスカバリリソースリクエストメッセージを通じてＴＸ  Ｄ２Ｄ  ＵＥ１８１１が各ディスカバリ情報に対して該当ディスカバリリソースをどれくらい長く必要とするかを指示できる。すなわち、ディスカバリリソースリクエストメッセージは、ディスカバリリソース保持時間を表す情報を含むことができる。
【０３２４】
ディスカバリリソースリクエストメッセージは、ディスカバリリソースリクエストインデックスを含むことができる。ＴＸ  Ｄ２Ｄ  ＵＥ１８１１がディスカバリリソースリクエストメッセージで複数のディスカバリ情報送信に対するリソースを要求する場合、ディスカバリリソースリクエストインデックスは、要求される各リソースに対して割り当てられる。
ディスカバリリソースリクエストメッセージは、ディスカバリリソースリクエストで要求される各リソースに対する優先順位レベルを含むことができる。
【０３２５】
ＴＸ  Ｄ２Ｄ  ＵＥ１８１１は、ディスカバリリソースリクエストメッセージでＴＸ  Ｄ２Ｄ  ＵＥ１８１１の所望リソースタイプ(競争ベースタイプ又は専用タイプ）を示すことができる。ディスカバリリソースリクエストメッセージに複数のディスカバリ情報送信に対するリソース要求が含まれる場合、各リソース要求に対して所望のリソースタイプが含まれる。
【０３２６】
ディスカバリリソースリクエストメッセージは、案内されるディスカバリ情報と関連した範囲クラスを含むことができる。本発明の一実施形態において、ディスカバリサービス指示インジケータが定義される。ディスカバリサービスインジケータは、ディスカバリ期間、優先順位、範囲クラス、区間のようなパラメータの値に対する集合を示す。ディスカバリリソースリクエストメッセージは、ディスカバリリソースが要求されるディスカバリ情報送信に対応するディスカバリサービスインジケータを含むことができる。ここで、ディスカバリサービスインジケータは、別途のパラメータの代わりにディスカバリリソースリクエストメッセージに含まれる。
【０３２７】
図１８に示していないが、ｅＮＢ１８１３は、ＴＸ  Ｄ２Ｄ  ＵＥ２５１１がディスカバリリソースを要求することを許可するＤ２Ｄ  ＵＥであるか否かを確認する動作を実行する。ｅＮＢ１８１３は、ＭＭＥから受信されるＵＥコンテキストに基づいてＴＸ  Ｄ２Ｄ  ＵＥ１８１１がディスカバリリソースを要求することが許可されるＤ２Ｄ  ＵＥであるか否かを確認する動作を実行する。ＴＸ  Ｄ２Ｄ  Ｕ１８１１がディスカバリリソースを要求することが許可される場合、ｅＮＢ１８１３は、ＴＸ  Ｄ２Ｄ  ＵＥ１８１１にディスカバリリソースを割り当てる。
【０３２８】
例えば、ＵＥコンテキストは、（１）Ｄ２Ｄ  ＵＥがディスカバリリソースを要求することが許可されるか否かを示す情報、(２)どれくらいのディスカバリリソースがＤ２Ｄ  ＵＥに割り当てられるかを示す情報、(３)Ｄ２Ｄ  ＵＥが使用するディスカバリリソースメカニズムを示す情報、(４)Ｄ２Ｄ  ＵＥが固定Ｄ２Ｄ  ＵＥであるか否かを示す情報のうち少なくとも一つを含む。ディスカバリリソースメカニズムは、タイプ１ディスカバリリソースメカニズムとタイプ２ディスカバリリソースメカニズムのうちいずれか一つを含む。タイプ１(又はＵＥ自律リソース選択)ディスカバリリソースメカニズムにおいて、ＴＸ  Ｄ２Ｄ  ＵＥは、リソースプールからリソースをランダムに選択する。複数のＴＸ  Ｄ２Ｄ  ＵＥにより選択されるリソースは同一であり、それによってタイプ１ディスカバリリソースメカニズムで衝突できる。タイプ２(又はスケジュールされたリソース割り当て)ディスカバリリソースメカニズムで、ディスカバリリソースは、ネットワークによりＴＸ  Ｄ２Ｄ  ＵＥに割り当てられる。タイプ２ディスカバリリソースメカニズムでは衝突は存在しない。
【０３２９】
ｅＮＢ１８１３が、ＴＸ  Ｄ２Ｄ  ＵＥ１８１１がＰｒｏＳｅ直接ディスカバリ案内に対して許可されないと判定する場合、ｅＮＢ１８１３は、ディスカバリリソースリクエストメッセージを拒否し、ディスカバリリソースリクエストメッセージが拒否されることをディスカバリリソース応答メッセージでＴＸ  Ｄ２Ｄ  ＵＥ１８１１に示す。拒否は、ディスカバリリソース応答メッセージで明示的に指示できる。あるいは、ディスカバリリソースがないディスカバリリソース応答メッセージは、ディスカバリリソースリクエストメッセージの拒否を指示することができる。
【０３３０】
ＴＸ  Ｄ２Ｄ  ＵＥ１８１１からディスカバリリソースリクエストメッセージを受信し、ＴＸ  Ｄ２Ｄ  ＵＥ１８１１がディスカバリリソースを要求することが許可されることを確認した後、ｅＮＢ１８１３は、ステップ１８２１において、ＴＸ  Ｄ２Ｄ  ＵＥ１８１１に一つ以上の専用ディスカバリリソースを割り当てる。専用ディスカバリリソースは、専用ディスカバリリソースプールであり、ＴＸ  Ｄ２Ｄ  ＵＥ１８１１は、ディスカバリ情報送信のためにリソースをランダムに選択する。専用ディスカバリリソースは、ディスカバリリソースプール内で割り当てられたリソースを表す一つ以上のリソースインデックスを有する専用ディスカバリリソースであり得る。
【０３３１】
ｅＮＢ１８１３は、ステップ１８２１において、ＴＸ  Ｄ２Ｄ  ＵＥ１８１１にディスカバリリソースリクエストメッセージに対する応答メッセージとしてディスカバリリソース応答メッセージを送信する。例えば、ディスカバリリソース応答メッセージは、ＲＲＣ接続再構成メッセージであり得る。ディスカバリリソース応答メッセージは、ＴＸ  Ｄ２Ｄ  ＵＥ１８１１に割り当てられる専用ディスカバリリソースに関する情報を含む。
【０３３２】
専用ディスカバリリソース情報は、専用ディスカバリリソースプールであり、ＴＸ  Ｄ２Ｄ  ＵＥ１８１１は、ディスカバリリソース送信のためにランダムにリソースを選択する。専用ディスカバリリソース情報は、ＴＸ  Ｄ２Ｄ  ＵＥ１８１１に割り当てられるディスカバリリソースプール内でのリソースを示す一つ以上のリソースインデックスを有する専用ディスカバリリソースプールであり得る。リソースインデックスは、時間インデックス及び周波数インデックスを含むことができる。時間インデックスは、割り当てられたディスカバリリソースを有する無線フレーム及び/又はサブフレームを指示できる。周波数インデックスは、割り当てられたディスカバリリソースのディスカバリ物理チャンネルインデックスあるいは物理無線ブロックインデックスを指示する。専用ディスカバリリソースに関する情報は、関連した専用ディスカバリリソース期間を含むことができる。あるいは、専用リソース期間は、ネットワークによりブロードキャスティングされ、専用にシグナリングされない。専用ディスカバリリソース期間は、該当専用ディスカバリリソースが使用可能な期間を表す。また、専用ディスカバリリソース期間は、ｎ＊ディスカバリリソース周期に設定できる。ここで、ｎは、ディスカバリリソース応答メッセージを通じてシグナリングされ、あるいは予め定義され得る。
【０３３３】
ｅＮＢ１８１３は、ディスカバリリソース応答メッセージに割り当てられた専用ディスカバリリソースに対するディスカバリリソース割り当てインデックスを含むことができる。ディスカバリリソース割り当てインデックスは、ｅＮＢ１８１３又はＴＸ  Ｄ２Ｄ  ＵＥ１８１１によりリソースの解除を要求するために使用できる。すなわち、ｅＮＢ１８１３は、ディスカバリリソースリクエストメッセージがディスカバリリソースリクエストインデックスを含む場合、ディスカバリリソース割り当てインデックスは、ディスカバリリソースリクエストインデックスと同一に設定される。
【０３３４】
あるいは、ディスカバリリソースリクエストメッセージがディスカバリリソースリクエストインデックスを含まない場合、ｅＮＢ１８１３は、ディスカバリリソース割り当てインデックスをＤ２Ｄ  ＵＥ別に管理し、ディスカバリリソース応答メッセージにディスカバリリソース割り当てインデックスを含む。
【０３３５】
あるいは、ディスカバリリソースリクエストインデックスがディスカバリリソースリクエストメッセージに含まれるか否かに関係なく、ディスカバリリソース割り当てインデックスは、ＵＥ別にｅＮＢ１８１３により管理され、ｅＮＢ１８１３は、ディスカバリリソース応答メッセージにディスカバリリソース割り当てインデックスを含める。
【０３３６】
あるいは、範囲クラスがディスカバリリソースリクエストメッセージで受信される場合、ｅＮＢ１８１３は、範囲クラスにより割り当てられるディスカバリリソース(競争ベースのプール又は専用ディスカバリリソース)に対する電力パラメータを設定する。ＴＸ  Ｄ２Ｄ  ＵＥ１８１１が異なるディスカバリ情報送信に対して異なる範囲クラスを通知する場合、ｅＮＢ１８１３は、割り当てられたディスカバリリソース(競争ベースのプール又は専用ディスカバリリソース)各々に対して異なる電力パラメータを設定する。範囲クラスがディスカバリリソースリクエストメッセージで受信され、ｅＮＢ１８１３がディスカバリリソース応答メッセージでタイプ１ＴＸリソースプールを割り当てる場合、ｅＮＢ１８１３は、要求される範囲クラスに対応するようにＴＸリソースプールを割り当て、ｅＮＢ１８１３は、各範囲クラスに対して別途のＴＸリソースプールを維持する。
【０３３７】
あるいは、ＴＸ  Ｄ２Ｄ  ＵＥ１８１１に関連した範囲クラスは、ｅＮＢ１８１３によりＭＭＥから受信されたＵＥコンテキストから決定され、それによって、ｅＮＢ１８１３は、範囲クラスに従ってＴＸ  Ｄ２Ｄ  ＵＥ１８１１に割り当てられたディスカバリリソース(競争ベースのプール又は専用ディスカバリリソース)に対する電力パラメータを設定する。ｅＮＢ１８１３がディスカバリリソース応答メッセージでタイプ１ＴＸリソースプールを割り当てる場合、ｅＮＢ１８１３は、要求される範囲クラスに対応してＴＸリソースプールを割り当てる。ここで、ｅＮＢ１８１３は、各範囲クラスに対して別途のＴＸリソースプールを維持する。
【０３３８】
範囲クラスがディスカバリリソースリクエストメッセージで受信されず、又は範囲クラスがＵＥのコンテキストでＭＭＥから受信されない場合、及びｅＮＢ１８１３がディスカバリリソース応答メッセージでタイプ１ＴＸリソースプールを割り当てる場合、ｅＮＢ１８１３は、複数のＴＸリソースプールを割り当てることができ、ｅＮＢ１８１３は、は各範囲クラスに対して別途のＴＸリソースプールを維持する。ＴＸ  Ｄ２Ｄ  ＵＥ１８１１は、範囲クラスに基づいてＴＸリソースプールを選択する。あるいは、ｅＮＢ１８１３は、ネットワークによりサポートされる各範囲クラスに対して範囲クラスと電力パラメータ(例えば、最大電力)との間のマッピングをディスカバリリソース応答メッセージでブロードキャスティングし、あるいは送信できる。ＴＸ  Ｄ２Ｄ  ＵＥ１８１１は、その許可された範囲クラス又はＴＸ  Ｄ２Ｄ  ＵＥ１８１１が送信することを希望するディスカバリ情報に関連した範囲クラスに対応するように電力パラメータを選択すべきである。
【０３３９】
ｅＮＢ１８１３は、割り当てられたディスカバリリソースのタイプに関係なくＴＸ  Ｄ２Ｄ  ＵＥ１８１１がディスカバリリソースリクエストメッセージを送信するように構成できる。したがって、タイプ１リソースがディスカバリリソースリクエストメッセージに対するディスカバリリソース応答メッセージを通じて割り当てられる場合、ディスカバリリソースの追加のために、ＴＸ  Ｄ２Ｄ  ＵＥ１８１１は、ｅＮＢ１８１３でディスカバリリソースリクエストメッセージを送信する。また、ｅＮＢ１８１３は、ＴＸ  Ｄ２Ｄ  ＵＥ１８１１が割り当てられるタイプ１ＴＸリソースプールから使用できるディスカバリリソースの個数を指示できる。ここで、ＴＸ  Ｄ２Ｄ  ＵＥ１８１１がより多くの許可されたディスカバリリソースを必要とする場合、ＴＸ  Ｄ２Ｄ  ＵＥ１８１１は、ディスカバリリソースリクエストメッセージを送信する。
【０３４０】
ディスカバリリソースリクエストメッセージは、以前のディスカバリリソースリクエストメッセージに対する情報を含むことができる。例えば、ＴＸ  Ｄ２Ｄ  ＵＥ１８１１は、１個のディスカバリリソースに対するディスカバリリソースリクエストメッセージを送信し、それによって１個のディスカバリリソースを獲得する。その後、ＴＸ  Ｄ２Ｄ  ＵＥ１８１１は、追加的なディスカバリリソースを必要とすることがある。この場合、次のような２個のオプションが存在できる。
【０３４１】
まず、第１のオプションについて、次のように説明される。
【０３４２】
ＴＸ  Ｄ２Ｄ  ＵＥ１８１１は、追加的なディスカバリリソースリクエストに関する情報のみを含むディスカバリリソースリクエストメッセージを送信する。すなわち、ＴＸ  Ｄ２Ｄ  ＵＥ１８１１は、該当時点で必要となる１個の追加的なディスカバリリソースリクエストに関する情報のみを含むディスカバリリソースリクエストメッセージを送信する。
【０３４３】
次に、第２のオプションについて、次のように説明される。
【０３４４】
ＴＸ  Ｄ２Ｄ  ＵＥ１８１１は、ｅＮＢ１８１３に複数のディスカバリリソース、例えば２個のディスカバリリソース、すなわち１個の追加的なディスカバリリソース、１個の新たなディスカバリリソースに関する情報を含むディスカバリリソースリクエストメッセージを送信する。ｅＮＢ１８１３は、受信されるディスカバリリソースリクエストメッセージを追跡する必要がないため、ｅＮＢ１８１３を助け、ＴＸ  Ｄ２Ｄ  ＵＥ１８１１がターゲットｅＮＢ(図１８に図示せず）にハンドオーバーする場合、ターゲットｅＮＢにフォワードされる累積要求情報を形成する。
【０３４５】
ディスカバリリソース応答メッセージは、割り当てられたディスカバリリソースが使用可能な時間を示すことができる。あるいは、ディスカバリリソース応答メッセージは、割り当てられたディスカバリリソースが終了した後の時間を示す。例えば、ディスカバリリソース応答メッセージは、ディスカバリリソースがｘ個の送信に対して有効であり、送信間の期間は、ｎ＊ディスカバリリソース周期である。
【０３４６】
専用ディスカバリリソースがＲＲＣ接続状態でのみ使用される場合、専用ディスカバリリソースは、ＴＸ  Ｄ２Ｄ  ＵＥ１８１１又はｅＮＢ１８１３により明示的にシグナリングを通じて解除され、あるいはＲＲＣ接続が解除されるまで別途の時間期間は定義されず、割り当てられたディスカバリリソースは使用可能である。
【０３４７】
ディスカバリリソース送信のためにディスカバリリソース応答メッセージで受信されたディスカバリリソース構成が提供可能であり、ＴＸ  Ｄ２Ｄ  ＵＥ１８１１により使用される時間は、次のように決定される。
【０３４８】
第１の方式では、ｅＮＢがディスカバリリソース応答メッセージをディスカバリリソース周期ｘで送信し、あるいはディスカバリリソース周期ｘでＴＸ  Ｄ２Ｄ  ＵＥがディスカバリリソース応答メッセージを受信する場合、ＴＸ  Ｄ２Ｄ  ＵＥに割り当てられる専用ディスカバリリソースの第１のインスタンスはディスカバリリソース周期ｘ以後のｐ番目のディスカバリリソース周期、すなわちディスカバリリソース周期ｘ＋ｐに存在する。ここで、ｐはＤ２Ｄ方式をサポートする通信システムで固定的であり、例えば、ｐはディスカバリリソースがディスカバリリソース応答メッセージに含まれる場合、ＴＸ  Ｄ２Ｄ  ＵＥ１８１１が次のディスカバリリソース周期からディスカバリ情報送信のためにディスカバリリソース応答メッセージで指示されるリソースを使用することを表す１に設定することができる(ｐ＝１)。あるいは、ｐは、ディスカバリリソース応答メッセージでシグナリングされる。
【０３４９】
第１の方式は、図２を参照して説明した方法で実現され、ここではその詳細な説明を省略する。
【０３５０】
第２の方式で、ディスカバリリソース応答メッセージが受信されるサブフレーム/フレームとディスカバリリソース応答メッセージが受信されるディスカバリリソース周期ｘの次の、最初のディスカバリリソース周期、すなわちディスカバリリソース周期ｘ＋１で割り当てられた専用ディスカバリリソースに対応するサブフレーム/フレームとの間の差が予め設定されているオフセットより小さい場合、ＴＸ  Ｄ２Ｄ  ＵＥに割り当てられる専用ディスカバリリソースの第１のインスタンスは、ディスカバリリソース周期ｘ＋２に存在する。この場合、オフセットは、ディスカバリリソース応答メッセージに含まれる。
【０３５１】
第２の方式は、図３を参照して説明した方法で実行され、ここではその詳細な説明を省略する。
【０３５２】
第３の方式で、ディスカバリリソース応答メッセージが受信されるサブフレーム/フレームとディスカバリリソース応答メッセージが受信されるディスカバリリソース周期ｘ以後の、第１のディスカバリリソース周期、すなわちディスカバリリソース周期ｘ＋１でＴＸ  Ｄ２Ｄ  ＵＥに割り当てられる専用ディスカバリリソースに対応するサブフレーム/フレームとの間の差が予め設定されているオフセット以上である場合、割り当てられた専用ディスカバリリソースの第１のインスタンスは、ディスカバリリソース周期ｘ＋１に存在する。この場合、オフセットは、ディスカバリリソース応答メッセージに含まれる。
【０３５３】
第３の方式は、図４を参照して説明した方法で実行され、ここではその詳細な説明を省略する。
【０３５４】
さらに、ｅＮＢ１８１３は、ＴＸ  Ｄ２Ｄ  ＵＥ１８１１に割り当てられた専用ディスカバリリソースがＲＲＣアイドル状態で使用可能であるか否かを指示できる。
【０３５５】
ＴＸ  Ｄ２Ｄ  ＵＥ１８１１は、ステップ１８２５において、ＲＲＣアイドル状態で割り当てられる専用ディスカバリリソースを用いてディスカバリ情報を送信する。専用ディスカバリリソースが特定期間で使用可能である場合、ＴＸ  Ｄ２Ｄ  ＵＥ１８１１は、ｅＮＢ１８１３とＲＲＣ接続を確立し、ｅＮＢ１８１３に再び専用ディスカバリリソースを要求する。ｅＮＢ１８１３は、ＴＸ  Ｄ２Ｄ  ＵＥ１８１１がＲＲＣ接続を解除した後にも割り当てられた専用ディスカバリリソースに対する情報を維持することに留意すべきである。ｅＮＢ１８１３は、有効期間後に割り当てられた専用ディスカバリリソースを解除する。あるいは、ｅＮＢから割り当てられたディスカバリリソースに関する情報を有するディスカバリリソース応答メッセージを受信した後に、ＴＸ  Ｄ２Ｄ  ＵＥ１８１１は、ステップ１８２５において、ＲＲＣ接続状態で割り当てられたディスカバリリソースを用いてディスカバリ情報を送信する。
【０３５６】
ＴＸ  Ｄ２Ｄ  ＵＥがＲＲＣアイドル状態で新たなセルを選択し、新たなｅＮＢとＲＲＣ接続を確立し、新たなｅＮＢに専用ディスカバリリソースを要求する場合が発生できる。ここで、新たなｅＮＢをターゲットｅＮＢと称する。この場合、ＴＸ  Ｄ２Ｄ  ＵＥは、ＴＸ  Ｄ２Ｄ  ＵＥがＲＲＣアイドル状態で使用する専用ディスカバリリソースを割り当てた以前ｅＮＢに関する情報をターゲットｅＮＢに指示できる。ここで、以前ｅＮＢをソースｅＮＢと称する。したがって、ターゲットｅＮＢは、ソースｅＮＢと通信してＵＥコンテキストを獲得でき、ソースｅＮＢにＴＸ  Ｄ２Ｄ  ＵＥに割り当てられる専用ディスカバリリソースを解除するように要請する。
【０３５７】
あるいは、ＴＸ  Ｄ２Ｄ  ＵＥは、他の状態に遷移することなく、ＲＲＣ接続状態にあり、必要な場合に専用ディスカバリリソースを要求できる。また、ｅＮＢは、必要な場合にＴＸ  Ｄ２Ｄ  ＵＥに対するディスカバリリソースに関する情報をアップデートできる。
【０３５８】
ＴＸ  Ｄ２Ｄ  ＵＥがソースｅＮＢからターゲットｅＮＢにハンドオーバーする場合に専用ディスカバリリソースをハンドリングする動作について、具体的に説明すれば、次のようである。
【０３５９】
(１)専用ディスカバリリソース処理動作＃１
ソースｅＮＢは、ターゲットｅＮＢにハンドオーバーするＴＸ  Ｄ２Ｄ  ＵＥに割り当てられる専用ディスカバリリソースに関する情報を送信しない。ソースｅＮＢは、ターゲットｅＮＢからハンドオーバー成功指示を受信した後にＴＸ  Ｄ２Ｄ  ＵＥに対して割り当てられる専用ディスカバリリソースを解除する。本発明の一実施形態において、ターゲットｅＮＢからのハンドオーバー成功指示は、ＵＥコンテキスト解除メッセージであり得る。したがって、ＴＸ  Ｄ２Ｄ  ＵＥは、ターゲットｅＮＢに成功的にハンドオーバーした後に、ターゲットｅＮＢにディスカバリリソースリクエストを送信することでディスカバリリソースを要求する。これについて、具体的に説明すれば、次の通りである。
【０３６０】
図１９を参照して、本発明の一実施形態によるＤ２Ｄ方式をサポートする通信システムにおいて、ＴＸ  Ｄ２Ｄ  ＵＥがソースｅＮＢからターゲットｅＮＢへハンドオーバーする場合に専用リソース割り当てを処理するプロセスの例について説明する。
【０３６１】
図１９は、本発明の一実施形態によるＤ２Ｄ方式をサポートする通信システムにおいて、ＴＸ  Ｄ２Ｄ  ＵＥがソースｅＮＢからターゲットｅＮＢへハンドオーバーする場合に専用リソース割り当てを処理するプロセスの一例を概略的に示す。
図１９を参照すると、通信システムは、ＴＸ  Ｄ２Ｄ  ＵＥ１９１１、ソースｅＮＢ１９１３、及びターゲットｅＮＢ１９１５を含む。
【０３６２】
ソースｅＮＢ１９１３は、ステップ１９１７において、ターゲットｅＮＢ１９１５にＴＸ  Ｄ２Ｄ  ＵＥ１９１１に対するハンドオーバーリクエストメッセージを送信する。ソースｅＮＢ１９１３からハンドオーバーリクエストメッセージを受信した後に、ターゲットｅＮＢ１９１５は、ステップ１９１９において、ソースｅＮＢ１９１３からハンドオーバーリクエストメッセージに対する応答メッセージとしてハンドオーバー要求ＡＣＫ(acknowledgement)メッセージを送信する。ターゲットｅＮＢ１９１５からハンドオーバー要求ＡＣＫメッセージを受信した後に、ソースｅＮＢ１９１３は、ステップ１９２１において、ＴＸ  Ｄ２Ｄ  ＵＥ１９１１にハンドオーバー命令メッセージを送信する。
【０３６３】
ソースｅＮＢ１９１３からハンドオーバー命令メッセージを受信した後に、ＴＸ  Ｄ２Ｄ  ＵＥ１９１１は、ステップ１９２３において、ターゲットｅＮＢ１９１５にハンドオーバー確認メッセージを送信する。図１９において、ハンドオーバー確認メッセージは、ディスカバリリソースに対するリクエストを含む。ハンドオーバー確認メッセージを受信した後に、ターゲットｅＮＢ１９１５は、ハンドオーバー確認メッセージがディスカバリリソースに対するリクエストを含むことをわかり、ステップ１９２５において、ＴＸ  Ｄ２Ｄ  ＵＥ１９１１にディスカバリリソース応答メッセージを送信する。ターゲットｅＮＢ１９１５は、ステップ１９２７において、ソースｅＮＢ１９１３にＵＥコンテキスト解除メッセージを送信する。ターゲットｅＮＢ１９１５からＵＥコンテキスト解除メッセージを受信した後に、ソースｅＮＢ１９１３は、ＴＸ  Ｄ２Ｄ  ＵＥ１９１１に割り当てられる専用ディスカバリリソースを解除する。
【０３６４】
図１９が本発明の一実施形態によるＤ２Ｄ方式をサポートする通信システムにおいてＴＸ  Ｄ２Ｄ  ＵＥがソースｅＮＢからターゲットｅＮＢへハンドオーバーする場合に専用リソース割り当てを処理するプロセスの一例を示すが、多様な変形が図１９になされ得る。例えば、一連のオペレーションを示すが、図１９の多様なオペレーションは、オーバーラップされ、並列に発生し、異なる順序で発生し、あるいは複数回発生してもよい。
【０３６５】
図１９を参照して、本発明の一実施形態によるＤ２Ｄ方式をサポートする通信システムにおいてＴＸ  Ｄ２Ｄ  ＵＥがソースｅＮＢからターゲットｅＮＢにハンドオーバーする場合に専用リソース割り当てを処理するプロセスの一例について説明し、図２０を参照して、本発明の一実施形態によるＤ２Ｄ方式をサポートする通信システムにおいてＴＸ  Ｄ２Ｄ  ＵＥがソースｅＮＢからターゲットｅＮＢにハンドオーバーする場合にソースｅＮＢから割り当てられる専用ディスカバリリソースを解除するプロセスの他の例について説明する。
【０３６６】
図２０は、本発明の一実施形態によるＤ２Ｄ方式をサポートする通信システムにおいて、ＴＸ  Ｄ２Ｄ  ＵＥがソースｅＮＢからターゲットｅＮＢへハンドオーバーする場合に専用リソース割り当てを処理するプロセスの他の例を概略的に示す。
【０３６７】
図２０を参照すると、通信システムは、ＴＸ  Ｄ２Ｄ  ＵＥ２０１１、ソースｅＮＢ２０１３、及びターゲットｅＮＢ２０１５を含む。
【０３６８】
ソースｅＮＢ２０１３は、ステップ２０１７において、ターゲットｅＮＢ２０１５にＴＸ  Ｄ２Ｄ  ＵＥ２０１１に対するハンドオーバーリクエストメッセージを送信する。ソースｅＮＢ２０１３からハンドオーバーリクエストメッセージを受信した後に、ターゲットｅＮＢ２０１５は、ステップ２０１９において、ソースｅＮＢ２０１３にハンドオーバーリクエストメッセージに対する応答メッセージとしてハンドオーバーリクエストＡＣＫメッセージを送信する。ターゲットｅＮＢ２０１５からハンドオーバーリクエストＡＣＫメッセージを受信した後に、ソースｅＮＢ２０１３は、ステップ２０２１において、ＴＸ  Ｄ２Ｄ  ＵＥ２０１１にハンドオーバー命令メッセージを送信する。
【０３６９】
ソースｅＮＢ２０１３からハンドオーバー命令メッセージを受信した後に、ＴＸ  Ｄ２Ｄ  ＵＥ２０１１は、ステップ２０２３において、ターゲットｅＮＢ２０１５にハンドオーバー確認メッセージを送信する。ＴＸ  Ｄ２Ｄ  ＵＥ２０１１は、ステップ２０２５において、ターゲットｅＮＢ２０１５にディスカバリリソースリクエストメッセージを送信する。ＴＸ  Ｄ２Ｄ  ＵＥ２０１１からディスカバリリソースリクエストメッセージを受信した後に、ターゲットｅＮＢ２０１５は、ステップ２０２７において、ＴＸ  Ｄ２Ｄ  ＵＥ２０１１にディスカバリリソース応答メッセージを送信する。ターゲットｅＮＢ２０１５は、ステップ２０２９において、ソースｅＮＢ２０１３にＵＥコンテキスト解除メッセージを送信する。ターゲットｅＮＢ２０１５からＵＥコンテキスト解除メッセージを受信した後に、ソースｅＮＢ２０１３は、ＴＸ  Ｄ２Ｄ  ＵＥ２０１１に割り当てられる専用ディスカバリリソースを解除する。
【０３７０】
(２)専用ディスカバリリソース処理動作＃２
ソースｅＮＢは、ターゲットｅＮＢにハンドオーバーするＴＸ  Ｄ２Ｄ  ＵＥに割り当てられる専用ディスカバリリソースに関する情報を送信する。例えば、ＴＸ  Ｄ２Ｄ  ＵＥに割り当てられる専用ディスカバリリソースに関する情報は、ハンドオーバーリクエストメッセージを通じて送信される。ターゲットｅＮＢがＤ２Ｄディスカバリサービスをサポートする場合、ターゲットｅＮＢは、ＴＸ  Ｄ２Ｄ  ＵＥに新たな専用ディスカバリリソースを割り当て、あるいは既に割り当てられる専用ディスカバリリソースの一部を修正することができる。例えば、ターゲットｅＮＢは、ＴＸ  Ｄ２Ｄ  ＵＥに割り当てられる専用ディスカバリリソースに関する情報を、ハンドオーバーリクエストＡＣＫメッセージを通じてソースｅＮＢに送信できる。ソースｅＮＢは、ＴＸ  Ｄ２Ｄ  ＵＥに関する情報、すなわちＴＸ  Ｄ２Ｄ  ＵＥに割り当てられる専用ディスカバリリソースに関する情報をＲＲＣ再構成メッセージ、ディスカバリリソース応答メッセージ、及びハンドオーバー命令メッセージのうちいずれか一つを通じてＴＸ  Ｄ２Ｄ  ＵＥに送信する。これについて後述する。
【０３７１】
図２１を参照して、本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に、専用リソース割り当てを処理するプロセスの他の例について説明する。
【０３７２】
図２１は、本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てを処理する他の例を概略的に示す。
【０３７３】
図２１を参照すると、通信システムは、ＴＸ  Ｄ２Ｄ  ＵＥ２１１１、ソースｅＮＢ２１１３、及びターゲットｅＮＢ２１１５を含む。
【０３７４】
ソースｅＮＢ２１１３は、ステップ２１１７において、ターゲットｅＮＢ２１１５にＴＸ  Ｄ２Ｄ  ＵＥ２１１１に対するハンドオーバーリクエストメッセージを送信する。ハンドオーバーリクエストメッセージは、ディスカバリリソースコンテキスト情報、すなわちＴＸ  Ｄ２Ｄ  ＵＥ２１１１に割り当てられる専用ディスカバリリソースに関する情報を含む。ソースｅＮＢ２１１３からハンドオーバーリクエストメッセージを受信した後に、ターゲットｅＮＢ２１１５は、ステップ２１１９において、ソースｅＮＢ２１１３にハンドオーバーリクエストメッセージに対する応答メッセージとしてハンドオーバーリクエストＡＣＫメッセージを送信する。ハンドオーバーリクエストＡＣＫメッセージは、ディスカバリリソース情報を含む。
【０３７５】
ターゲットｅＮＢ２１１５からハンドオーバーリクエストＡＣＫメッセージを受信した後に、ソースｅＮＢ２１１３は、ステップ２１２１において、ＴＸ  Ｄ２Ｄ  ＵＥ２１１１にハンドオーバー命令メッセージを送信する。ｅＮＢ２１１３からハンドオーバー命令メッセージを受信した後に、ＴＸ  Ｄ２Ｄ  ＵＥ２１１１は、ステップ２１２３において、ターゲットｅＮＢ２１１５にハンドオーバー確認メッセージを送信する。ＴＸ  Ｄ２Ｄ  ＵＥ２１１１からハンドオーバー確認メッセージを受信した後に、ターゲットｅＮＢ２１１５は、ステップ２１２５において、ＴＸ  Ｄ２Ｄ  ＵＥ２１１１にＵＥコンテキスト解除メッセージを送信する。ターゲットｅＮＢ２１１５からＵＥコンテキスト解除メッセージを受信した後に、ソースｅＮＢ２１１３は、ＴＸ  Ｄ２Ｄ  ＵＥ２１１１に割り当てられる専用ディスカバリリソースを解除する。
【０３７６】
図２１は、本発明の一実施形態によるＤ２Ｄ方式をサポートする通信システムにおいてＴＸ  Ｄ２Ｄ  ＵＥがソースｅＮＢからターゲットｅＮＢにハンドオーバーする場合に専用リソース割り当てを処理するプロセスの他の例を示すが、多様な変更が図２１に対してなされる。例えば、一連のオペレーションを示すが、図２１の多様なオペレーションは、オーバーラップされ、並列に発生し、異なる順序で発生し、あるいは複数回発生してもよい。
【０３７７】
図２１を参照して、本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てを処理するプロセスの他の例を示し、図２２を参照して、本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合にソースｅＮＢから割り当てられる専用ディスカバリリソースを解除するプロセスの他の例について説明する。
【０３７８】
図２２は、本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合に専用リソース割り当てを処理するプロセスの他の例を概略的に示す。
【０３７９】
図２２を参照すると、通信システムは、ＴＸ  Ｄ２Ｄ  ＵＥ２２１１、ソースｅＮＢ２２１３、及びターゲットｅＮＢ２２１５を含む。
【０３８０】
ソースｅＮＢ２２１３は、ステップ２２１７において、ターゲットｅＮＢ２２１５にＴＸ  Ｄ２Ｄ  ＵＥ２２１１に対するハンドオーバーリクエストメッセージを送信する。ハンドオーバーリクエストメッセージは、ディスカバリリソースコンテキスト情報、すなわちＴＸ  Ｄ２Ｄ  ＵＥ２２１１に割り当てられる専用ディスカバリリソースに関する情報を含む。ソースｅＮＢ２２１３からハンドオーバーリクエストメッセージを受信した後に、ステップ２２１９において、ソースｅＮＢ２２１３にハンドオーバーリクエストメッセージに対する応答メッセージとしてハンドオーバーリクエストＡＣＫメッセージを送信する。
【０３８１】
ターゲットｅＮＢ２２１５からハンドオーバーリクエストＡＣＫメッセージを受信した後に、ソースｅＮＢ２２１３は、ステップ２２２１において、ＴＸ  Ｄ２Ｄ  ＵＥ２２１１にハンドオーバー命令メッセージを送信する。ｅＮＢ２２１３からハンドオーバー命令メッセージを受信した後に、ＴＸ  Ｄ２Ｄ  ＵＥ２２１１は、ステップ２２２３において、ターゲットｅＮＢ２２１５にハンドオーバー確認メッセージを送信する。ＴＸ  Ｄ２Ｄ  ＵＥ２２１１からハンドオーバー確認メッセージを受信した後に、ターゲットｅＮＢ２２１５は、ステップ２２２５において、ＴＸ  Ｄ２Ｄ  ＵＥ２２１１にディスカバリリソース応答メッセージを送信する。ターゲットｅＮＢ２２１５は、ステップ２２２７において、ソースｅＮＢ２２１３にＵＥコンテキスト解除メッセージを送信する。ターゲットｅＮＢ２２１５からＵＥコンテキスト解除メッセージを受信した後に、ソースｅＮＢ２２１３は、ＴＸ  Ｄ２Ｄ  ＵＥ２２１１に割り当てられる専用ディスカバリリソースを解除する。
【０３８２】
図２２は、本発明の一実施形態によるＤ２Ｄ方式をサポートする通信システムにおいて、ＴＸ  Ｄ２Ｄ  ＵＥがソースｅＮＢからターゲットｅＮＢにハンドオーバーする場合にソースｅＮＢから割り当てられる専用ディスカバリリソースを解除するプロセスの他の例を示すが、多様な変更が図２２になされる。例えば、一連のオペレーションは示すが、図２２の多様なオペレーションは、オーバーラップされ、並列に発生し、異なる順序で発生し、あるいは複数回発生してもよい。
【０３８３】
一方、ＴＸ  Ｄ２Ｄ  ＵＥがターゲットｅＮＢにハンドオーバーした後、すなわちターゲットｅＮＢがＴＸ  Ｄ２Ｄ  ＵＥからハンドオーバー完了メッセージ又はＲＲＣ接続再構成メッセージを受信した後に、ターゲットｅＮＢは、新たな専用ディスカバリリソースに関する情報を送信できる。ターゲットｅＮＢは、ＴＸ  Ｄ２Ｄ  ＵＥに既に割り当てられている専用ディスカバリリソースを連続して使用することを所望し、それによってターゲットｅＮＢは、Ｄ２Ｄディスカバリサービスと専用ディスカバリリソースをサポートする場合、新たな専用ディスカバリリソースを割り当てることができない。ソースｅＮＢは、ターゲットｅＮＢからハンドオーバー成功指示を受信した後に、ＴＸ  Ｄ２Ｄ  ＵＥに割り当てられる専用ディスカバリリソースを解除する。例えば、ターゲットｅＮＢからのハンドオーバー成功指示は、ＵＥコンテキスト解除メッセージであり得る。ＴＸ  Ｄ２Ｄ  ＵＥは、ターゲットｅＮＢにより割り当てられる専用ディスカバリリソースを解除することを要請するまで、あるいはターゲットｅＮＢが新たな専用ディスカバリリソースをＴＸ  Ｄ２Ｄ  ＵＥに割り当てられるまでソースｅＮＢにより割り当てられる専用ディスカバリリソースを継続して使用する。
【０３８４】
例えば、ＴＸ  Ｄ２Ｄ  ＵＥは、ターゲットｅＮＢがソースｅＮＢにより割り当てられる専用ディスカバリリソースを連続して使用することを要請するまで、あるいはＴＸ  Ｄ２Ｄ  ＵＥに新たな専用ディスカバリリソースを割り当てるまで、ソースｅＮＢにより割り当てられる専用ディスカバリリソースを用いて停止する。ターゲットｅＮＢは、ＴＸ  Ｄ２Ｄ  ＵＥが既に割り当てられた専用ディスカバリリソースを継続して使用しなければならないか否かをＴＸ  Ｄ２Ｄ  ＵＥに指示できる。
【０３８５】
(３)専用ディスカバリリソース処理動作＃３
ソースｅＮＢは、ソースｅＮＢによりＴＸ  Ｄ２Ｄ  ＵＥに割り当てられる専用ディスカバリリソース(タイプ１リソースプール又は専用ディスカバリリソース)に対関する情報をターゲットｅＮＢに送信する。また、ソースｅＮＢは、ディスカバリリクエストメッセージでＴＸ  Ｄ２Ｄ  ＵＥから受信した情報をターゲットｅＮＢに送信する。ソースｅＮＢは、ハンドオーバーリクエストメッセージで又はＭＭＥを介して直接にターゲットｅＮＢにこの情報を送信できる。専用ディスカバリリソースがソースｅＮＢによりＴＸ  Ｄ２Ｄ  ＵＥに既に割り当てられている場合、ターゲットｅＮＢは、新たな専用ディスカバリリソースを割り当て、あるいは既に割り当てられた専用ディスカバリリソースのうち一部をアップデートすることができる。専用ディスカバリリソースがＴＸ  Ｄ２Ｄ  ＵＥにソースｅＮＢにより既に割り当てられる場合、ターゲットｅＮＢは、ソースｅＮＢから専用ディスカバリリソースに関する情報を受信した後に、ＴＸ  Ｄ２Ｄ  ＵＥにタイプ１リソースプールを割り当てることができる。
【０３８６】
ＴＸ  Ｄ２Ｄ  ＵＥがソースｅＮＢでタイプ１リソースプールを使用する場合、ターゲットｅＮＢは、ＴＸ  Ｄ２Ｄ  ＵＥに専用ディスカバリリソースを割り当てる。ＴＸ  Ｄ２Ｄ  ＵＥがソースｅＮＢでタイプ２リソースプールを使用する場合、ターゲットｅＮＢは、ＴＸ  Ｄ２Ｄ  ＵＥにタイプ１リソースプールを解除することを要請できる。ＴＸ  Ｄ２Ｄ  ＵＥは、ターゲットｅＮＢにディスカバリリソースリクエストメッセージを送信する。
【０３８７】
ターゲットｅＮＢは、専用ディスカバリリソースに関する情報を、ハンドオーバーリクエストＡＣＫメッセージを用いてソースｅＮＢに送信する。ソースｅＮＢは、専用ディスカバリリソースに関する情報をＲＲＣ再構成メッセージ、ディスカバリリソース応答メッセージ、及びハンドオーバー命令メッセージのうちいずれか一つを通じてＴＸ  Ｄ２Ｄ  ＵＥに送信する。
【０３８８】
(４)専用ディスカバリリソース処理動作＃４
ＴＸ  Ｄ２Ｄ  ＵＥがソースｅＮＢでタイプ１リソースプールを使用する場合、専用ディスカバリリソース解除動作は、専用ディスカバリソース処理動作＃１として実行される。ＴＸ  Ｄ２Ｄ  ＵＥがソースｅＮＢを割り当てる専用ディスカバリリソースを使用する場合、専用ディスカバリリソース処理動作は、専用ディスカバリリソース解除動作＃２として実行される。
【０３８９】
専用ディスカバリリソースが割り当てられた後、ｅＮＢは、ＴＸ  Ｄ２Ｄ  ＵＥがＲＲＣ接続状態又はＲＲＣアイドル状態に存在しなければならないと判定する。ここで、ｅＮＢは、ＴＸ  Ｄ２Ｄ  ＵＥの移動状態に基づいて、ＴＸ  Ｄ２Ｄ  ＵＥがＲＲＣ接続状態又はＲＲＣアイドル状態に存在しなければならないと判定できる。ＲＲＣ接続が解除される場合、ｅＮＢは、割り当てられた専用ディスカバリリソースがＲＲＣアイドル状態で使用可能であるか否かを示すことができる。
【０３９０】
ＴＸ  Ｄ２Ｄ  ＵＥに割り当てられる専用リソースは、次のケースのうちいずれか一つで解除される。
【０３９１】
ａ)ＴＸ  Ｄ２Ｄ  ＵＥがパワーダウンされる。
ｂ)ＴＸ  Ｄ２Ｄ  ＵＥがこれ以上割り当てられた専用リソースを要求しないことをｅＮＢに指示する。
ＴＸ  Ｄ２Ｄ  ＵＥは、ディスカバリ情報をこれ以上送信しないと判定する場合、ＴＸ  Ｄ２Ｄ  ＵＥがこれ以上割り当てられたディスカバリリソースを要求しないことを指示できる。
ｃ)割り当てられた専用ディスカバリリソースが使用可能な期間が終了する。
ｄ)ＴＸ  Ｄ２Ｄ  ＵＥが他のｅＮＢにハンドオーバーする。
ｅ)ｅＮＢが割り当てられた専用ディスカバリリソースを取り消すことを所望する。
ｆ)ＲＲＣ接続が終了する。
これは、専用ディスカバリリソースらがＲＲＣ接続状態でのみ使用されるケースのためのものである。
【０３９２】
一方、ＴＸ  Ｄ２Ｄ  ＵＥは、ｅＮＢにディスカバリリソース解除メッセージを送信する。ＴＸ  Ｄ２Ｄ  ＵＥに複数の専用ディスカバリリソースが割り当てられ、ＴＸ  Ｄ２Ｄ  ＵＥが複数の専用ディスカバリリソースの一部を解除することを希望する場合、ＴＸ  Ｄ２Ｄ  ＵＥは、解除又は保持される専用ディスカバリリソースの個数を指示するか、あるいは解除される専用ディスカバリリソースを指示する。
【０３９３】
ｅＮＢ開始解除の場合、又はＴＸ  Ｄ２Ｄ  ＵＥからのディスカバリリソース解除メッセージに対する応答として、ｅＮＢは、ディスカバリリソース解除メッセージ又はＲＲＣ接続再構成メッセージを送信し、専用ディスカバリリソースを解除し、既存の専用ディスカバリリソース(存在する場合)あるいは解除された専用ディスカバリリソースを示す。
【０３９４】
例えば、すべての専用ディスカバリリソースは、ディスカバリリソース解除メッセージ又はＲＲＣ再構成メッセージが受信される場合に解除される。割り当てられた専用ディスカバリリソースがＲＲＣ接続状態でのみ使用可能であり、すべての専用ディスカバリリソースが解除される場合、ｅＮＢは、接続解除メッセージをすべてのディスカバリリソースを解除できる。
【０３９５】
例えば、ディスカバリリソース解除メッセージは、ディスカバリリソースリクエストメッセージとなり、ＴＸ  Ｄ２Ｄ  ＵＥによりディスカバリリソース解除を示す。すなわち、ディスカバリリソースリクエストメッセージは、ディスカバリリソースを要求し、あるいはディスカバリリソースを解除するために使用され得る。
【０３９６】
例えば、ディスカバリリソース解除メッセージは、ディスカバリリソース応答メッセージとなり、ｅＮＢによりディスカバリリソース解除を示す。ディスカバリリソース応答メッセージは、ディスカバリリソースを割り当て、あるいはディスカバリリソースを解除するために使用することができる。
【０３９７】
割り当てられた専用ディスカバリリソースがＲＲＣ接続状態でのみ使用可能であり、あるいはすべての専用ディスカバリリソースが解除される場合、ＴＸ  Ｄ２Ｄ  ＵＥは、すべての専用ディスカバリリソースを解除するように接続解除メッセージを送信する。
【０３９８】
ＴＸ  Ｄ２Ｄ  ＵＥに割り当てられた専用ディスカバリリソースを解除した後に、ｅＮＢは、専用ディスカバリリソースに関する情報をディスカバリリソース情報にアップデートして、解除された専用ディスカバリリソースに関する情報を除去する。アップデートされたディスカバリリソース情報は、システム情報をブロードキャスティングする時間に送信される。
【０３９９】
ＴＸ  Ｄ２Ｄ  ＵＥに対する専用ディスカバリリソースに対してアップデートされる場合、アップデートされた専用ディスカバリリソースに関する情報は、ディスカバリリソースリクエストテーブルに基づいてＴＸ  Ｄ２Ｄ  ＵＥの専用ディスカバリリソースに対応するＲＸ  Ｄ２Ｄ  ＵＥに通知される。
【０４００】
ｅＮＢからＲＸ  Ｄ２Ｄ  ＵＥに割り当てられたタイプ２ディスカバリリソースを解除する動作について、以下に説明する。
【０４０１】
(１)タイプ２ディスカバリリソース解除動作＃１
ＵＥ開始解除のケースにおいて、ＴＸ  Ｄ２Ｄ  ＵＥは、ｅＮＢにディスカバリリソース解除メッセージを送信する。ＴＸ  Ｄ２Ｄ  ＵＥに複数の専用ディスカバリリソースが割り当てられ、ＴＸ  Ｄ２Ｄ  ＵＥが複数の専用ディスカバリリソースの一部を解除することを所望する場合、ＴＸ  Ｄ２Ｄ  ＵＥは、解除される専用ディスカバリリソースの個数を指示する。
【０４０２】
(２)タイプ２ディスカバリリソース解除動作＃２
ｅＮＢ開始解除の場合、あるいはＴＸ  Ｄ２Ｄ  ＵＥからのディスカバリリソース解除メッセージに対する応答で、ｅＮＢは、ディスカバリリソース解除メッセージを送信し、ＴＸ  Ｄ２Ｄ  ＵＥに割り当てられる専用ディスカバリリソースを解除し、既存の専用ディスカバリリソース(存在する場合）を示す。ディスカバリリソース解除メッセージを受信した後に、ＴＸ  Ｄ２Ｄ  ＵＥは、解除された専用ディスカバリリソースを使用しない。例えば、ディスカバリリソース解除メッセージがＴＸ  Ｄ２Ｄ  ＵＥによりディスカバリリソース周期ｘで受信される場合、専用ディスカバリリソースは、ディスカバリリソース周期ｘ＋ｐから解除され、ｐは０より大きい。ｐは、予め定義されるか、あるいはシグナリングできる。
【０４０３】
ＴＸ  Ｄ２Ｄ  ＵＥは、システム情報、例えばＳＩＢを通じてシグナリングされるディスカバリリソース、例えばディスカバリリソースＲＸプールに関する情報に対応するディスカバリリソースから割り当てられた専用ディスカバリリソースを除去する。ここで、ＴＸ  Ｄ２Ｄ  ＵＥは、割り当てられた専用ディスカバリリソースがＳＩＢに対応するディスカバリリソースに含まられるか否かを確認する。割り当てられた専用ディスカバリリソースがＳＩＢに対応するディスカバリリソースに含まれない場合、ＴＸ  Ｄ２Ｄ  ＵＥは、専用ディスカバリリソースが解除されることを考慮する。
【０４０４】
図２３乃至図２８を参照して、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除する動作について説明する。
【０４０５】
図２３を参照して、本発明の一実施形態によるＤ２Ｄ方式をサポートする通信システムにおいてＴＸ  Ｄ２Ｄ  ＵＥにｅＮＢから割り当てられるタイプ２ディスカバリリソースを解除するプロセスの一例について説明する。
【０４０６】
図２３は、本発明の一実施形態によるＤ２Ｄ方式をサポートする通信システムにおいてＴＸ  Ｄ２Ｄ  ＵＥにｅＮＢから割り当てられるタイプ２ディスカバリリソースを解除するプロセスの一例を概略的に示す。
【０４０７】
図２３を参照すると、通信システムは、ＴＸ  Ｄ２Ｄ  ＵＥ２３１１とｅＮＢ２３１３を含む。
【０４０８】
ＴＸ  Ｄ２Ｄ  ＵＥ２３１１は、ステップ２３１５において、ｅＮＢ２３１３にディスカバリリソース解除メッセージを送信する。ＴＸ  Ｄ２Ｄ  ＵＥ２３１１からディスカバリリソース解除メッセージを受信した後に、ｅＮＢ２３１３は、ステップ２３１７において、ＴＸ  Ｄ２Ｄ  ＵＥ２３１１に割り当てられる専用ディスカバリリソースを解除し、ディスカバリリソース解除メッセージに対する応答メッセージとしてディスカバリリソース解除メッセージを送信する。
【０４０９】
図２３を参照して、本発明の一実施形態によるＤ２Ｄ方式をサポートする通信システムにおいてＴＸ  Ｄ２Ｄ  ＵＥにｅＮＢから割り当てられるタイプ２ディスカバリリソースを解除するプロセスの一例について説明する。図２４を参照して、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスの他の例について説明する。
【０４１０】
図２４は、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスの他の例を概略的に示す。
【０４１１】
図２４を参照すると、通信システムは、ＴＸ  Ｄ２Ｄ  ＵＥ２４１１とｅＮＢ２４１３を含む。
【０４１２】
ｅＮＢ２４１３は、ＴＸ  Ｄ２Ｄ  ＵＥ２４１１に割り当てられるディスカバリリソースを解除すると判定する場合、ステップ２４１５で、ＴＸ  Ｄ２Ｄ  ＵＥ２４１１にディスカバリリソース解除メッセージを送信する。ｅＮＢ２４１３からディスカバリリソース解除メッセージを受信した後に、ＴＸ  Ｄ２Ｄ  ＵＥ２４１１は、ステップ２４１７において、ディスカバリリソース解除ＡＣＫメッセージをｅＮＢ２４１３に送信する。
【０４１３】
図２４を参照して、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスの他の例について説明する。図２５を参照して、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスのもう一つの例について説明する。
【０４１４】
図２５は、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスの他の例を概略的に示す。
【０４１５】
図２５を参照すると、通信システムは、ＴＸ  Ｄ２Ｄ  ＵＥ２５１１とｅＮＢ２５１３を含む。
【０４１６】
ＴＸ  Ｄ２Ｄ  ＵＥ２５１１は、ステップ２５１５において、ｅＮＢ２５１３にディスカバリリソース解除メッセージを送信する。ＴＸ  Ｄ２Ｄ  ＵＥ２５１１からディスカバリリソース解除メッセージを受信した後に、ｅＮＢ２５１３は、ステップ２５１７において、ＴＸ  Ｄ２Ｄ  ＵＥ２５１１に割り当てられる専用ディスカバリリソースを解除し、ディスカバリリソース解除メッセージに対する応答メッセージとしてディスカバリリソース構成メッセージ又はＲＲＣ接続再構成メッセージを送信する。ｅＮＢ２５１３からディスカバリリソース構成メッセージ又はＲＲＣ接続再構成メッセージを受信した後に、ＴＸ  Ｄ２Ｄ  ＵＥ２５１１は、ステップ２５１９において、ディスカバリリソース構成メッセージに対する応答メッセージとしてディスカバリリソース構成完了メッセージ又はＲＲＣ接続再構成メッセージに対する応答メッセージとしてＲＲＣ接続再構成完了メッセージをｅＮＢ２５１３に送信する。
【０４１７】
図２５を参照して、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスの他の例について説明する。図２６を参照して、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスのもう一つの例について説明する。
【０４１８】
図２６は、本発明の一実施形態によるＤ２Ｄ方式をサポートする通信システムにおいて、ＴＸ  Ｄ２Ｄ  ＵＥにｅＮＢから割り当てられるタイプ２ディスカバリリソースを解除するプロセスの他の例を概略的に示す。
【０４１９】
図２６を参照すると、通信システムは、ＴＸ  Ｄ２Ｄ  ＵＥ２６１１とｅＮＢ２６１３を含む。
【０４２０】
ｅＮＢ２６１３は、ＴＸ  Ｄ２Ｄ  ＵＥ２６１１に割り当てられるディスカバリリソースを解除すると判定する場合、ステップ２６１５において、ディスカバリリソース構成メッセージ又はＲＲＣ接続再構成メッセージをＴＸ  Ｄ２Ｄ  ＵＥ２６１１に送信する。ｅＮＢ２６１３からディスカバリリソース構成メッセージ又はＲＲＣ接続再構成メッセージを受信した後に、ＴＸ  Ｄ２Ｄ  ＵＥ２６１１は、ディスカバリリソース構成メッセージに対する応答メッセージとしてディスカバリリソース構成完了メッセージ又はＲＲＣ接続再構成メッセージに対する応答メッセージとしてＲＲＣ接続再構成完了メッセージをｅＮＢ２６１３に送信する。
【０４２１】
図２６を参照して、本発明の一実施形態によるＤ２Ｄ方式をサポートする通信システムにおいてＴＸ  Ｄ２Ｄ  ＵＥにｅＮＢから割り当てられるタイプ２ディスカバリリソースを解除するプロセスの他の一つの例について説明する。図２７を参照して、本発明の一実施形態によるＤ２Ｄ方式をサポートする通信システムにおいてＴＸ  Ｄ２Ｄ  ＵＥの内部構造について説明する。
【０４２２】
図２７は、本発明の一実施形態によるＤ２Ｄ方式をサポートする通信システムにおいてＴＸ  Ｄ２Ｄ  ＵＥの内部構成を概略的に示す。
【０４２３】
図２７を参照すると、ＴＸ  Ｄ２Ｄ  ＵＥ２７００は、送信器２７１１、制御器２７１３、受信器２７１５、及び格納部２７１７を含む。
【０４２４】
制御器２７１３は、ＴＸ  Ｄ２Ｄ  ＵＥ２７００の全般的な動作を制御する。特に、制御器２７１３は、本発明の一実施形態によるリソース割り当て情報の送受信動作に関連した動作を遂行するようにＴＸ  Ｄ２Ｄ  ＵＥ２７００を制御する。このリソース割り当て情報の送受信動作に関連した動作は、図１乃至図２６を参照して説明した方法で実行され、ここではその詳細な説明を省略する。
【０４２５】
送信器２７１１は、制御器２７１３の制御により、ＲＸ  Ｄ２Ｄ  ＵＥ、ｅＮＢ、及びサーバに多様な信号及びメッセージを送信する。送信器２７１１で送信した多様な信号及びメッセージは、図１乃至図３９で説明するので、ここではその詳細な説明を省略する。
【０４２６】
受信器２７１５は、制御器２７１３の制御下でＲＸ  Ｄ２Ｄ  ＵＥ、ｅＮＢ、サーバから各種信号ら及び各種メッセージを受信する。受信器２７１５で受信した各種信号ら及び各種メッセージは、図１乃至図２６で説明したので、ここではその詳細な説明を省略する。
【０４２７】
格納部２７１７は、ＴＸ  Ｄ２Ｄ  ＵＥ２７００の動作に必要な多様なデータと、リソース割り当て情報の送受信動作に関連した情報などを格納する。格納部２７１７は、受信器２７１５で受信した多様な信号及びメッセージを格納する。
【０４２８】
送信器２７１１、制御器２７１３、受信器２７１５、及び格納部２７１７は、別途のプロセッサで示したが、これは、単に説明の便宜のためのものであることが理解される。言い換えれば、送信器２７１１、制御器２７１３、受信器２７１５、及び格納部２７１７のうちいずれか２個以上が１個のプロセッサに組み込まれ得る。
【０４２９】
図２７を参照して、本発明の一実施形態によるＤ２Ｄ方式をサポートする通信システムにおいてＴＸ  Ｄ２Ｄ  ＵＥの内部構成について説明し、図２８を参照して、本発明の一実施形態によるＤ２Ｄ方式をサポートする通信システムにおいてＲＸ  Ｄ２Ｄ  ＵＥの内部構成について説明する。
【０４３０】
図２８は、本発明の一実施形態によるＤ２Ｄ方式をサポートする通信システムにおけるＲＸ  Ｄ２Ｄ  ＵＥの内部構成を概略的に示す。
【０４３１】
図２８を参照すると、ＲＸ  Ｄ２Ｄ  ＵＥ２８００は、送信器２８１１、制御器２８１３、受信器２８１５、及び格納部２８１７を含む。
【０４３２】
制御器２８１３は、ＲＸ  Ｄ２Ｄ  ＵＥ２８００の全般的な動作を制御する。特に、制御器２８１３は、本発明の一実施形態によるリソース割り当て情報送受信動作に関連した全般的な動作を遂行するようにＲＸ  Ｄ２Ｄ  ＵＥ２８００を制御する。リソース割り当て情報の送受信動作に関連した動作は、図１乃至図２６を参照して説明し、ここではその詳細な説明を省略する。
【０４３３】
送信器２８１１は、制御器２８１３の制御下でＴＸ  Ｄ２Ｄ  ＵＥ、ｅＮＢ、及びサーバに様々な信号及びメッセージを送信する。送信器２８１１で送信した様々な信号及びメッセージは、図１乃至図２６で説明するので、ここではその詳細な説明を省略する。
【０４３４】
受信器２８１５は、制御器２８１３の制御によりＴＸ  Ｄ２Ｄ  ＵＥ、ｅＮＢ、サーバから多様な信号及びメッセージを受信する。受信器２８１５で受信した多様な信号及びメッセージは図１乃至図２６で説明するので、ここではその詳細な説明を省略する。
【０４３５】
格納部２８１７は、ＲＸ  Ｄ２Ｄ  ＵＥ２８００の動作に必要な各種データ、リソース割り当て情報の送受信動作に関連した情報などを格納する。格納部２８１７は、受信器２８１５で受信した多様な信号及びメッセージを格納する。
【０４３６】
送信器２８１１、制御器２８１３、受信器２８１５、及び格納部２８１７は別途のプロセッサとして示すが、単に説明の便宜のためのものであることが理解される。言い換えれば、送信器２８１１、制御器２８１３、受信器２８１５、及び格納部２８１７のうち２個以上が１個のプロセッサに組み込まれ得る。
【０４３７】
図２８を参照して、本発明の一実施形態によるＤ２Ｄ方式をサポートする通信システムにおいてＲＸ  Ｄ２Ｄ  ＵＥの内部構造について説明し、図２９を参照して、本発明の一実施形態によるＤ２Ｄ方式をサポートする通信システムにおいてｅＮＢの内部構成について説明する。
【０４３８】
図２９は、本発明の一実施形態によるＤ２Ｄ方式をサポートする通信システムにおいてｅＮＢの内部構成を概略的に示す。
【０４３９】
図２９を参照すると、ｅＮＢ２９００は、送信器２９１１、制御器２９１３、受信器２９１５、及び格納部２９１７を含む。
【０４４０】
制御器２９１３は、ｅＮＢ２９００の全般的な動作を制御する。特に、制御器２９１３は、本発明の一実施形態によるリソース割り当て情報の送受信動作に関連した全般的な動作を遂行するようにｅＮＢ２９００を制御する。リソース割り当て情報の送受信動作に関連した動作は、図１乃至図２６を参照して説明した方法で実行され、ここでは、その詳細な説明を省略する。
【０４４１】
送信器２９１１は、制御器２９１３の制御下でＴＸ  Ｄ２Ｄ  ＵＥ、ＲＸ  Ｄ２Ｄ  ＵＥ、サーバ、及びリソースコーディネータに多様な信号及びメッセージを送信する。送信器２９１１で送信した各種信号及びメッセージは、図１乃至図２６で説明するので、ここでは、その詳細な説明を省略する。
【０４４２】
受信器２９１５は、制御器２９１３の制御下でＴＸ  Ｄ２Ｄ  ＵＥ、ＲＸ  Ｄ２Ｄ  ＵＥ、サーバ、リソースコーディネータから多様な信号及びメッセージを受信する。受信器２９１５で受信した各種信号及びメッセージは、図１乃至図２６で説明するので、ここでは、その詳細な説明を省略する。
【０４４３】
格納部２９１７は、ｅＮＢ２９００の動作に必要な多様なデータ、リソース割り当て情報の送受信動作に関連した情報などを格納する。格納部２９１７は、受信器２９１５で受信した多様な信号及びメッセージを格納する。
【０４４４】
送信器２９１１、制御器２９１３、受信器２９１５、及び格納部２９１７が別途のプロセッサとして示すが、これは、単に説明の便宜のためのものであることが明らかである。言い換えれば、送信器２９１１、制御器２９１３、受信器２９１５、及び格納部２９１７のうち２個以上が１個のユニットに組み込まれ得る。
【０４４５】
図２９を参照して、本発明の一実施形態によるＤ２Ｄ方式をサポートする通信システムにおいて、ｅＮＢの内部構成について説明し、図３０を参照して本発明の一実施形態によるＤ２Ｄ方式をサポートする通信システムにおいてリソースコーディネータの内部構成について説明する。
【０４４６】
図３０は、本発明の一実施形態によるＤ２Ｄ方式をサポートする通信システムにおいてリソースコーディネータの内部構成を概略的に示す。
【０４４７】
図３０を参照すると、リソースコーディネータ３０００は、送信器３０１１、制御器３０１３、受信器３０１５、及び格納部３０１７を含む。
【０４４８】
制御器３０１３は、リソースコーディネータ３０００の全般的な動作を制御する。特に、制御器３０１３は、本発明一実施形態によるリソース割り当て情報の送受信動作に関連した全般的な動作を遂行するようにリソースコーディネータ３０００を制御する。リソース割り当て情報の送受信動作に関連した動作は、図１乃至図２６を参照して説明する方法で実行するので、ここでは、その詳細な説明を省略する。
【０４４９】
送信器３０１１は、制御器３０１３の制御下でｅＮＢ、サーバに多様な信号、多様なメッセージを送信する。送信器３０１１で送信した各種信号及びメッセージは、図１乃至図２６で説明するので、ここでは、その詳細な説明を省略する。
【０４５０】
受信器３０１５は、制御器３０１３の制御下でｅＮＢ、サーバから各種信号及びメッセージを受信する。受信器３０１５で受信した各種信号及びメッセージは、図１乃至図２６で説明するので、ここでは、その詳細な説明を省略する。
【０４５１】
格納部３０１７は、リソースコーディネータ３０００の動作に必要な多様なデータ、リソース割り当て情報の送受信動作に関連した情報などを格納する。格納部３０１７は、受信器３０１５で受信した多様な信号及びメッセージなどを格納する。
【０４５２】
送信器３０１１、制御器３０１３、受信器３０１５、及び格納部３０１７は別途のプロセッサとして説明されるが、これは、単に説明の便宜のためのものであることが理解される。言い換えれば、送信器３０１１、制御器３０１３、受信器３０１５、及び格納部３０１７のうち２個以上が１個のプロセッサに組み込まれ得る。
【０４５３】
図３０を参照して、本発明の一実施形態によるＤ２Ｄ方式をサポートする通信システムにおいてリソースコーディネータの内部構成について説明し、図３１を参照して、本発明の一実施形態によるＤ２Ｄ方式をサポートする通信システムにおいてサーバの内部構成について説明する。
【０４５４】
図３１は、本発明の一実施形態によるＤ２Ｄ方式をサポートする通信システムでサーバの内部構成を概略的に示す。
図３１を参照すると、サーバ３１００は、送信器３１１１、制御器３１１３、受信器３１１５、及び格納部３１１７を含む。
【０４５５】
制御器３１１３は、サーバ３１００の全般的な動作を制御する。特に、制御器３１１３は、本発明の一実施形態によるリソース割り当て情報の送受信動作に関連した動作を遂行するようにサーバ３１００を制御する。リソース割り当て情報の送受信動作に関連した動作について図１ないし図２６を参照して説明する方法で実行され、ここでは、その詳細な説明を省略する。
【０４５６】
送信器３１１１は、制御器３１１３の制御下でｅＮＢ、リソースコーディネータに各種信号及び各種メッセージらを送信する。送信器３１１１で送信した各種信号及び各種メッセージは、図１乃至図２６で説明するので、ここでは、その詳細な説明を省略する。
【０４５７】
受信器３１１５は、制御器３１１３の制御下で、ｅＮＢ、リソースコーディネータから多様な信号及びメッセージを受信する。受信器３１１５で受信した多様な信号及びメッセージは、図１乃至図２６で説明するので、ここでは、その詳細な説明を省略する。
【０４５８】
格納部３１１７は、サーバ３１００の動作に必要な多様なデータと、リソース割り当て情報の送受信動作に関連した情報を格納する。格納部３１１７は、受信器３１１５で受信した各種信号及びメッセージを格納する。
【０４５９】
送信器３１１１、制御器３１１３、受信器３１１５、及び格納部３１１７は別途のプロセッサとして説明するが、これは、単に説明の便宜のためのものであることが理解され得る。言い換えれば、送信器３１１１、制御器３１１３、受信器３１１５、及び格納部３１１７のうち２個以上が一つのプロセッサに組み込まれ得る。
【０４６０】
上記した本発明による実施形態は、コンピュータ読み取り可能な記録媒体に対するコンピュータ読み取り可能なコードとして実施されることができる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ(Read-Only Memory)、ＲＡＭ(Random-Access Memory)、ＣＤ-ＲＯＭ、磁気テープ、フロッピー（登録商標）ディスク、光データ格納装置、及び搬送波(有無線伝送経路を介してインターネットを経由するデータ伝送のような)を含むが、これに限定されることではない。また、このコンピュータ読み取り可能な記録媒体は、ネットワーク接続されたコンピュータシステムにわたって分散されることによって、コンピュータ読み取り可能なコードは分散形態で格納及び遂行される。また、本発明を達成するための機能(function)プログラム、コード、及びコードセグメントは、当該技術分野における熟練されたプログラマにとっては容易に理解できることである。
【０４６１】
本発明の実施形態によるトポロジ処理方法は、ハードウェア、ソフトウェア、又はそれらの組み合せの形態で実現可能であることがわかる。このようなソフトウェアは、例えば、揮発性又は非揮発性格納装置(例えば、削除可能/再書き込み可能なＲＯＭ(Read Only Memory)、メモリ(例えば、ＲＡＭ(Random Access Memory)、メモリチップ、及び集積回路(ＩＣ)チップ)、又は光的に又は磁気的に記録可能な機械(例えば、コンピュータ)-読み取り可能な格納媒体(例えば、ＣＤ(Compact Disc)、ＤＶＤ(Digital Versatile Disc)、磁気ディスク、及び磁気テープ)に格納することができる。トポロジ処理方法は、制御部及びメモリを含むコンピュータ又は移動端末により実現され得る。このメモリは、本発明の実施形態を実現するための命令を含むプログラムを格納するのに適合した機械読み取り可能な格納媒体であり得る。
【０４６２】
したがって、本発明は、本請求項により定められた装置及び方法を実現するための符号を含むプログラム、及びこのようなプログラムを格納する機械(例えば、コンピュータ)読み取り可能な格納媒体を含む。このプログラムは、有線/無線接続を通じて伝送される通信信号のような媒体を介して電気的に伝送でき、これに均等なものと共に本発明に含まれる。
【０４６３】
本発明の一実施形態による装置は、有線又は無線で接続されるプログラム提供装置から上記プログラムを受信して保存することができる。このプログラム提供装置は、既に設定されたコンテンツ保護方法を実行するようにする指示、及びコンテンツ保護方法に必要な情報を格納するメモリと、グラフィック処理装置との有線又は無線通信を遂行するための通信部と、グラフィック処理装置の要請又は自動で該当プログラムを送受信装置に伝送する制御部とを含むことができる。
【０４６４】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【０４６５】
２７００  ＵＥ
２７１１  送信器
２７１３  制御器
２７１５  受信器
２７１７  格納部
２８００  ＵＥ
２８１１  送信器
２８１３  制御器
２８１５  受信器
２８１７  格納部
２９００  ｅＮＢ
２９１１  送信器
２９１３  制御器
２９１５  受信器
２９１７  格納部
３０００  リソースコーディネータ
３０１１  送信器
３０１３  制御器
３０１５  受信器
３０１７  格納部
３１００  サーバ
３１１１  送信器
３１１３  制御器
３１１５  受信器
３１１７  及び格納部
３１１７  格納部
【図１】
0006700189.tif 000002
【図２】
0006700189.tif 000003
【図３】
0006700189.tif 000004
【図４】
0006700189.tif 000005
【図５】
0006700189.tif 000006
【図６】
0006700189.tif 000007
【図７】
0006700189.tif 000008
【図８】
0006700189.tif 000009
【図９】
0006700189.tif 000010
【図１０】
0006700189.tif 000011
【図１１】
0006700189.tif 000012
【図１２】
0006700189.tif 000013
【図１３】
0006700189.tif 000014
【図１４】
0006700189.tif 000015
【図１５】
0006700189.tif 000016
【図１６】
0006700189.tif 000017
【図１７】
0006700189.tif 000018
【図１８】
0006700189.tif 000019
【図１９】
0006700189.tif 000020
【図２０】
0006700189.tif 000021
【図２１】
0006700189.tif 000022
【図２２】
0006700189.tif 000023
【図２３】
0006700189.tif 000024
【図２４】
0006700189.tif 000025
【図２５】
0006700189.tif 000026
【図２６】
0006700189.tif 000027
【図２７】
0006700189.tif 000028
【図２８】
0006700189.tif 000029
【図２９】
0006700189.tif 000030
【図３０】
0006700189.tif 000031
【図３１】
0006700189.tif 000032